(57)【要約】本願の実施例は端末の省電力化に役立つ無線通信方法及び機器を提供する。当該方法は、ネットワーク機器が同期用信号の第１設定情報を指示する省電力化信号を端末機器に送信することを含む。【選択図】図２
2021530887.tif 000002
【特許請求の範囲】
【請求項１】
ネットワーク機器が同期用信号の第１設定情報を指示する省電力化信号を端末機器に送信することを含むことを特徴とする無線通信方法。
【請求項２】
前記省電力化信号は前記端末機器に対するページングメッセージが存在するか否かも指示し、又は、
前記省電力化信号は前記端末機器がスリープ状態からアクティブ状態に切り替わるか否かも指示することを特徴とする請求項１に記載の方法。
【請求項３】
前記省電力化信号が前記端末機器のページングメッセージが存在することも指示する場合に、前記省電力化信号は前記第１設定情報を指示し、又は、
前記省電力化信号が前記端末機器がスリープ状態からアクティブ状態に切り替わることも指示する場合に、前記省電力化信号は前記第１設定情報を指示することを特徴とする請求項１又は２に記載の方法。
【請求項４】
前記第１設定情報は、前記同期用信号の時間領域リソース情報、密度情報、サブキャリア情報、帯域幅情報、送信周期、時間オフセット情報、及び時間位置情報のうち少なくとも１つを含むことを特徴とする請求項１〜３のいずれか１項に記載の方法。
【請求項５】
前記同期用信号の時間領域リソース情報は前記同期用信号が単一のタイムスロットで占用する複数の符号集合及び／又は占用するタイムスロットを指示することを特徴とする請求項４に記載の方法。
【請求項６】
前記無線通信方法が６ＧＨＺ以下の通信に用いる場合に、前記複数の符号集合は符号集合
【数１】
2021530887.tif 000033
のうち少なくとも２つの符号集合を含み、又は、
前記無線通信方法が６ＧＨＺ以上の通信に用いる場合に、前記複数の符号集合は符号集合
【数２】
2021530887.tif 000034
のうち少なくとも２つの符号集合を含むことを特徴とする請求項５に記載の方法。
【請求項７】
前記省電力化信号は含まれるシーケンス及び／又は占用されるリソースによって前記第１設定情報を指示し、
異なるシーケンス及び／又は占用されるリソースは前記同期用信号の異なる設定情報を指示することを特徴とする請求項１〜６のいずれか１項に記載の方法。
【請求項８】
前記同期用信号の設定情報は前記第１設定情報及び第２設定情報を含み、第２設定情報は前記同期用信号の設定情報のうち前記第１設定情報に含まれない全ての又は一部の設定情報を指示し、
前記方法は、さらに、前記ネットワーク機器が前記第２設定情報を指示する上位層シグナリングを前記端末機器に送信することを含むことを特徴とする請求項１〜７のいずれか１項に記載の方法。
【請求項９】
前記無線通信方法は前記端末機器のアイドル状態における時間周波数同期に用いることを特徴とする請求項１〜８のいずれか１項に記載の方法。
【請求項１０】
ネットワーク機器が同期用信号が単一のタイムスロットで占用する複数の符号集合を指示する指示情報を端末機器に送信することを含むことを特徴とする無線通信方法。
【請求項１１】
各符号集合は少なくとも２つの符号を含むことを特徴とする請求項１０に記載の方法。
【請求項１２】
前記無線通信方法が６ＧＨＺ以下の通信に用いる場合に、前記複数の符号集合は符号集合
【数３】
2021530887.tif 000035
のうち少なくとも２つの符号集合を含み、又は、
前記無線通信方法が６ＧＨＺ以上の通信に用いる場合に、前記複数の符号集合は符号集合
【数４】
2021530887.tif 000036
のうち少なくとも２つの符号集合を含むことを特徴とする請求項１０又は１１に記載の方法。
【請求項１３】
前記指示情報は前記同期用信号が占用するタイムスロットも指示することを特徴とする請求項１０〜１２のいずれか１項に記載の方法。
【請求項１４】
前記指示情報はブロードキャストメッセージ、無線リソース制御（ＲＲＣ）シグナリング又は省電力化信号にベアラされることを特徴とする請求項１０〜１３のいずれか１項に記載の方法。
【請求項１５】
前記省電力化信号は前記端末機器に対するページングメッセージが存在するか否かを指示し、又は、
前記省電力化信号は前記端末機器がスリープ状態からアクティブ状態に切り替わるか否かを指示することを特徴とする請求項１０〜１４のいずれか１項に記載の方法。
【請求項１６】
前記無線通信方法は前記端末機器のアイドル状態における時間周波数同期に用いることを特徴とする請求項１０〜１５のいずれか１項に記載の方法。
【請求項１７】
ネットワーク機器は追跡参照信号（ＴＲＳ）又は拡張された追跡参照信号（ｅＴＲＳ）の設定情報を指示するブロードキャストメッセージを端末機器に送信することを含むことを特徴とする無線通信方法。
【請求項１８】
前記設定情報は、前記ＴＲＳ又はｅＴＲＳの時間領域リソース情報、密度情報、サブキャリア情報、帯域幅情報、送信周期、時間オフセット情報、及び時間位置情報のうち少なくとも１つを含むことを特徴とする請求項１７に記載の方法。
【請求項１９】
前記ＴＲＳ又はｅＴＲＳの時間領域リソース情報は前記ＴＲＳ又はｅＴＲＳが単一のタイムスロットで占用する符号集合及び／タイムスロットを指示することを特徴とする請求項１８に記載の方法。
【請求項２０】
前記無線通信方法は前記端末機器のアイドル状態における時間周波数同期に用いることを特徴とする請求項１７〜１９のいずれか１項に記載の方法。
【請求項２１】
ネットワーク機器が単一のタイムスロットで複数の符号集合を占用する同期用信号を端末機器に送信することを含むことを特徴とする無線通信方法。
【請求項２２】
各符号集合は少なくとも２つの符号を含むことを特徴とする請求項２１に記載の方法。
【請求項２３】
前記無線通信方法が６ＧＨＺ以下の通信に用いる場合に、前記複数の符号集合は符号集合
【数５】
2021530887.tif 000037
のうち少なくとも２つの符号集合を含み、又は、
前記無線通信方法が６ＧＨＺ以上の通信に用いる場合に、前記複数の符号集合は符号集合
【数６】
2021530887.tif 000038
のうち少なくとも２つの符号集合を含むことを特徴とする請求項２１又は２２に記載の方法。
【請求項２４】
前記同期用信号は１つ又は複数のタイムスロットを占用することを特徴とする請求項２１〜２３のいずれか１項に記載の方法。
【請求項２５】
前記方法は、さらに、前記ネットワーク機器が前記同期用信号の設定情報を指示する指示情報を前記端末機器に送信することを含むことを特徴とする請求項２１〜２４のいずれか１項に記載の方法。
【請求項２６】
前記第１設定情報は前記同期用信号の時間領域リソース情報、密度情報、サブキャリア情報、帯域幅情報、送信周期、時間オフセット情報、及び時間位置情報のうち少なくとも１つを含むことを特徴とする請求項２５に記載の方法。
【請求項２７】
前記同期用信号の時間領域リソース情報は前記同期用信号が単一のタイムスロットで占用する前記複数の符号集合及び／又は占用するタイムスロットを指示することを特徴とする請求項２６に記載の方法。
【請求項２８】
前記指示情報は省電力化信号、無線リソース制御（ＲＲＣ）シグナリング又はブロードキャストメッセージにベアラされることを特徴とする請求項２５〜２７のいずれか１項に記載の方法。
【請求項２９】
前記省電力化信号は前記端末機器に対するページングメッセージが存在するか否かを指示し、又は、
前記省電力化信号は前記端末機器がスリープ状態からアクティブ状態に切り替わるか否かを指示することを特徴とする請求項２１〜２８のいずれか１項に記載の方法。
【請求項３０】
前記無線通信方法は前記端末機器のアイドル状態における時間周波数同期に用いることを特徴とする請求項２１〜２９のいずれか１項に記載の方法。
【請求項３１】
端末機器がネットワーク機器によって送信される同期用信号の第１設定情報を指示する省電力化信号を受信することと、
前記第１設定情報に基づいて、前記端末機器が前記同期用信号を受信することとを含むことを特徴とする無線通信方法。
【請求項３２】
前記省電力化信号は前記端末機器に対するページングメッセージが存在するか否かも指示し、又は、
前記省電力化信号は前記端末機器がスリープ状態からアクティブ状態に切り替わるか否かも指示することを特徴とする請求項３１に記載の方法。
【請求項３３】
前記第１設定情報に基づいて、前記端末機器が前記同期用信号を受信することは、
前記省電力化信号が前記端末機器のページングメッセージが存在することも指示する場合に、前記端末機器が前記第１設定情報に基づいて、前記同期用信号を受信すること、又は、
前記省電力化信号が前記端末機器がスリープ状態からアクティブ状態に切り替わることも指示する場合に、前記端末機器が前記第１設定情報に基づいて、前記同期用信号を受信することを含むことを特徴とする請求項３１又は３２に記載の方法。
【請求項３４】
前記第１設定情報は、前記同期用信号の時間領域リソース情報、密度情報、サブキャリア情報、帯域幅情報、送信周期、時間オフセット情報、及び時間位置情報のうち少なくとも１つを含むことを特徴とする請求項３１〜３３のいずれか１項に記載の方法。
【請求項３５】
前記同期用信号の時間領域リソース情報は前記同期用信号が単一のタイムスロットで占用する複数の符号集合及び／又はタイムスロットを指示することを特徴とする請求項３４に記載の方法。
【請求項３６】
前記無線通信方法が６ＧＨＺ以下の通信に用いる場合に、前記複数の符号集合は符号集合
【数７】
2021530887.tif 000039
のうち少なくとも２つの符号集合を含み、又は、
前記無線通信方法が６ＧＨＺ以上の通信に用いる場合に、前記複数の符号集合は符号集合
【数８】
2021530887.tif 000040
のうち少なくとも２つの符号集合を含むことを特徴とする請求項３５に記載の方法。
【請求項３７】
前記省電力化信号は含まれるシーケンス及び／又は占用されるリソースによって前記第１設定情報を指示し、
異なるシーケンス及び／又は占用されるリソースは前記同期用信号の異なる設定情報を指示することを特徴とする請求項３１〜３６のいずれか１項に記載の方法。
【請求項３８】
前記同期用信号の設定は前記第１設定情報及び第２設定情報を含み、第２設定情報は前記同期用信号の設定情報のうち前記第１設定情報に含まれない全ての又は一部の設定情報を指示し、
前記方法は、さらに、前記端末機器が前記ネットワーク機器の、前記第２設定情報を指示する上位層シグナリングを受信することを含み、
前記第１設定情報に基づいて、前記端末機器が前記同期用信号を受信することは、
前記第１設定情報及び前記第２設定情報に基づいて、前記端末機器が前記同期用信号を受信することを含むことを特徴とする請求項３１〜３７のいずれか１項に記載の方法。
【請求項３９】
前記無線通信方法は前記端末機器のアイドル状態における時間周波数同期に用いることを特徴とする請求項３１〜３８のいずれか１項に記載の方法。
【請求項４０】
端末機器がネットワーク機器によって送信される同期用信号が単一のタイムスロットで占用する複数の符号集合を指示する指示情報を受信することと、
前記指示情報に基づいて、前記同期用信号を受信することとを含むことを特徴とする無線通信方法。
【請求項４１】
各符号集合は少なくとも２つの符号を含むことを特徴とする請求項４０に記載の方法。
【請求項４２】
前記無線通信方法が６ＧＨＺ以下の通信に用いる場合に、前記複数の符号集合は符号集合
【数９】
2021530887.tif 000041
のうち少なくとも２つの符号集合を含み、又は、
前記無線通信方法が６ＧＨＺ以上の通信に用いる場合に、前記複数の符号集合は符号集合
【数１０】
2021530887.tif 000042
のうち少なくとも２つの符号集合を含むことを特徴とする請求項４０又は４１に記載の方法。
【請求項４３】
前記指示情報は前記同期用信号が占用するタイムスロットも指示することを特徴とする請求項４０〜４２のいずれか１項に記載の方法。
【請求項４４】
前記指示情報はブロードキャストメッセージ、無線リソース制御（ＲＲＣ）シグナリング又は省電力化信号にベアラされることを特徴とする請求項４０〜４３のいずれか１項に記載の方法。
【請求項４５】
前記省電力化信号は前記端末機器に対するページングメッセージが存在するか否かを指示し、又は、
前記省電力化信号は前記端末機器がスリープ状態からアクティブ状態に切り替わるか否かを指示することを特徴とする請求項４０〜４４のいずれか１項に記載の方法。
【請求項４６】
前記無線通信方法は前記端末機器のアイドル状態における時間周波数同期に用いることを特徴とする請求項４０〜４５のいずれか１項に記載の方法。
【請求項４７】
端末機器がネットワーク機器によって送信される追跡参照信号（ＴＲＳ）又は拡張された追跡参照信号（ｅＴＲＳ）の設定情報を指示するブロードキャストメッセージを受信することと、
前記設定情報に基づいて、前記端末機器が前記ＴＲＳ又はｅＴＲＳを受信することとを含むことを特徴とする無線通信方法。
【請求項４８】
前記設定情報は、前記ＴＲＳ又はｅＴＲＳの時間領域リソース情報、密度情報、サブキャリア情報、帯域幅情報、送信周期、時間オフセット情報、及び時間位置情報のうち少なくとも１つを含むことを特徴とする請求項４７に記載の方法。
【請求項４９】
前記ＴＲＳ又はｅＴＲＳの時間領域リソース情報は前記ＴＲＳ又はｅＴＲＳが単一のタイムスロットで占用する複数の符号集合を指示することを特徴とする請求項４８に記載の方法。
【請求項５０】
前記無線通信方法が６ＧＨＺ以下の通信に用いる場合に、前記複数の符号集合は符号集合
【数１１】
2021530887.tif 000043
のうち少なくとも２つの符号集合を含み、又は、
前記無線通信方法が６ＧＨＺ以上の通信に用いる場合に、前記複数の符号集合は符号集合
【数１２】
2021530887.tif 000044
のうち少なくとも２つの符号集合を含むことを特徴とする請求項４９に記載の方法。
【請求項５１】
前記無線通信方法は前記端末機器のアイドル状態における時間周波数同期に用いることを特徴とする請求項４７〜５０のいずれか１項に記載の方法。
【請求項５２】
端末機器がネットワーク機器によって送信される単一のタイムスロットで複数の符号集合を占用する同期用信号を受信することと、
受信された前記同期用信号に基づいて、前記端末機器が時間周波数同期を行うこととを含むことを特徴とする無線通信方法。
【請求項５３】
各符号集合は少なくとも２つの符号を含むことを特徴とする請求項５２に記載の方法。
【請求項５４】
前記無線通信方法が６ＧＨＺ以下の通信に用いる場合に、前記複数の符号集合は符号集合
【数１３】
2021530887.tif 000045
のうち少なくとも２つの符号集合を含み、又は、
前記無線通信方法が６ＧＨＺ以上の通信に用いる場合に、前記複数の符号集合は符号集合
【数１４】
2021530887.tif 000046
のうち少なくとも２つの符号集合を含むことを特徴とする請求項５２又は５３に記載の方法。
【請求項５５】
前記同期用信号は１つ又は複数のタイムスロットを占用することを特徴とする請求項５２〜５４のいずれか１項に記載の方法。
【請求項５６】
前記方法は、さらに、前記端末機器が前記ネットワーク機器によって送信される前記同期用信号の設定情報を指示する指示情報を受信することを含み、
前記端末機器がネットワーク機器によって送信される同期用信号を受信することは、
前記指示情報に基づいて、前記端末機器がネットワーク機器によって送信される同期用信号を受信することを含むことを特徴とする請求項５２〜５５のいずれか１項に記載の方法。
【請求項５７】
前記指示情報は省電力化信号、無線リソース制御（ＲＲＣ）シグナリング又はブロードキャストメッセージにベアラされることを特徴とする請求項５６に記載の方法。
【請求項５８】
前記省電力化信号は前記端末機器に対するページングメッセージが存在するか否かを指示し、又は、
前記省電力化信号は前記端末機器がスリープ状態からアクティブ状態に切り替わるか否かを指示することを特徴とする請求項５２〜５７のいずれか１項に記載の方法。
【請求項５９】
前記無線通信方法は前記端末機器のアイドル状態における時間周波数同期に用いることを特徴とする請求項５２〜５８のいずれか１項に記載の方法。
【請求項６０】
同期用信号の第１設定情報を指示する省電力化信号を端末機器に送信するように構成される通信ユニットを含むことを特徴とするネットワーク機器。
【請求項６１】
同期用信号が単一のタイムスロットで占用する複数の符号集合を指示する指示情報を端末機器に送信するように構成される通信ユニットを含むことを特徴とするネットワーク機器。
【請求項６２】
追跡参照信号（ＴＲＳ）又は拡張された追跡参照信号（ｅＴＲＳ）の設定情報を指示するブロードキャストメッセージを端末機器に送信するように構成される通信ユニットを含むことを特徴とするネットワーク機器。
【請求項６３】
単一のタイムスロットで複数の符号集合を占用する同期用信号を端末機器に送信するように構成される通信ユニットを含むことを特徴とするネットワーク機器。
【請求項６４】
ネットワーク機器によって送信される同期用信号の第１設定情報を指示する省電力化信号を受信し、
前記第１設定情報に基づいて、前記同期用信号を受信するように構成される通信ユニットを含むことを特徴とする端末機器。
【請求項６５】
ネットワーク機器によって送信される同期用信号が単一のタイムスロットで占用する複数の符号集合を指示する指示情報を受信し、
前記指示情報に基づいて、前記同期用信号を受信するように構成される通信ユニットを含むことを特徴とする端末機器。
【請求項６６】
ネットワーク機器によって送信される追跡参照信号（ＴＲＳ）又は拡張された追跡参照信号（ｅＴＲＳ）の設定情報を指示するブロードキャストメッセージを受信し、
前記設定情報に基づいて、前記ＴＲＳ又はｅＴＲＳを受信するように構成される通信ユニットを含むことを特徴とする端末機器。
【請求項６７】
ネットワーク機器によって送信される単一のタイムスロットで複数の符号集合を占用する同期用信号を受信するように構成される通信ユニットと、
受信された前記同期用信号に基づいて、時間周波数同期を行うように構成される処理ユニットとを含むことを特徴とする端末機器。
【請求項６８】
コンピュータプログラムを記憶するように構成されるメモリと、前記メモリに記憶されているコンピュータプログラムを呼び出して動作させることにより、請求項１〜３０のいずれか１項に記載の方法を実行するように構成されるプロセッサとを含むことを特徴とするネットワーク機器。
【請求項６９】
コンピュータプログラムを記憶するように構成されるメモリと、前記メモリに記憶されているコンピュータプログラムを呼び出して動作させることにより、請求項３１〜５９のいずれか１項に記載の方法を実行するように構成されるプロセッサとを含むことを特徴とする端末機器。
【請求項７０】
チップであって、前記チップを搭載している機器が請求項１〜３０のいずれか１項に記載の方法を実行するように、メモリからコンピュータプログラムを呼び出して動作させるように構成されるプロセッサを含むことを特徴とするチップ。
【請求項７１】
チップであって、前記チップを搭載している機器が請求項３１〜５９のいずれか１項に記載の方法を実行するように、メモリからコンピュータプログラムを呼び出して動作させるように構成されるプロセッサを含むことを特徴とするチップ。
【請求項７２】
コンピュータに請求項１〜３０のいずれか１項に記載の方法を実行させるコンピュータプログラムを記憶するように構成されることを特徴とするコンピュータ可読記憶媒体。
【請求項７３】
コンピュータに請求項３１〜５９のいずれか１項に記載の方法を実行させるコンピュータプログラムを記憶するように構成されることを特徴とするコンピュータ可読記憶媒体。
【請求項７４】
コンピュータに請求項１〜３０のいずれか１項に記載の方法を実行させるコンピュータプログラム命令を含むことを特徴とするコンピュータプログラム製品。
【請求項７５】
コンピュータに請求項３１〜５９のいずれか１項に記載の方法を実行させるコンピュータプログラム命令を含むことを特徴とするコンピュータプログラム製品。
【請求項７６】
コンピュータに請求項１〜３０のいずれか１項に記載の方法を実行させることを特徴とするコンピュータプログラム。
【請求項７７】
コンピュータに請求項３１〜５９のいずれか１項に記載の方法を実行させることを特徴とするコンピュータプログラム。
【発明の詳細な説明】
【技術分野】
【０００１】
本願の実施例は、通信技術の分野に関し、詳しく言えば、無線通信方法、ネットワーク機器及び端末機器に関する。
【背景技術】
【０００２】
無線通信システムでは、端末機器はシステム情報又はページングメッセージ等の信号を受信する前に、同期する必要がある。
【０００３】
例えば、端末機器は周期的に伝送される同期信号（Ｓｙｎｃｈｒｏｎｏｕｓ  ｓｉｇｎａｌ、略称ＳＳ）／物理ブロードキャストチャネル（Ｐｈｙｓｉｃａｌ  Ｂｒｏａｄｃａｓｔｉｎｇ  Ｃｈａｎｎｅｌ、略称ＰＢＣＨ）における（Ｐｒｉｍａｒｙ  Ｓｙｎｃｈｒｏｎｏｕｓ  ｓｉｇｎａｌ、略称ＰＳＳ）、セカンダリ同期信号（Ｓｅｃｏｎｄａｒｙ  Ｓｙｎｃｈｒｏｎｏｕｓ  ｓｉｇｎａｌ、略称ＳＳＳ）（及びＰＢＣＨ復調用参照信号（Ｄｅｍｏｄｕｌａｔｉｏｎ  Ｒｅｆｅｒｅｎｃｅ  Ｓｉｇｎａｌ、略称ＤＭＲＳ））を利用して粗時間周波数同期及び精密時間周波数同期を取得することができ、且つ端末は精密時間周波数同期の要件を満たすために、一般にいくつかのＳＳ／ＰＢＣＨブロックを受信する必要がある。
【０００４】
しかしながら、ＳＳ／ＰＢＣＨの周期は少なくとも５ｍｓであり、一般には１０ｍｓ又は２０ｍｓであるため、端末がシステム情報又はページングメッセージを受信する前に、同期動作を行うために数十乃至数百ｍｓも前にＳＳ／ＰＢＣＨを受信する必要があり、これは明らかに端末の省電力化にはつながらない。
【発明の概要】
【発明が解決しようとする課題】
【０００５】
本願の実施例によれば、端末の省電力化に役立つ、無線通信方法及び機器が提供される。
【課題を解決するための手段】
【０００６】
第１態様によれば、無線通信方法が提供される。当該方法は、
ネットワーク機器が同期用信号の第１設定情報を指示する省電力化信号を端末機器に送信することを含む。
【０００７】
第２態様によれば、無線通信方法が提供される。当該方法は、
ネットワーク機器が同期用信号が単一のタイムスロットで占用する複数の符号集合を指示する指示情報を端末機器に送信することを含む。
【０００８】
第３態様によれば、無線通信方法が提供される。当該方法は、
ネットワーク機器が追跡参照信号（ＴＲＳ）又は拡張された追跡参照信号（ｅＴＲＳ）の設定情報を指示するブロードキャストメッセージを端末機器に送信することを含む。
【０００９】
第４態様によれば、無線通信方法が提供される。当該方法は、
ネットワーク機器が単一のタイムスロットで複数の符号集合を占用する同期用信号を端末機器に送信することを含む。
【００１０】
第５態様によれば、無線通信方法が提供される。当該方法は、
端末機器がネットワーク機器によって送信される同期用信号の第１設定情報を指示する省電力化信号を受信することと、
前記第１設定情報に基づいて、前記端末機器が前記同期用信号を受信することとを含む。
【００１１】
第６態様によれば、無線通信方法が提供される。当該方法は、
端末機器がネットワーク機器によって送信される同期用信号が単一のタイムスロットで占用する複数の符号集合を指示する指示情報を受信することと、
前記指示情報に基づいて、前記同期用信号を受信することとを含む。
【００１２】
第７態様によれば、無線通信方法が提供される。当該方法は、
端末機器がネットワーク機器によって送信される追跡参照信号（ＴＲＳ）又は拡張された追跡参照信号（ｅＴＲＳ）の設定情報を指示するブロードキャストメッセージを受信することと、
前記設定情報に基づいて、前記端末機器が前記ＴＲＳ又はｅＴＲＳを受信することとを含む。
【００１３】
第８態様によれば、無線通信方法が提供される。当該方法は、
端末機器がネットワーク機器によって送信される単一のタイムスロットで複数の符号集合を占用する同期用信号を受信することと、
受信された前記同期用信号に基づいて、前記端末機器が時間周波数同期を行うこととを含む。
【００１４】
第９態様によれば、上記の第１態様、第２態様、第３態様又は第４態様の方法を実行するように構成されるネットワーク機器が提供される。
【００１５】
具体的には、当該ネットワーク機器は上記の第１態様、第２態様、第３態様又は第４態様の方法を実行するように構成される機能モジュールを含む。
【００１６】
第１０態様によれば、上記の第５態様、第６態様、第７態様又は第８態様の方法を実行するように構成される端末機器が提供される。
【００１７】
具体的には、当該端末機器は上記の第５態様、第６態様、第７態様又は第８態様の方法を実行するように構成される機能モジュールを含む。
【００１８】
第１１態様によれば、プロセッサとメモリとを含むネットワーク機器が提供される。当該メモリはコンピュータプログラムを記憶するように構成され、当該プロセッサは当該メモリに記憶されているコンピュータプログラムを呼び出して動作させることにより、上記の第１態様、第２態様、第３態様又は第４態様の方法を実行するように構成される。
【００１９】
第１２態様によれば、プロセッサとメモリとを含む端末機器が提供される。当該メモリはコンピュータプログラムを記憶するように構成され、当該プロセッサは当該メモリに記憶されているコンピュータプログラムを呼び出して動作させることにより、上記の第５態様、第６態様、第７態様又は第８態様の方法を実行するように構成される。
【００２０】
第１３態様によれば、上記の第１態様〜第８態様のいずれかの態様の方法を実現するように構成されるチップが提供される。
【００２１】
具体的には、当該チップは、当該チップを搭載している機器が上記の第１態様〜第８態様のいずれかの態様の方法を実行するように、メモリからコンピュータプログラムを呼び出して動作させるように構成されるプロセッサを含む。
【００２２】
第１４態様によれば、コンピュータに上記の第１態様〜第８態様のいずれかの態様の方法を実行させるコンピュータプログラムを記憶するように構成されるコンピュータ可読記憶媒体が提供される。
【００２３】
第１５態様によれば、コンピュータに上記の第１態様〜第８態様のいずれかの態様の方法を実行させるコンピュータプログラム命令を含むコンピュータプログラム製品が提供される。
【００２４】
第１６態様によれば、コンピュータにおいて実行する時、コンピュータに上記の第１態様〜第８態様のいずれかの態様又はその各実現形態の方法を実行させるコンピュータプログラムが提供される。
【発明の効果】
【００２５】
上記の技術的解決手段によれば、ネットワーク機器が同期用信号の第１設定情報を指示する省電力化信号を端末機器に送信すると、端末機器は当該省電力化信号に基づいて設定情報を取得して同期用信号を受信することができ、同期の効率が上がり、端末の消費電力が節約される。さらに、省電力化信号に基づいて同期用信号の設定情報を指示するという方式は、同期用信号のより動的な設定を実現できる。
【図面の簡単な説明】
【００２６】
【図１】本願の実施例に係る通信システムのアーキテクチャの概略図である。
【図２】本願の実施例に係る無線通信方法の概略図である。
【図３】本願の実施例に係る無線通信方法の概略図である。
【図４】本願の実施例に係る無線通信方法の概略図である。
【図５】本願の実施例に係る無線通信方法の概略図である。
【図６】本願の実施例に係るネットワーク機器の概略的なブロック図である。
【図７】本願の実施例に係る端末機器の概略的なブロック図である。
【図８】本願の実施例に係る端末機器の概略的なブロック図である。
【図９】本願の実施例に係る通信機器の概略的なブロック図である。
【図１０】本願の実施例に係るチップの概略的なブロック図である。
【図１１】本願の実施例に係る通信システムの概略的なブロック図である。
【発明を実施するための形態】
【００２７】
以下、本願の実施例の図面を参照して、本願の実施例による技術的解決手段を説明する。言うまでもないが、説明される実施例は本願の実施例の一部に過ぎず、実施例の全てではない。当業者が進歩性の作業をすることなく本願の実施例から得る他の実施例は、いずれも本願の保護範囲に含まれる。
【００２８】
本願の実施例による技術的解決手段は、グローバル移動体通信（Ｇｌｏｂａｌ  Ｓｙｓｔｅｍ  ｏｆ  Ｍｏｂｉｌｅ  ｃｏｍｍｕｎｉｃａｔｉｏｎ、略称ＧＳＭ（登録商標））システム、符号分割多重接続（Ｃｏｄｅ  Ｄｉｖｉｓｉｏｎ  Ｍｕｌｔｉｐｌｅ  Ａｃｃｅｓｓ、略称ＣＤＭＡ）システム、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、略称ＧＰＲＳ）、ロングタームエボリューション（Ｌｏｎｇ  Ｔｅｒｍ  Ｅｖｏｌｕｔｉｏｎ、略称ＬＴＥ（登録商標））システム、ＬＴＥ周波数分割複信（Ｆｒｅｑｕｅｎｃｙ  Ｄｉｖｉｓｉｏｎ  Ｄｕｐｌｅｘ、略称ＦＤＤ）システム、ＬＴＥ時分割複信（Ｔｉｍｅ  Ｄｉｖｉｓｉｏｎ  Ｄｕｐｌｅｘ、略称ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略称ＵＭＴＳ）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、略称ＷｉＭＡＸ）通信システム又は５Ｇシステム等の様々な通信システムに適用できる。
【００２９】
例示的に、本願の実施例が適用される通信システム１００は図１に示すとおりである。当該通信システム１００はネットワーク機器１１０を含んでよく、ネットワーク機器１１０は端末機器１２０（通信端末、端末とも呼ばれる）と通信する機器であってよい。ネットワーク機器１１０は特定の区域に通信機能を提供し、且つそのカバレッジ区域に位置する端末機器と通信することができる。任意選択で、当該ネットワーク機器１１０はＧＳＭシステム又はＣＤＭＡシステムにおける基地局（Ｂａｓｅ  Ｔｒａｎｓｃｅｉｖｅｒ  Ｓｔａｔｉｏｎ、略称ＢＴＳ）であってもよいし、ＷＣＤＭＡシステムにおける基地局（ＮｏｄｅＢ、略称ＮＢ）であってもよいし、ＬＴＥシステムにおける進化型基地局（Ｅｖｏｌｕｔｉｏｎａｌ  Ｎｏｄｅ  Ｂ、略称ｅＮＢ又はｅＮｏｄｅＢ）であってもよいし、又はクラウドラジオアクセスネットワーク（Ｃｌｏｕｄ  Ｒａｄｉｏ  Ａｃｃｅｓｓ  Ｎｅｔｗｏｒｋ、略称ＣＲＡＮ）におけるワイヤレスコントローラであってもよいし、或いは当該ネットワーク機器は移動交換センター、中継局、アクセスポイント、車載機器、ウェアラブル機器、ハブ、交換機、ブリッジ、ルーター、５Ｇネットワークにおけるネットワーク側機器又は将来の進化型公衆陸上移動体ネットワーク（Ｐｕｂｌｉｃ  Ｌａｎｄ  Ｍｏｂｉｌｅ  Ｎｅｔｗｏｒｋ、略称ＰＬＭＮ）におけるネットワーク機器等であってもよい。
【００３０】
当該通信システム１００はさらに、ネットワーク機器１１０のカバレッジ範囲に位置する少なくとも１つの端末機器１２０を含む。ここで、「端末機器」というのは、有線回線を介して接続されたもの、例えば、公衆交換電話網（Ｐｕｂｌｉｃ  Ｓｗｉｔｃｈｅｄ  Ｔｅｌｅｐｈｏｎｅ  Ｎｅｔｗｏｒｋｓ、略称ＰＳＴＮ）、デジタル加入者線（Ｄｉｇｉｔａｌ  Ｓｕｂｓｃｒｉｂｅｒ  Ｌｉｎｅ、略称ＤＳＬ）、デジタルケーブル、ダイレクトケーブルを介して接続される、及び／又は別のデータ接続／ネットワーク、及び／又は無線インタフェースを経由したもの、例えば、セルラーネットワーク、無線ローカルエリアネットワーク（Ｗｉｒｅｌｅｓｓ  Ｌｏｃａｌ  Ａｒｅａ  Ｎｅｔｗｏｒｋ、略称ＷＬＡＮ）用のもの、例えば、ＤＶＢ−Ｈネットワークのデジタルテレビネットワーク、衛星ネットワーク、ＡＭ−ＦＭ放送送信機、及び／又は別の端末機器の通信信号を受信／送信するように設定される装置、及び／又はモノのインターネット（Ｉｎｔｅｒｎｅｔ  ｏｆ  Ｔｈｉｎｇｓ、略称ＩｏＴ）機器を含むが、これらに限定されるものではない。無線インタフェースを介して通信するように設定される端末機器は「無線通信端末」、「無線端末」又は「移動端末」と呼ばれてよい。移動端末の例は、衛星もしくはセルラーフォン、又はセルラー無線電話とデータ処理、ファックス、データ通信能力を組み合わせ得るパーソナル通信システム（Ｐｅｒｓｏｎａｌ  Ｃｏｍｍｕｎｉｃａｔｉｏｎｓ  Ｓｙｓｔｅｍ、略称ＰＣＳ）端末、又は無線電話、ページャ、インターネット／イントラネットアクセス、ウェブブラウザ、メモ帳、カレンダー及び／又はグローバルポジショニングシステム（Ｇｌｏｂａｌ  Ｐｏｓｉｔｉｏｎｉｎｇ  Ｓｙｓｔｅｍ、略称ＧＰＳ）受信機を有し得る略称ＰＤＡ、及び通常のラップトップ型及び／又はパームトップ型受信機もしくは無線電話送受信機を有し得る他の電子装置を含むが、これらに限定されるものではない。端末機器とは、アクセス端末、ユーザー機器（Ｕｓｅｒ  Ｅｑｕｉｐｍｅｎｔ、略称ＵＥ）、加入者ユニット、加入者局、移動局、モバイルステーション、遠隔局、遠隔端末、移動機器、ユーザー端末、端末、無線通信機器、ユーザーエージェント又はユーザー装置であってよい。アクセス端末は、セルラーフォン、コードレス電話、セッションイニシエーションプロトコル（Ｓｅｓｓｉｏｎ  Ｉｎｉｔｉａｔｉｏｎ  Ｐｒｏｔｏｃｏｌ、略称ＳＩＰ）電話、無線ローカルループ（Ｗｉｒｅｌｅｓｓ  Ｌｏｃａｌ  Ｌｏｏｐ、略称ＷＬＬ）局、パーソナルデジタルアシスタント（Ｐｅｒｓｏｎａｌ  Ｄｉｇｉｔａｌ  Ａｓｓｉｓｔａｎｔ、略称ＰＤＡ）、無線通信機能を有するハンドヘルド機器、コンピューティング機器もしくは無線モデムに接続された他の処理機器、車載機器、ウェアラブル機器、５Ｇネットワークにおける端末機器、又は将来の進化型ＰＬＭＮにおける端末機器等であってよい。
【００３１】
任意選択で、端末機器１２０同士は端末間直接（Ｄｅｖｉｃｅ  ｔｏ  Ｄｅｖｉｃｅ、略称Ｄ２Ｄ）通信を行うことができる。
【００３２】
任意選択で、５Ｇシステム又は５Ｇネットワークはニューラジオ（Ｎｅｗ  Ｒａｄｉｏ、略称ＮＲ）システム、又はＮＲネットワークとも呼ばれる。
【００３３】
図１には例示的に１つのネットワーク機器と２つの端末機器が示される。任意選択で、当該通信システム１００は複数のネットワーク機器を含んでよく、且つ、各ネットワーク機器のカバレッジ範囲内にその他の数の端末機器を含んでもよく、本願の実施例はこれに関して限定しない。
【００３４】
任意選択で、当該通信システム１００はさらに、ネットワークコントローラ、移動管理実体等の他のネットワーク実体を含んでもよく、本願の実施例はこれに関して限定しない。
【００３５】
なお、本願の実施例において、ネットワーク／システムで通信機能を有する機器は通信機器と呼ばれてよい。図１に示す通信システム１００を例として、通信機器は通信機能を有するネットワーク機器１１０及び端末機器１２０を含んでよく、ネットワーク機器１１０及び端末機器１２０は上述した特定の機器であってよく、ここで説明が省略される。通信機器はさらに、通信システム１００における他の機器、例えば、ネットワークコントローラ、移動管理実体等の他のネットワーク実体を含んでよく、本願の実施例でこれに関して限定しない。
【００３６】
なお、本明細書で使用される用語「システム」と「ネットワーク」は常に入れ替えて使用される。用語「及び／又は」は、関係する対象の相関関係を説明するものに過ぎず、３種の関係が存在し得ることを意味する。例えば、Ａ及び／又はＢは、Ａが単独で存在する場合、ＡとＢが同時に存在する場合、Ｂが単独で存在する場合という３種の状況を表すことができる。また、本明細書で符号「／」は、一般的に前後の相関対象が「又は」の関係にあることを意味する。
【００３７】
図２は、本願の実施例に係る無線通信方法２００のプロセスの概略図である。
【００３８】
任意選択で、本願の実施例において、当該無線通信方法２００は当該端末機器のアイドル（ｉｄｌｅ）状態における時間周波数同期に用いる。なお、本願の実施例において、当該無線通信方法２００は当該端末機器の接続状態における時間周波数同期に用いてもよい。
【００３９】
２１０において、ネットワーク機器は同期用信号の第１設定情報を指示する省電力化信号を端末機器に送信する。
【００４０】
任意選択で、本願の実施例において、同期用信号は追跡参照信号（Ｔｒａｃｋｉｎｇ  Ｒｅｆｅｒｅｎｃｅ  Ｓｉｇｎａｌ、略称ＴＲＳ）又は拡張されたＴＲＳ（ｅｎｈａｎｃｅｄ  ＴＲＳ、略称ｅＴＲＳ）であってよい。当然ながら、当該同期用信号は他の信号、例えば、ＰＳＳ又はＳＳＳ等であってもよい。
【００４１】
任意選択で、本願の実施例において、ｅＴＲＳはＴＲＳよりも多くのリソースを占用してよく、例えば、単一のタイムスロットで、ｅＴＲＳはＴＲＳよりも多くの符号又は符号集合等を占用している。
【００４２】
例えば、当該無線通信方法が６ＧＨＺ以下の通信に用いる場合に、ＴＲＳは単一のタイムスロットで符号集合
【数１】
2021530887.tif 000003
のうち１つの符号集合を占用し、ｅＴＲＳは上記同符号集合のうち少なくとも２つの符号集合を占用する。
【００４３】
もう一例として、当該無線通信方法が６ＧＨＺ以上の通信に用いる場合に、ＴＲＳは単一のタイムスロット符号集合
【数２】
2021530887.tif 000004
のうち１つの符号集合を占用し、ｅＴＲＳは上記同符号集合のうち少なくとも２つの符号集合を占用する。
【００４４】
本願の実施例において、ｅＴＲＳはＴＲＳよりも多くのタイムスロット又は周波数領域リソース等を占用してもよい。
【００４５】
なお、本願の実施例において、ｅＴＲＳはＴＲＳ又は他の名称と呼ばれてもよく、本願の実施例でこれに関して具体的に限定しない。
【００４６】
なお、本願の実施例でいう省電力化信号は、端末機器の省電力化を実現するために送信される１種の信号と理解されてよい。
【００４７】
例えば、端末機器が周期的に特定のメッセージを受信する必要があり、ただし当該メッセージは各周期ごとに当該端末機器に送信されるものではない場合に、端末機器が各周期に例外なく当該メッセージに対する受信動作を実行すると消費電力が大きくなる。したがって、ネットワーク機器は端末機器に信号を送信し、特定の１つの又は特定のいくつかの周期（例えば、次の周期）でネットワーク機器が当該メッセージを送信するか否かを端末機器に指示することで、端末機器は当該信号に基づいて、指示された周期にメッセージを受信するか否かを決定できる。これにより、端末機器は各周期のいずれにも受信動作を実行しなくてもよく、端末の消費電力が節約される。
【００４８】
任意選択で、上記の周期的なメッセージとは、ページングメッセージであってよい。この場合に、省電力化信号は当該端末機器に対するページングメッセージが存在するか否かを指示するためにも用いられえる。
【００４９】
しかしながら、上記の周期的なメッセージは他のメッセージであってもよく、本願の実施例でこれに関して具体的に限定しない。
【００５０】
もう一例として、端末機器が周期的に消費電力の小さい状態から消費電力の大きい状態に切り替わる必要があるが、何等かの原因で、端末が消費電力の大きい状態に切り替わる必要がない場合に、端末機器は各周期に例外なく消費電力の小さい状態から消費電力の大きい状態に切り替わると端末機器の消費電力が大きくなる。したがって、ネットワーク機器は端末機器に信号を送信し、特定の１つの又は特定のいくつかの周期（例えば、次の周期）で消費電力の大きい状態から消費電力の小さい状態に切り替わるか否かを端末機器に指示することで、端末機器は当該信号に基づいて、指示された周期に状態を変更するか否かを決定できる。これにより、端末機器の消費電力が節約されえる。
【００５１】
任意選択で、当該省電力化信号が間欠送信（Ｄｉｓｃｏｎｔｉｎｕｏｕｓ  Ｔｒａｎｓｍｉｓｓｉｏｎ、略称ＤＴＸ）シーンに用いられ、当該消費電力の小さい状態はスリープ状態であってよく、当該消費電力の大きい状態はアクティブ状態であってよい。この場合に、当該省電力化信号は当該端末機器がスリープ状態からアクティブ状態に切り替わるか否かを指示するためにも用いられえる。
【００５２】
ここで、特定の１つの又は特定のいくつかの周期にネットワーク機器が特定のメッセージを送信するか否かを端末機器に指示する上記の信号、又は特定の１つの又は特定のいくつかの周期に消費電力の大きい状態から消費電力の小さい状態に切り替わるか否かを端末機器に指示する信号は省電力化信号と呼ばれてよい。なお、本願の実施例はこれに限定されるものではなく、当該信号は、当該省電力化信号の機能がいずれも本願の実施例の保護範囲内にあるものであれば、他の名称を有してもよい。
【００５３】
任意選択で、本願の実施例において、省電力化信号が、特定の１つの又は特定のいくつかの周期にネットワーク機器が特定のメッセージを送信するか否かを端末機器に指示する信号、又は特定の１つの又は特定のいくつかの周期に消費電力の大きい状態から消費電力の小さい状態に切り替わるか否かを端末機器に指示するために用いることは次の実現形態のものとすることができる。
【００５４】
１つの実現形態において、省電力化信号の異なるシーケンス及び／異なるリソースを占用することは、上記のイエスとノーズの場合を表示する。例えば、省電力化信号がシーケンス１を含む場合に、特定の１つの又は特定のいくつかの周期にネットワーク機器が特定のメッセージを送信することを端末機器に指示し、又は特定の１つの又は特定のいくつかの周期に消費電力の大きい状態から消費電力の小さい状態に切り替わることを端末機器に指示する。省電力化信号がシーケンス２を含む場合に、特定の１つの又は特定のいくつかの周期にネットワーク機器が特定のメッセージを送信しないことを端末機器に指示し、又は特定の１つの又は特定のいくつかの周期に消費電力の大きい状態から消費電力の小さい状態に切り替わらないことを端末機器に指示する。
【００５５】
別の実現形態において、省電力化信号の送信と省電力化信号の不送信は、上記のイエスとノーの場合をそれぞれ表示する。例えば、省電力化信号が送信される場合に、特定の１つの又は特定のいくつかの周期にネットワーク機器が特定のメッセージを送信することを端末機器に指示し、又は特定の１つの又は特定のいくつかの周期に消費電力の大きい状態から消費電力の小さい状態に切り替わることを端末機器に指示する。省電力化信号が送信されない場合に、特定の１つの又は特定のいくつかの周期にネットワーク機器が特定のメッセージを送信しないことを端末機器に指示し、又は特定の１つの又は特定のいくつかの周期に消費電力の大きい状態から消費電力の小さい状態に切り替わらないことを端末機器に指示する。
【００５６】
任意選択で、本願の実施例において、当該省電力化信号が当該端末機器のページングメッセージが存在することも指示する場合に、ネットワーク機器は当該省電力化信号によって当該第１設定情報を指示する。
【００５７】
具体的には、端末機器のページングメッセージが存在する場合に、端末機器はページングメッセージを受信するために同期する必要があることを意味し、ネットワーク機器は省電力化信号によって端末機器に当該第１設定情報を指示してよく、端末機器のページングメッセージが存在しない場合に、端末機器はページングメッセージを受信するために同期しなくてもよいことを意味し、ネットワーク機器は省電力化信号によって端末機器に当該第１設定情報を指示しなくてもよい。この場合に、任意選択で、当該省電力化信号に第１設定情報が携帯されていない場合に、端末機器は同期する必要がないと判断してよい。
【００５８】
任意選択で、本願の実施例において、当該省電力化信号が当該端末機器がスリープ状態からアクティブ状態に切り替わることも指示する場合に、ネットワーク機器は当該省電力化信号によって当該第１設定情報を指示する。
【００５９】
具体的には、端末機器が信号検出を行うためにスリープ状態からアクティブ状態に切り替わる必要がある場合に、端末機器は信号検出を行うために同期する必要があることを意味し、ネットワーク機器は省電力化信号によって端末機器に当該第１設定情報を指示してよく、端末機器がスリープ状態からに状態切り替わる必要がない場合に、端末機器は信号検出を行わなくてもよいことを意味し、ネットワーク機器は省電力化信号によって端末機器に当該第１設定情報を指示しなくてもよい。この場合に、任意選択で、当該省電力化信号に第１設定情報が携帯されていない場合に、端末機器は同期する必要がないと判断してよい。
【００６０】
当然ながら、本願の実施例において、省電力化信号が端末機器のページングメッセージが存在しないこと、又は端末機器がスリープ状態からアクティブ状態に切り替わる必要がないことを指示する場合にも、当該省電力化信号は当該第１設定情報を携帯してもよく、端末機器は当該第１設定情報を受信した後、当該第１設定情報に従って同期用信号を受信して同期してもよいし、又は端末機器は当該第１設定情報を受信した後、同期するために同期用信号を受信しなくてもよい。
【００６１】
任意選択で、本願の実施例において、省電力化信号は周期的に送信されてよく、各送信周期の省電力化信号はいずれも上記の第１設定情報を携帯してよいし、又は一部の送信周期の省電力化信号が同期用参照信号の設定情報を携帯してもよい。例えば、上記同期用信号の設定情報が頻繁に変更される必要がない場合に、一部の送信周期の省電力化信号に上記同期用参照信号の設定情報を携帯することとしてよい。この場合に、省電力化信号に設定情報が携帯されていなくても、前の省電力化信号によって送信された設定情報に従って同期してよい。
【００６２】
任意選択で、本願の実施例において、当該第１設定情報は、
当該同期用信号の時間領域リソース情報、密度情報、サブキャリア情報、帯域幅情報、送信周期、時間オフセット情報、及び時間位置情報のうち少なくとも１つを含む。
【００６３】
ここで、上記の時間領域リソース情報は単一のタイムスロットで占用される符号であってよく、単一のタイムスロットで占用されえる符号は１つであってもよいし、複数であってもよい。
【００６４】
具体的には、同期用信号の送信に使用されえる符号を複数の集合に分割してよく、当該第１設定情報は符号集合のインデックスを含んでよい。ここで、当該時間領域リソース情報は１つの符号集合を含んでもよいし、複数の符号集合を含んでもよい。
【００６５】
任意選択で、本願の実施例において、符号集合は１つ又は複数の符号集合グループに分割されてもよく、各グループは１つ又は複数の符号集合を含んでよく、グループによって、含まれる符号集合の数は同じであってもよいし、異なってもよく、グループ間では重なる符号集合があってもよいし、重なる符号集合がなくてもよい。
【００６６】
当該第１設定情報に符合集合グループのインデックスが含まれてよく、端末機器は当該符号集合グループのインデックスに基づいて、同期用信号が占用する符号集合を決定してよい。
【００６７】
任意選択で、本願の実施例において、当該無線通信方法が６ＧＨＺ以下の通信に用いる場合に、当該複数の符号集合は、符号集合
【数３】
2021530887.tif 000005
のうち１つ又は少なくとも２つの符号集合を含む。
【００６８】
任意選択で、本願の実施例において、当該無線通信方法が６ＧＨＺ以上の通信に用いる場合に、当該複数の符号集合は、符号集合
【数４】
2021530887.tif 000006
のうち１つ又は少なくとも２つを含む。
【００６９】
なお、本実施例の符号集合は上記の分割方式に限定されず、他の分割方式を採用してもよい。
【００７０】
なお、各符号集合に含まれる符号の数は同じであってもよいし、異なってもよい。又は、符号集合間では重複する符合があってもよい。
【００７１】
任意選択で、本願の実施例において、ネットワーク機器は端末機器に符号集合の分割方式を通知してよい。又は、符号集合の分割方式は予め端末機器に設定されてもよい。
【００７２】
任意選択で、本願の実施例において、省電力化信号によって指示される上記時間領域リソース情報はさらに同期用信号が占用するタイムスロットの数及び／又はインデックスを含んでもよい。ここで、同期用信号が占用するタイムスロットは１つであってもよいし、複数であってもよい。各タイムスロットで伝送に使用され得る符号は同じであってよく、具体的には上記の符号集合であってよい。
【００７３】
又は、同期用信号が占用するタイムスロットの数及び／又はインデックスは他のシグナリングによって指示されてもよいし、予め端末機器に設定されてもよい。
【００７４】
任意選択で、上記の密度情報とは、１つの物理リソースブロック（Ｐｈｙｓｉｃａｌ  Ｒｅｓｏｕｒｃｅ  Ｂｌｏｃｋ、略称ＰＲＢ）における同期用参照信号を送信するためのものの数であってよい。例えば、ｅＴＲＳの場合には、ｅＴＲＳはシングルポート情報であり、密度はρ＝３としてよく、即ち１つのＰＲＢに３つのリソースエレメント（Ｒｅｓｏｕｒｃｅ  Ｅｌｅｍｅｍｙ、略称ＲＥ）があり、１つのＰＲＢにおける３つのＲＥの位置はＫ０、Ｋ０＋４、Ｋ０＋８であることとしてよく、ここで、Ｋ０は上位層情報によって通知される。
【００７５】
任意選択で、本願の実施例において、上記のサブキャリア情報とは、同期用信号が占用するサブキャリアの数及び／又はインデックスであってよい。
【００７６】
任意選択で、本願の実施例において、上記の帯域幅情報とは、同期用信号が占用する帯域幅であってよく、具体的には占用するＰＲＢの数及び／インデックスを含んでよい。例えば、ＥＴＲＳの場合には、帯域幅はデフォルトの帯域幅としてよい。例えば、５２個のＰＲＢであってもよいし、イニシャルアクティブ（ｉｎｉｔｉａｌ  ａｃｔｉｖｅ）帯域幅部分（Ｂａｎｄ  Ｗｉｄｔｈ  Ｐａｒｔ、略称ＢＷＰ）の帯域幅であってもよいし、最小（ｍｉｎ）｛デフォルトの帯域幅、ｉｎｉｔｉａｌ  ａｃｔｉｖｅ  ＢＷＰ｝であってもよい。
【００７７】
任意選択で、本願の実施例において、上記の送信周期はＴＲＳ又はｅＴＲＳの場合に、取得値は１０ｍｓ、２０ｍｓ、４０ｍｓ、８０ｍｓ等であってよい。
【００７８】
任意選択で、本願の実施例において、上記の時間オフセット情報は周期の数値に基づいて決定されてよく、周期の取得値が１０ｍｓである場合に、時間オフセットの取得値は０、１、２、…、９ｍｓであってよい。
【００７９】
任意選択で、本願の実施例において、上記の時間位置情報は同期用信号の他の信号に対するオフセットであってよい。例えば、ページングメッセージより時間Ｔ早く送信されてよい。この場合に、当該同期用信号は非周期的に伝送される信号であってよい。
【００８０】
任意選択で、同期用信号は準持続性の周期的な信号であってよく、この場合に設定情報は送信周期、時間オフセット、持続する周期数等の情報を含んでよい。
【００８１】
任意選択で、本願の実施例において、省電力化信号によって設定情報を指示する場合に、明示的な方式（例えば、シーケンス）によって指示してもよいし、暗黙的な方式（例えば、占用されるリソース）によって指示してもよい。
【００８２】
任意選択で、本願の実施例において、当該省電力化信号は含まれるシーケンス及び／又は占用されるリソースによって当該第１設定情報を指示する。ここで、異なるシーケンス及び／又は占用されるリソースは当該同期用信号の異なる設定情報を指示する。
【００８３】
ここで、異なるシーケンスの形成方式は異なるページングシフト（省電力化信号に対してＺａｄｏｆｆ−Ｃｈｕ（ＺＣ）シーケンスを使用する）、異なる直交符号等の方式であってよい。
【００８４】
ここで、異なるシーケンス及び／又は占用されるリソースによって異なる設定情報を指示することは、同じタイプの１つの又はいくつかの設定パラメータに対し、異なるシーケンス及び／又は占用されるリソースによって当該１つの又はいくつかの設定パラメータの異なる取得値を指示することであってよい。
【００８５】
例えば、第１種類のシーケンスで第１種類の時間周波数リソース情報、第１種類の密度情報、第１種類のサブキャリア情報、第１種類の帯域幅情報、第１種類の周期及び第１種類の時間オフセット情報を示し、第２種類のシーケンスで第２種類の時間周波数リソース情報、第２種類の密度情報、第２種類のサブキャリア情報、第２種類の帯域幅情報、第２種類の周期及び第２種類の時間オフセット情報を示す。
【００８６】
任意選択で、設定情報が複数の設定パラメータを含む場合に、一部の設定パラメータの取得値が異なる場合に、当該設定情報が異なることとしてよい。
【００８７】
例えば、第１種類のシーケンスで第１種類の時間周波数リソース情報、第１種類の密度情報、第１種類のサブキャリア情報、第１種類の帯域幅情報、第２種類の周期及び第２種類の時間オフセット情報を示し、第２種類のシーケンスで第１種類の時間周波数リソース情報、第１種類の密度情報、第１種類のサブキャリア情報、第１種類の帯域幅情報、第１種類の周期及び第１種類の時間オフセット情報を示す。
【００８８】
当然ながら、異なるシーケンス及び／又は占用されるリソースによって異なる設定情報を指示することは、異なるシーケンス及び／又は占用されるリソースによって異なるタイプの設定パラメータを指示することであってもよい。
【００８９】
例えば、第１種類のシーケンスで第１種類の時間周波数リソース情報を示し、第２種類のシーケンスで第１種類の時間周波数リソース情報及び第１種類の密度情報を示す。
【００９０】
任意選択で、本願の実施例において、当該同期用信号の設定情報は当該第１設定情報及び第２設定情報を含む。即ち、省電力化信号は同期用信号の一部の設定情報を携帯する。ここで、第２設定情報は同期用信号の設定情報のうち第１設定情報に含まれる設定情報のうち少なくとも一部を除く設定情報であってよい。
【００９１】
ここで、第２設定情報はネットワーク機器が他のシグナリング（例えば、上位層シグナリング）によって端末機器に送信してよく、この場合に、端末機器は第１設定情報及び第２設定情報に基づいて同期用信号を受信することができる。
【００９２】
又は、当該第２設定情報は予め端末機器に設定されてもよい。
【００９３】
なお、同期用信号の設定情報は一部が省電力化信号にベアラされ、もう一部が上位層シグナリングにベアラされ、さらにもう一部が予め端末機器に設定されてもよい。
【００９４】
２２０において、端末機器はネットワーク機器によって送信される当該省電力化信号を受信する。
【００９５】
２３０において、当該第１設定情報に基づいて、当該端末機器が当該同期用信号を受信する。
【００９６】
任意選択で、本願の実施例において、当該省電力化信号が当該端末機器のページングメッセージが存在することも指示する場合に、当該端末機器は当該第１設定情報に基づいて、当該同期用信号を受信する。
【００９７】
具体的には、省電力化信号は当該端末機器のページングメッセージが存在することも指示する場合に、端末機器は当該ページングメッセージを受信するために同期する必要があることを意味し、この場合に、端末機器は当該第１設定情報に基づいて、当該同期用信号を受信してよい。省電力化信号が当該端末機器のページングメッセージが存在しないことも指示する場合に、端末機器が同期する必要がないことを意味し、この場合に、端末機器は当該同期用信号を受信しなくてよい。当然ながら、省電力化信号が当該端末機器のページングメッセージが存在しないことも指示する場合にも、端末機器は当該第１設定情報に基づいて、同期用信号を受信して同期してもよい。
【００９８】
任意選択で、本願の実施例において、当該省電力化信号が当該端末機器がスリープ状態からアクティブ状態に切り替わることも指示する場合に、当該端末機器は当該第１設定情報に基づいて、当該同期用信号を受信する。
【００９９】
具体的には、省電力化信号が当該端末機器がスリープ状態からアクティブ状態に切り替わることも指示する場合に、端末機器は情報監視を行うために同期する必要があることを意味し、この場合に、端末機器は当該第１設定情報に基づいて、当該同期用信号を受信してよい。省電力化信号が当該端末機器がスリープ状態からアクティブ状態に切り替わる必要がないことも指示する場合に、端末機器が同期する必要がないことを意味し、この場合に、端末機器は当該同期用信号を受信しなくてよい。当然ながら、省電力化信号が当該端末機器がスリープ状態からアクティブ状態に切り替わる必要がないことを指示する場合にも、端末機器は当該第１設定情報に基づいて、同期用信号を受信して同期してもよい。
【０１００】
したがって、本願の実施例において、ネットワーク機器は同期用信号の第１設定情報を指示する省電力化信号を端末機器に送信すると、端末機器は当該省電力化信号に基づいて設定情報を取得して同期用信号を受信することができ、同期の効率が上がり、端末の消費電力が節約される。さらに、省電力化信号に基づいて同期用信号の設定情報を指示するという方式は、同期用信号のより動的な設定を実現でき、これにより、端末のチャネル条件、ネットワークの負荷状態等によりよくマッチングする。
【０１０１】
図３は、本願の実施例の無線通信方法３００のプロセスの概略図である。
【０１０２】
任意選択で、本願の実施例において、当該無線通信方法３００は当該端末機器のアイドル状態における時間周波数同期に用いる。なお、本願の実施例において、当該無線通信方法３００は当該端末機器の接続状態における時間周波数同期に用いてもよい。
【０１０３】
３１０において、ネットワーク機器は同期用信号が単一のタイムスロットで占用する複数の符号集合を指示する指示情報を端末機器に送信する。
【０１０４】
任意選択で、本願の実施例において、同期用信号は追跡参照信号（Ｔｒａｃｋｉｎｇ  Ｒｅｆｅｒｅｎｃｅ  Ｓｉｇｎａｌ、略称ＴＲＳ）又は拡張されたＴＲＳ（ｅｎｈａｎｃｅｄ  ＴＲＳ、略称ｅＴＲＳ）であってよい。当然ながら、当該同期用信号は他の信号、例えば、ＰＳＳ又はＳＳＳ等であってもよい。
【０１０５】
任意選択で、本願の実施例において、ｅＴＲＳはＴＲＳよりも多くのリソースを占用してよく、例えば、単一のタイムスロットで、ｅＴＲＳはＴＲＳよりも多くの符号又は符号集合等を占用している。
【０１０６】
例えば、当該無線通信方法が６ＧＨＺ以下の通信に用いる場合に、ＴＲＳは単一のタイムスロットで符号集合
【数５】
2021530887.tif 000007
のうち１つの符号集合を占用し、ｅＴＲＳは上記同符号集合のうち少なくとも２つの符号集合を占用する。
【０１０７】
もう一例として、当該無線通信方法が６ＧＨＺ以上の通信に用いる場合に、ＴＲＳは単一のタイムスロットで符号集合
【数６】
2021530887.tif 000008
のうち１つの符号集合を占用し、ｅＴＲＳは上記同符号集合のうち少なくとも２つの符号集合を占用する。
【０１０８】
本願の実施例において、ｅＴＲＳはＴＲＳよりも多くのタイムスロット又は周波数領域リソース等を占用してもよい。
【０１０９】
なお、本願の実施例において、ｅＴＲＳはＴＲＳ又は他の名称と呼ばれてもよく、本願の実施例でこれに関して具体的に限定しない。
【０１１０】
任意選択で、本願の実施例において、各符号集合は少なくとも２つの符号を含む。ネットワーク機器は符号集合のインデックスを端末機器に通知してよく、これにより、端末機器は当該インデックスに基づいて符号集合を決定できる。
【０１１１】
任意選択で、本願の実施例において、符号集合は１つ又は複数の符号集合グループに分割されてもよく、各グループは１つ又は複数の符号集合を含んでよく、グループによって、含まれる符号集合の数は同じであってもよいし、異なってもよく、グループ間では重なる符号集合があってもよいし、重なる符号集合がなくてもよい。
【０１１２】
当該第１設定情報に符合集合グループのインデックスが含まれてよく、端末機器は当該符号集合グループのインデックスに基づいて、同期用信号が占用する符号集合を決定してよい。
【０１１３】
任意選択で、本願の実施例において、当該無線通信方法が６ＧＨＺ以下の通信に用いる場合に、当該複数の符号集合は符号集合
【数７】
2021530887.tif 000009
のうち少なくとも２つを含む。
【０１１４】
任意選択で、本願の実施例において、当該無線通信方法が６ＧＨＺ以上の通信に用いる場合に、当該複数の符号集合は符号集合
【数８】
2021530887.tif 000010
のうち少なくとも２つを含む。
【０１１５】
任意選択で、本願の実施例において、当該指示情報は当該同期用信号が占用するタイムスロットの数も指示する。
【０１１６】
なお、本実施例の符号集合は上記の分割方式に限定されず、他の分割方式を採用してもよい。
【０１１７】
なお、各符号集合に含まれる符号の数は同じであってもよいし、異なってもよい。又は、符号集合間では重複する符合があってもよい。
【０１１８】
任意選択で、本願の実施例において、ネットワーク機器は端末機器に符号集合の分割方式を通知してよい。又は、符号集合の分割方式は予め端末機器に設定されてもよい。
【０１１９】
任意選択で、本願の実施例において、指示情報は同期用信号が占用するタイムスロットの数及び／又はインデックスも指示してよい。ここで、同期用信号が占用するタイムスロットは１つであってもよいし、複数であってもよい。各タイムスロット伝送に占用され得る符号は同じであってよく、具体的には上記の符号集合であってよい。
【０１２０】
又は、同期用信号が占用するタイムスロットの数及び／又はインデックスは他のシグナリングによって指示されてもよいし、予め端末機器に設定されてもよい。
【０１２１】
なお、当該指示情報は同期用信号の他の設定情報、例えば、密度情報、サブキャリア情報、帯域幅情報、送信周期、時間オフセット情報、及び時間位置情報のうち少なくとも１つを指示してもよく、その詳細な説明は方法２００の内容を参照することができ、簡素化のために説明が省略される。
【０１２２】
任意選択で、本願の実施例において、当該指示情報はブロードキャストメッセージ、無線リソース制御（ＲＲＣ）シグナリング又は省電力化信号にベアラされる。
【０１２３】
任意選択で、本願の実施例において、当該省電力化信号は当該端末機器に対するページングメッセージが存在するか否かを指示する。
【０１２４】
任意選択で、本願の実施例において、当該省電力化信号は当該端末機器がスリープ状態からアクティブ状態に切り替わるか否かを指示する。
【０１２５】
任意選択で、本願の実施例において、当該省電力化信号は当該端末機器のページングメッセージが存在することも指示する場合に、ネットワーク機器は当該省電力化信号によって当該指示情報をベアラする。
【０１２６】
具体的には、端末機器のページングメッセージが存在する場合に、端末機器はページングメッセージを受信するために同期する必要があることを意味し、ネットワーク機器は省電力化信号によって端末機器に当該指示情報を送信してよく、端末機器のページングメッセージが存在しない場合に、端末機器はページングメッセージを受信するために同期してなくてもよいことを意味し、ネットワーク機器は省電力化信号によって端末機器に当該指示情報を送信しなくてよい。この場合に、任意選択で、当該省電力化信号に当該指示情報が携帯されていない場合に、端末機器は同期する必要がないと判断してよい。
【０１２７】
任意選択で、本願の実施例において、当該省電力化信号は当該端末機器がスリープ状態からアクティブ状態に切り替わることも指示する場合に、ネットワーク機器は当該省電力化信号によって当該指示情報をベアラする。
【０１２８】
具体的には、端末機器が信号検出を行うためにスリープ状態からアクティブ状態に切り替わる必要がある場合に、端末機器は信号検出を行うために同期する必要があることを意味し、ネットワーク機器は省電力化信号によって端末機器に当該指示情報を送信してよく、端末機器がスリープ状態から状態に切り替わる必要がない場合に、端末機器は信号検出を行わなくてもよいことを意味し、ネットワーク機器は省電力化信号によって端末機器に当該指示情報を送信しなくてよい。この場合に、任意選択で、当該省電力化信号に当該指示情報が携帯されていない場合に、端末機器は同期する必要がないと判断してよい。
【０１２９】
当然ながら、本願の実施例において、省電力化信号が端末機器のページングメッセージが存在しないこと、又は端末機器がスリープ状態からアクティブ状態に切り替わる必要がないことを指示する場合にも、当該省電力化信号は当該指示情報を携帯してもよく、端末機器は当該指示情報を受信した後、当該指示情報に従って同期用信号を受信して同期してよく、又は端末機器は当該指示情報を受信した後、同期用信号を受信して同期しなくてもよい。
【０１３０】
任意選択で、本願の実施例において、省電力化信号は周期的に送信されてよく、各送信周期の省電力化信号はいずれも上記指示情報を携帯してよく、又は一部の送信周期の省電力化信号は上記指示情報を携帯してもよい。例えば、上記同期用信号の符号集合が頻繁に変更される必要がない場合に、一部の送信周期の省電力化信号に上記符号集合の指示情報を携帯することとしてよい。この場合に、省電力化信号に指示情報が携帯されていなくても、前の省電力化信号によって送信された指示情報に従って同期してよい。
【０１３１】
３２０において、端末機器はネットワーク機器によって送信される同期用信号が単一のタイムスロットで占用する複数の符号集合を指示する指示情報を受信する。
【０１３２】
３３０において、当該指示情報に基づいて、端末機器は当該同期用信号を受信する。
【０１３３】
任意選択で、本願の実施例において、当該省電力化信号は当該端末機器のページングメッセージが存在することも指示する場合に、当該端末機器は当該指示情報に基づいて、当該同期用信号を受信する。
【０１３４】
具体的には、省電力化信号が当該端末機器のページングメッセージが存在することも指示する場合に、端末機器は当該ページングメッセージを受信するために同期する必要があることを意味し、この場合に、端末機器は当該指示情報に基づいて、当該同期用信号を受信してよい。省電力化信号が当該端末機器のページングメッセージが存在しないことも指示する場合に、端末機器が同期する必要がないことを意味し、この場合に、端末機器は当該同期用信号を受信しなくてよい。当然ながら、省電力化信号が当該端末機器のページングメッセージが存在しないことも指示する場合にも、端末機器は当該指示情報に基づいて、同期用信号を受信して同期してもよい。
【０１３５】
任意選択で、本願の実施例において、当該省電力化信号が当該端末機器がスリープ状態からアクティブ状態に切り替わることも指示する場合に、当該端末機器は当該指示情報に基づいて、当該同期用信号を受信する。
【０１３６】
具体的には、省電力化信号が当該端末機器がスリープ状態からアクティブ状態に切り替わることも指示する場合に、端末機器は情報監視を行うために同期する必要があることを意味し、この場合に、端末機器は当該指示情報に基づいて、当該同期用信号を受信してよい。省電力化信号が当該端末機器がスリープ状態からアクティブ状態に切り替わる必要がないことも指示する場合に、端末機器が同期する必要がないことを意味し、この場合に、端末機器は当該同期用信号を受信しなくてよい。当然ながら、省電力化信号が当該端末機器がスリープ状態からアクティブ状態に切り替わる必要がないことを指示する場合にも、端末機器は当該指示情報に基づいて、同期用信号を受信して同期してもよい。
【０１３７】
したがって、本願の実施例において、ネットワーク機器は同期用信号が単一のタイムスロットで占用する複数の符号集合を指示する指示情報を端末機器に送信する。これにより、端末機器は単一のタイムスロットで複数の符号集合を占用して同期信号を受信することができ、同期の効率が上がる。
【０１３８】
図４は、本願の実施例に係る無線通信方法４００のプロセスの概略図である。
【０１３９】
任意選択で、本願の実施例において、当該無線通信方法２００は当該端末機器のアイドル状態における時間周波数同期に用いる。なお、本願の実施例において、当該無線通信方法２００は当該端末機器の接続状態における時間周波数同期に用いてもよい。
【０１４０】
４１０において、ネットワーク機器は追跡参照信号（ＴＲＳ）又は拡張された追跡参照信号（ｅＴＲＳ）の設定情報を指示するブロードキャストメッセージを端末機器に送信する。
【０１４１】
任意選択で、本願の実施例において、ｅＴＲＳはＴＲＳよりも多くのリソースを占用してよく、例えば、単一のタイムスロットで、ｅＴＲＳはＴＲＳよりも多くの符号又は符号集合等を占用している。
【０１４２】
例えば、当該無線通信方法が６ＧＨＺ以下の通信に用いる場合に、ＴＲＳは単一のタイムスロットで符号集合
【数９】
2021530887.tif 000011
のうち１つの符号集合を占用し、ｅＴＲＳは上記同符号集合のうち少なくとも２つの符号集合を占用する。
【０１４３】
もう一例として、当該無線通信方法が６ＧＨＺ以上の通信に用いる場合に、ＴＲＳは単一のタイムスロットで符号集合
【数１０】
2021530887.tif 000012
のうち１つの符号集合を占用し、ｅＴＲＳは上記同符号集合のうち少なくとも２つの符号集合を占用する。
【０１４４】
本願の実施例において、ｅＴＲＳはＴＲＳよりも多くのタイムスロット又は周波数領域リソース等を占用してもよい。
【０１４５】
なお、本願の実施例において、ｅＴＲＳはＴＲＳ又は他の名称と呼ばれてもよく、本願の実施例でこれに関して具体的に限定しない。
【０１４６】
任意選択で、本願の実施例において、当該設定情報は、
当該ＴＲＳ又はｅＴＲＳの時間領域リソース情報、密度情報、サブキャリア情報、帯域幅情報、送信周期、時間オフセット情報、及び時間位置情報のうち少なくとも１つを含む。
【０１４７】
任意選択で、本願の実施例において、当該ＴＲＳ又はｅＴＲＳの時間領域リソース情報は当該ＴＲＳ又はｅＴＲＳが単一のタイムスロットで占用する複数の符号集合を指示する。
【０１４８】
任意選択で、本願の実施例において、ネットワーク機器は符号集合のインデックスを端末機器に通知してよく、これにより、端末機器は当該インデックスに基づいて符号集合を決定できる。
【０１４９】
任意選択で、本願の実施例において、符号集合は１つ又は複数の符号集合グループに分割されてもよく、各グループは１つ又は複数の符号集合を含んでよく、グループによって、含まれる符号集合の数は同じであってもよいし、異なってもよく、グループ間では重なる符号集合があってもよいし、重なる符号集合がなくてもよい。
【０１５０】
当該設定情報に符合集合グループのインデックスが含まれてよく、端末機器は当該符号集合グループのインデックスに基づいて、同期用信号が占用する符号集合を決定してよい。
【０１５１】
任意選択で、本願の実施例において、当該無線通信方法が６ＧＨＺ以下の通信に用いる場合に、当該複数の符号集合は符号集合
【数１１】
2021530887.tif 000013
のうち少なくとも２つを含む。
【０１５２】
任意選択で、本願の実施例において、当該無線通信方法が６ＧＨＺ以上の通信に用いる場合に、当該複数の符号集合は符号集合
【数１２】
2021530887.tif 000014
のうち少なくとも２つを含む。
【０１５３】
ここで、上記のブロードキャストメッセージにおける設定情報の説明は方法２００の説明を参照することができ、簡素化のために説明が省略される。
【０１５４】
任意選択で、本願の実施例において、ブロードキャストメッセージはＴＲＳ又はｅＴＲＳの一部の設定情報を携帯してよく、他の一部の設定情報は、省電力化信号で送信、ＲＲＣシグナリングで送信又は予め端末機器に設定される等の方式のうち少なくとも２つで実現できる。
【０１５５】
４２０において、端末機器はネットワーク機器によって送信される当該ブロードキャストメッセージを受信する。
【０１５６】
４３０において、当該設定情報に基づいて、当該端末機器は当該ＴＲＳ又はｅＴＲＳを受信する。
【０１５７】
したがって、本願の実施例において、ネットワーク機器は追跡参照信号（ＴＲＳ）又は拡張された追跡参照信号（ｅＴＲＳ）の設定情報を指示するブロードキャストメッセージを端末機器に送信する。これにより、端末機器は当該ブロードキャストメッセージに基づいてＴＲＳ又はｅＴＲＳを受信することができ、なお、ブロードキャスト情報に基づいてＴＲＳ又はｅＴＲＳの設定情報を送信することは、設定情報の送信効率を上げることができる。
【０１５８】
図５は、本願の実施例に係る無線通信方法５００のプロセスの概略図である。当該方法５００は次の内容のうち少なくとも一部を含む。
【０１５９】
任意選択で、本願の実施例において、当該無線通信方法２００は当該端末機器のアイドル状態における時間周波数同期に用いる。なお、本願の実施例において、当該無線通信方法２００は当該端末機器の接続状態における時間周波数同期に用いてもよい。
【０１６０】
５１０において、ネットワーク機器は単一のタイムスロットで複数の符号集合を占用する同期用信号を端末機器に送信する。
【０１６１】
任意選択で、本願の実施例において、同期用信号は追跡参照信号（Ｔｒａｃｋｉｎｇ  Ｒｅｆｅｒｅｎｃｅ  Ｓｉｇｎａｌ、略称ＴＲＳ）又は拡張されたＴＲＳ（ｅｎｈａｎｃｅｄ  ＴＲＳ、略称ｅＴＲＳ）であってよい。当然ながら、当該同期用信号は他の信号、例えば、ＰＳＳ又はＳＳＳ等であってもよい。
【０１６２】
任意選択で、本願の実施例において、ｅＴＲＳはＴＲＳよりも多くのリソースを占用してよく、例えば、単一のタイムスロットで、ｅＴＲＳはＴＲＳよりも多くの符号又は符号集合等を占用している。
【０１６３】
例えば、当該無線通信方法が６ＧＨＺ以下の通信に用いる場合に、ＴＲＳは単一のタイムスロットで符号集合
【数１３】
2021530887.tif 000015
のうち１つの符号集合を占用し、ｅＴＲＳは上記同符号集合のうち少なくとも２つの符号集合を占用する。
【０１６４】
もう一例として、当該無線通信方法が６ＧＨＺ以上の通信に用いる場合に、ＴＲＳは単一のタイムスロットで符号集合
【数１４】
2021530887.tif 000016
のうち１つの符号集合を占用し、ｅＴＲＳは上記同符号集合のうち少なくとも２つの符号集合を占用する。
【０１６５】
本願の実施例において、ｅＴＲＳはＴＲＳよりも多くのタイムスロット又は周波数領域リソース等を占用してもよい。
【０１６６】
なお、本願の実施例において、ｅＴＲＳはＴＲＳ又は他の名称と呼ばれてもよく、本願の実施例でこれに関して具体的に限定しない。
【０１６７】
任意選択で、本願の実施例において、各符号集合は少なくとも２つの符号を含む。
【０１６８】
任意選択で、本願の実施例において、ネットワーク機器は符号集合のインデックスを端末機器に通知してよく、これにより、端末機器は当該インデックスに基づいて符号集合を決定できる。
【０１６９】
任意選択で、本願の実施例において、符号集合は１つ又は複数の符号集合グループに分割されてもよく、各グループは１つ又は複数の符号集合を含んでよく、グループによって、含まれる符号集合の数は同じであってもよいし、異なってもよく、グループ間では重なる符号集合があってもよいし、重なる符号集合がなくてもよい。
【０１７０】
ネットワーク機器が端末機器に送信する設定情報には符合集合グループのインデックスが含まれてよく、端末機器は当該符号集合グループのインデックスに基づいて、同期用信号が占用する符号集合を決定してよい。
【０１７１】
任意選択で、本願の実施例において、当該無線通信方法が６ＧＨＺ以下の通信に用いる場合に、当該複数の符号集合は符号集合
【数１５】
2021530887.tif 000017
のうち少なくとも２つを含む。
【０１７２】
任意選択で、本願の実施例において、当該無線通信方法が６ＧＨＺ以上の通信に用いる場合に、当該複数の符号集合は符号集合
【数１６】
2021530887.tif 000018
のうち少なくとも２つを含む。
【０１７３】
なお、本実施例の符号集合は上記の分割方式に限定されず、他の分割方式を採用してもよい。
【０１７４】
なお、各符号集合に含まれる符号の数は同じであってもよいし、異なってもよい。又は、符号集合間では重複する符合があってもよい。
【０１７５】
任意選択で、本願の実施例において、ネットワーク機器は端末機器に符号集合の分割方式を通知してよい。又は、符号集合の分割方式は予め端末機器に設定されてもよい。
【０１７６】
任意選択で、本願の実施例において、当該同期用信号は１つ又は複数のタイムスロットを占用してよい。
【０１７７】
各タイムスロットで伝送に使用され得る符号は同じであってよく、具体的には上記の符号集合であってよい。当然ながら、各タイムスロットで伝送に使用される符号は異なってもよい。
【０１７８】
任意選択で、本願の実施例において、ネットワーク機器は端末機器に当該同期用信号の設定情報を送信してよく、これにより、端末機器は当該設定情報を受信し、且つ当該設定情報に基づいて同期用信号を受信することができる。
【０１７９】
任意選択で、当該設定情報を指示する指示情報は省電力化信号、ＲＲＣシグナリング及び／又はブロードキャストメッセージにベアラされてよい。
【０１８０】
任意選択で、当該同期用信号の設定情報の送信方式及び／又は設定情報の内容については方法２００〜４００に関する上記の説明を参照することができ、簡素化のために説明が省略される。
【０１８１】
５２０において、端末機器はネットワーク機器によって送信される当該同期用信号を受信する。
【０１８２】
５３０において、受信された前記同期用信号に基づいて、前記端末機器は時間周波数同期を行う。
【０１８３】
したがって、本願の実施例において、ネットワーク機器が端末機器に送信する同期用信号は単一のタイムスロットで複数の符号集合を占用する。これにより、端末機器は単一のタイムスロットで複数の符号集合を占用して同期信号を受信することができ、同期の効率が上がる。
【０１８４】
なお、上記の各方法２００、３００、４００、５００及びその実施例は独立してそれぞれ説明されているが、各方法と実施例は組み合わせて用いることができ、各方法についての説明、例えば、省電力化信号についての解釈及び設定情報についての説明等は他の方法の説明にも適用できる。なお、特定の方法の説明が他の方法に適用される場合に、他の方法に当該１つの方法における当該説明に存在しなくてもよい特徴を追加するわけではない。したがって、簡素化のために、本願の実施例で各方法に共通する説明は省略される。
【０１８５】
なお、本願の実施例による方法は同期用信号に基づいて説明しているが、本願の実施例はこれに限定されるものではなく、本願の実施例による方法は参照信号（例えば、ＣＳＩ−ＲＳ）又はシステム情報の設定にも適用できる。例えば、当該参照信号又はシステム情報の設定情報は省電力化信号によって送信されてよく、具体的実現は上記の説明を参照することができ、簡素化のために説明が省略される。
【０１８６】
図６は、本願の実施例に係るネットワーク機器の概略的なブロック図である。図６に示すように、当該ネットワーク機器６００は通信ユニット６１０を含む。
【０１８７】
任意選択で、本願の実施例において、当該通信ユニット６１０は、
同期用信号の第１設定情報を指示する省電力化信号を端末機器に送信するように構成される。
【０１８８】
任意選択で、本願の実施例において、当該省電力化信号は当該端末機器に対するページングメッセージが存在するか否かも指示し、又は、
当該省電力化信号は当該端末機器がスリープ状態からアクティブ状態に切り替わるか否かも指示する。
【０１８９】
任意選択で、本願の実施例において、当該省電力化信号は当該端末機器のページングメッセージが存在することも指示する場合に、当該省電力化信号は当該第１設定情報を指示し、又は、
当該省電力化信号は当該端末機器がスリープ状態からアクティブ状態に切り替わることも指示する場合に、当該省電力化信号は当該第１設定情報を指示する。
【０１９０】
任意選択で、本願の実施例において、当該第１設定情報は、
当該同期用信号の時間領域リソース情報、密度情報、サブキャリア情報、帯域幅情報、送信周期、時間オフセット情報、及び時間位置情報のうち少なくとも１つを含む。
【０１９１】
任意選択で、本願の実施例において、当該同期用信号の時間領域リソース情報は当該同期用信号が単一のタイムスロットで占用する複数の符号集合及び／又は占用するタイムスロットを指示する。
【０１９２】
任意選択で、本願の実施例において、当該端末機器が６ＧＨＺ以下の通信に用いる場合に、当該複数の符号集合は符号集合
【数１７】
2021530887.tif 000019
のうち少なくとも２つの符号集合を含み、又は、
当該端末機器が６ＧＨＺ以上の通信に用いる場合に、当該複数の符号集合は符号集合
【数１８】
2021530887.tif 000020
のうち少なくとも２つの符号集合を含む。
【０１９３】
任意選択で、本願の実施例において、当該省電力化信号は含まれるシーケンス及び／又は占用されるリソースによって当該第１設定情報を指示する。
ここで、異なるシーケンス及び／又は占用されるリソースは当該同期用信号の異なる設定情報を指示する。
【０１９４】
任意選択で、本願の実施例において、当該同期用信号の設定情報は当該第１設定情報及び第２設定情報を含み、第２設定情報は当該同期用信号の設定情報のうち当該第１設定情報に含まれない全ての又は一部の設定情報を指示する。
当該通信ユニット６１０は、さらに、
当該第２設定情報を指示する上位層シグナリングを当該端末機器に送信するように構成される。
【０１９５】
任意選択で、本願の実施例において、当該同期用信号は当該端末機器のアイドル状態における時間周波数同期に用いる。
【０１９６】
当該ネットワーク機器６００は方法２００においてネットワーク機器によって実現される対応の動作を実現できる。簡素化のために説明が省略される。
【０１９７】
任意選択で、本願の実施例において、通信ユニット６１０は、
同期用信号が単一のタイムスロットで占用する複数の符号集合を指示する指示情報を端末機器に送信するように構成される。
【０１９８】
任意選択で、本願の実施例において、各符号集合は少なくとも２つの符号を含む。
【０１９９】
任意選択で、本願の実施例において、当該端末機器が６ＧＨＺ以下の通信に用いる場合に、当該複数の符号集合は符号集合
【数１９】
2021530887.tif 000021
のうち少なくとも２つの符号集合を含み、又は、
当該端末機器が６ＧＨＺ以上の通信に用いる場合に、当該複数の符号集合は符号集合
【数２０】
2021530887.tif 000022
のうち少なくとも２つの符号集合を含む。
【０２００】
任意選択で、本願の実施例において、当該指示情報は当該同期用信号が占用するタイムスロットも指示する。
【０２０１】
任意選択で、本願の実施例において、当該指示情報はブロードキャストメッセージ、無線リソース制御（ＲＲＣ）シグナリング又は省電力化信号にベアラされる。
【０２０２】
任意選択で、本願の実施例において、当該省電力化信号は当該端末機器に対するページングメッセージが存在するか否かを指示し、又は、
当該省電力化信号は当該端末機器がスリープ状態からアクティブ状態に切り替わるか否かを指示する。
【０２０３】
任意選択で、本願の実施例において、当該同期用信号は当該端末機器のアイドル状態における時間周波数同期に用いる。
【０２０４】
当該ネットワーク機器６００は方法３００においてネットワーク機器によって実現される対応の動作を実現できる。簡素化のために説明が省略される。
【０２０５】
任意選択で、本願の実施例において、通信ユニット６１０は、
追跡参照信号（ＴＲＳ）又は拡張された追跡参照信号（ｅＴＲＳ）の設定情報を指示するブロードキャストメッセージを端末機器に送信するように構成される。
【０２０６】
任意選択で、本願の実施例において、当該設定情報は、
当該ＴＲＳ又はｅＴＲＳの時間領域リソース情報、密度情報、サブキャリア情報、帯域幅情報、送信周期、時間オフセット情報、及び時間位置情報のうち少なくとも１つを含む。
【０２０７】
任意選択で、本願の実施例において、当該ＴＲＳ又はｅＴＲＳの時間領域リソース情報は当該ＴＲＳ又はｅＴＲＳが単一のタイムスロットで占用する符号集合及び／又はタイムスロットを指示する。
【０２０８】
任意選択で、本願の実施例において、当該同期用信号は当該端末機器のアイドル状態における時間周波数同期に用いる。
【０２０９】
当該ネットワーク機器６００は方法４００においてネットワーク機器によって実現される対応の動作を実現できる。簡素化のために説明が省略される。
【０２１０】
任意選択で、本願の実施例において、通信ユニット６１０は、
単一のタイムスロットにおいて複数の符号集合を占用する同期用信号を端末機器に送信するように構成される。
【０２１１】
任意選択で、本願の実施例において、各符号集合は少なくとも２つの符号を含む。
【０２１２】
任意選択で、本願の実施例において、当該端末機器が６ＧＨＺ以下の通信に用いる場合に、当該複数の符号集合は符号集合
【数２１】
2021530887.tif 000023
のうち少なくとも２つの符号集合を含み、又は、
当該端末機器が６ＧＨＺ以上の通信に用いる場合に、当該複数の符号集合は符号集合
【数２２】
2021530887.tif 000024
のうち少なくとも２つの符号集合を含む。
【０２１３】
任意選択で、本願の実施例において、当該同期用信号は１つ又は複数のタイムスロットを占用する。
【０２１４】
任意選択で、本願の実施例において、当該通信ユニット６１０は、さらに、
当該同期用信号の設定情報を指示する指示情報を当該端末機器に送信するように構成される。
【０２１５】
任意選択で、本願の実施例において、当該第１設定情報は、
当該同期用信号の時間領域リソース情報、密度情報、サブキャリア情報、帯域幅情報、送信周期、時間オフセット情報、及び時間位置情報のうち少なくとも１つを含む。
【０２１６】
任意選択で、本願の実施例において、当該同期用信号の時間領域リソース情報は当該同期用信号が単一のタイムスロットにおいて占用する当該複数の符号集合及び／又は占用するタイムスロットを指示する。
【０２１７】
任意選択で、本願の実施例において、当該指示情報は省電力化信号、無線リソース制御（ＲＲＣ）シグナリング又はブロードキャストメッセージにベアラされる。
【０２１８】
任意選択で、本願の実施例において、当該省電力化信号は当該端末機器に対するページングメッセージが存在するか否かを指示し、又は、
当該省電力化信号は当該端末機器がスリープ状態からアクティブ状態に切り替わるか否かを指示する。
【０２１９】
任意選択で、本願の実施例において、当該同期用信号は当該端末機器のアイドル状態における時間周波数同期に用いる。
【０２２０】
当該ネットワーク機器６００は方法５００においてネットワーク機器によって実現される対応の動作を実現できる。簡素化のために説明が省略される。
【０２２１】
図７は、本願の実施例に係る端末機器の概略的なブロック図である。当該端末機器７００は通信ユニット７１０を含む。
【０２２２】
任意選択で、本願の実施例において、通信ユニット７１０は、
ネットワーク機器によって送信される同期用信号の第１設定情報を指示する省電力化信号を受信し、
当該第１設定情報に基づいて、当該同期用信号を受信するように構成される。
【０２２３】
任意選択で、本願の実施例において、当該省電力化信号は当該端末機器に対するページングメッセージが存在するか否かも指示し、又は、
当該省電力化信号は当該端末機器がスリープ状態からアクティブ状態に切り替わるか否かも指示する。
【０２２４】
任意選択で、本願の実施例において、当該通信ユニット７１０は、さらに、
当該省電力化信号が当該端末機器のページングメッセージが存在することも指示する場合に、当該端末機器は当該第１設定情報に基づいて、当該同期用信号を受信し、又は、
当該省電力化信号が当該端末機器がスリープ状態からアクティブ状態に切り替わることも指示する場合に、当該端末機器は当該第１設定情報に基づいて、当該同期用信号を受信するように構成される。
【０２２５】
任意選択で、本願の実施例において、当該第１設定情報は、
当該同期用信号の時間領域リソース情報、密度情報、サブキャリア情報、帯域幅情報、送信周期、時間オフセット情報、及び時間位置情報のうち少なくとも１つを含む。
【０２２６】
任意選択で、本願の実施例において、当該同期用信号の時間領域リソース情報は当該同期用信号が単一のタイムスロットで占用する複数の符号集合及び／又はタイムスロットを指示する。
【０２２７】
任意選択で、本願の実施例において、当該端末機器が６ＧＨＺ以下の通信に用いる場合に、当該複数の符号集合は符号集合
【数２３】
2021530887.tif 000025
のうち少なくとも２つの符号集合を含み、又は、
当該端末機器が６ＧＨＺ以上の通信に用いる場合に、当該複数の符号集合は符号集合
【数２４】
2021530887.tif 000026
のうち少なくとも２つの符号集合を含む。
【０２２８】
任意選択で、本願の実施例において、当該省電力化信号は含まれるシーケンス及び／又は占用されるリソースによって当該第１設定情報を指示する。
ここで、異なるシーケンス及び／又は占用されるリソースは当該同期用信号の異なる設定情報を指示する。
【０２２９】
任意選択で、本願の実施例において、当該同期用信号の設定は当該第１設定情報及び第２設定情報を含み、第２設定情報は当該同期用信号の設定情報のうち当該第１設定情報に含まれない全ての又は一部の設定情報を指示する。
当該通信ユニット７１０は、さらに、
当該ネットワーク機器の、当該第２設定情報を指示する上位層シグナリングを受信し、
当該第１設定情報及び当該第２設定情報に基づいて、当該同期用信号を受信するように構成される。
【０２３０】
任意選択で、本願の実施例において、当該同期用信号は当該端末機器のアイドル状態における時間周波数同期に用いる。
【０２３１】
当該端末機器７００は方法２００において端末機器によって実現される対応の動作を実現できる。簡素化のために説明が省略される。
【０２３２】
任意選択で、本願の実施例において、通信ユニット７１０は、
ネットワーク機器によって送信される同期用信号が単一のタイムスロットで占用する複数の符号集合を指示する指示情報を受信し、
当該指示情報に基づいて、当該同期用信号を受信するように構成される。
【０２３３】
任意選択で、本願の実施例において、各符号集合は少なくとも２つの符号を含む。
【０２３４】
任意選択で、本願の実施例において、当該端末機器が６ＧＨＺ以下の通信に用いる場合に、当該複数の符号集合は符号集合
【数２５】
2021530887.tif 000027
のうち少なくとも２つの符号集合を含み、又は、
当該端末機器が６ＧＨＺ以上の通信に用いる場合に、当該複数の符号集合は符号集合
【数２６】
2021530887.tif 000028
のうち少なくとも２つの符号集合を含む。
【０２３５】
任意選択で、本願の実施例において、当該指示情報は当該同期用信号が占用するタイムスロットも指示する。
【０２３６】
任意選択で、本願の実施例において、当該指示情報はブロードキャストメッセージ、無線リソース制御（ＲＲＣ）シグナリング又は省電力化信号にベアラされる。
【０２３７】
任意選択で、本願の実施例において、当該省電力化信号は当該端末機器に対するページングメッセージが存在するか否かを指示し、又は、
当該省電力化信号は当該端末機器がスリープ状態からアクティブ状態に切り替わるか否かを指示する。
【０２３８】
任意選択で、本願の実施例において、当該同期用信号は当該端末機器のアイドル状態における時間周波数同期に用いる。
【０２３９】
当該端末機器７００は方法３００において端末機器によって実現される対応の動作を実現できる。簡素化のために説明が省略される。
【０２４０】
任意選択で、本願の実施例において、通信ユニット７１０は、
ネットワーク機器によって送信される追跡参照信号（ＴＲＳ）又は拡張された追跡参照信号（ｅＴＲＳ）の設定情報を指示するブロードキャストメッセージを受信し、
当該設定情報に基づいて、当該ＴＲＳ又はｅＴＲＳを受信するように構成される。
【０２４１】
任意選択で、本願の実施例において、当該設定情報は、
当該ＴＲＳ又はｅＴＲＳの時間領域リソース情報、密度情報、サブキャリア情報、帯域幅情報、送信周期、時間オフセット情報、及び時間位置情報のうち少なくとも１つを含む。
【０２４２】
任意選択で、本願の実施例において、当該ＴＲＳ又はｅＴＲＳの時間領域リソース情報は当該ＴＲＳ又はｅＴＲＳが単一のタイムスロットで占用する複数の符号集合を指示する。
【０２４３】
任意選択で、本願の実施例において、当該端末機器が６ＧＨＺ以下の通信に用いる場合に、当該複数の符号集合は符号集合
【数２７】
2021530887.tif 000029
のうち少なくとも２つの符号集合を含み、又は、
当該端末機器が６ＧＨＺ以上の通信に用いる場合に、当該複数の符号集合は符号集合
【数２８】
2021530887.tif 000030
のうち少なくとも２つの符号集合を含む。
【０２４４】
任意選択で、本願の実施例において、当該同期用信号は当該端末機器のアイドル状態における時間周波数同期に用いる。
【０２４５】
当該端末機器７００は方法４００において端末機器によって実現される対応の動作を実現できる。簡素化のために説明が省略される。
【０２４６】
図８は、本願の実施例に係る端末機器８００の概略的なブロック図である。当該端末機器８００は通信ユニット８１０と、処理ユニット８２０とを含む。
当該通信ユニット８１０は、ネットワーク機器によって送信される単一のタイムスロットにおいて複数の符号集合を占用する同期用信号を受信するように構成される。
当該処理ユニット８２０は、受信された当該同期用信号に基づいて、時間周波数同期を行うように構成される。
【０２４７】
任意選択で、本願の実施例において、各符号集合は少なくとも２つの符号を含む。
【０２４８】
任意選択で、本願の実施例において、当該端末機器が６ＧＨＺ以下の通信に用いる場合に、当該複数の符号集合は符号集合
【数２９】
2021530887.tif 000031
のうち少なくとも２つの符号集合を含み、又は、
当該端末機器が６ＧＨＺ以上の通信に用いる場合に、当該複数の符号集合は符号集合
【数３０】
2021530887.tif 000032
のうち少なくとも２つの符号集合を含む。
【０２４９】
任意選択で、本願の実施例において、当該同期用信号は１つ又は複数のタイムスロットを占用する。
【０２５０】
任意選択で、本願の実施例において、当該通信ユニット８１０は、さらに、
当該ネットワーク機器によって送信される当該同期用信号の設定情報を指示する指示情報を受信し、
当該指示情報に基づいて、ネットワーク機器によって送信される同期用信号を受信するように構成される。
【０２５１】
任意選択で、本願の実施例において、当該指示情報は省電力化信号、無線リソース制御（ＲＲＣ）シグナリング又はブロードキャストメッセージにベアラされる。
【０２５２】
任意選択で、本願の実施例において、当該省電力化信号は当該端末機器に対するページングメッセージが存在するか否かを指示し、又は、
当該省電力化信号は当該端末機器がスリープ状態からアクティブ状態に切り替わるか否かを指示する。
【０２５３】
任意選択で、本願の実施例において、当該同期用信号は当該端末機器のアイドル状態における時間周波数同期に用いる。
【０２５４】
当該端末機器８００は方法５００において端末機器によって実現される対応の動作を実現できる。簡素化のために説明が省略される。
【０２５５】
図９は、本願の実施例に係る通信機器９００の概略的な構造図である。図９に示す通信機器９００はプロセッサ９１０を含み、プロセッサ９１０はメモリからコンピュータプログラムを呼び出して動作させることにより、本願の実施例の方法を実現できる。
【０２５６】
任意選択で、図９に示すように、通信機器９００はさらにメモリ９２０を含んでよもよい。プロセッサ９１０はメモリ９２０からコンピュータプログラムを呼び出して動作させることにより、本願の実施例の方法を実現できる。
【０２５７】
ここで、メモリ９２０はプロセッサ９１０から独立した単独な部品であってもよいし、プロセッサ９１０に集積されてもよい。
【０２５８】
任意選択で、図９に示すように、通信機器９００はさらに送受信機９３０を含んでもよく、プロセッサ９１０は当該送受信機９３０が他の機器と通信するように制御でき、具体的には、他の機器に情報又はデータを送信することであってもよいし、他の機器によって送信される情報又はデータを受信することであってもよい。
【０２５９】
ここで、送受信機９３０は送信機及び受信機を含んでよい。送受信機９３０はさらにアンテナを含んでもよく、アンテナの数は１つであってもよいし、複数であってもよい。
【０２６０】
任意選択で、当該通信機器９００は、具体的には本願の実施例のネットワーク機器であってよく、且つ、当該通信機器９００は本願の実施例の各方法においてネットワーク機器によって実現される対応のプロセスを実現でき、簡素化のために説明が省略される。
【０２６１】
任意選択で、当該通信機器９００は、具体的には本願の実施例の移動端末／端末機器であってよく、且つ、当該通信機器９００は本願の実施例の各方法において移動端末／端末機器によって実現される対応のプロセスを実現でき、簡素化のために説明が省略される。
【０２６２】
図１０は、本願の実施例に係るチップの概略的な構造図である。図１０に示すチップ１０００はプロセッサ１０１０を含み、プロセッサ１０１０はメモリからコンピュータプログラムを呼び出して動作させることにより、本願の実施例の方法を実現できる。
【０２６３】
任意選択で、図１０に示すように、チップ１０００はさらにメモリ１０２０を含んでもよい。プロセッサ１０１０はメモリ１０２０からコンピュータプログラムを呼び出して動作させることにより、本願の実施例の方法を実現できる。
【０２６４】
ここで、メモリ１０２０はプロセッサ１０１０から独立した単独な部品であってもよいし、プロセッサ１０１０に集積されてもよい。
【０２６５】
任意選択で、当該チップ１０００はさらに入力インタフェース１０３０を含んでもよい。プロセッサ１０１０は当該入力インタフェース１０３０が他の機器又はチップと通信を行うように制御でき、具体的には、他の機器又はチップによって送信される情報又はデータを取得することであってもよい。
【０２６６】
任意選択で、当該チップ１０００はさらに出力インタフェース１０４０を含んでもよい。プロセッサ１０１０は当該出力インタフェース１０４０が他の機器又はチップと通信を行うように制御でき、具体的には、他の機器又はチップに情報又はデータを出力することであってもよい。
【０２６７】
任意選択で、当該チップは本願の実施例に係るネットワーク機器に適用されてよく、且つ当該チップは本願の実施例の各方法においてネットワーク機器によって実現される対応のプロセスを実現でき、簡素化のために説明が省略される。
【０２６８】
任意選択で、当該チップは本願の実施例に係る移動端末／端末機器に適用されてよく、且つ当該チップは本願の実施例の各方法において移動端末／端末機器によって実現される対応のプロセスを実現でき、簡素化のために説明が省略される。
【０２６９】
なお、本願の実施例に係る上記チップは、システムレベルチップ、システムチップ、チップシステム、システムオンチップ等とも呼ばれてよい。
【０２７０】
図１１は、本願の実施例に係る通信システム１１００の概略的なブロック図である。図９に示すように、当該通信システム１１００は端末機器１１１０及びネットワーク機器１１２０を含む。
【０２７１】
ここで、当該端末機器１１１０は上記方法で端末機器によって実現される対応の機能を実現するように構成されてよく、当該ネットワーク機器１１２０は上記方法でネットワーク機器によって実現される対応の機能を実現するように構成されてよく、簡素化のために説明が省略される。
【０２７２】
なお、本願の実施例でプロセッサは、信号処理能力を有する集積回路チップであり得る。実現プロセスにおいて、上記の方法の実施例の各ステップはプロセッサ内のハードウェアである集積論理回路又はソフトウェアの形態の命令によって完了できる。当該プロセッサは、汎用プロセッサ、デジタル信号プロセッサ（Ｄｉｇｉｔａｌ  Ｓｉｇｎａｌ  Ｐｒｏｃｅｓｓｏｒ、略称ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略称ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、略称ＦＰＧＡ）、又は他のプログラマブルロジックデバイス、ディスクリートトランジスタもしくはトランジスタ論理部品、ディスクリートハードウェア部品であってもよい。本願の実施例で開示される各方法、ステップ及び論理ブロック図を実施又は実行することができる。汎用プロセッサはマイクロプロセッサであってもよいし、又は当該プロセッサは任意の通常のプロセッサ等であってもよい。本願の実施例で開示される方法のステップは、ハードウェアであるデコードプロセッサで実行して完了されてもよいし、デコードプロセッサ内のハードウェアとソフトウェアモジュールの組み合わせが実行して完了されてもよい。ソフトウェアモジュールは、ランダムアクセスメモリ、フラッシュメモリ、読み出し専用メモリ、プログラマブル読み出し専用メモリ、又は電気的消去可能でプログラマブルメモリ、レジスタ等の当該分野の定着している技術としての記憶媒体に配置されてもよい。当該記憶媒体はメモリに配置され、プロセッサはメモリ内の情報を読み取り、そのハードウェアを用いて上記方法のステップを行う。
【０２７３】
なお、本願の実施例に係るメモリは、揮発性メモリもしくは不揮発性メモリであるか、又は揮発性メモリと不揮発性メモリの両方を含んでよい。ただし、不揮発性メモリは、読み出し専用メモリ（Ｒｅａｄ−Ｏｎｌｙ  Ｍｅｍｏｒｙ、略称ＲＯＭ）、プログラマブルな読み出し専用メモリ（Ｐｒｏｇｒａｍｍａｂｌｅ  ＲＯＭ、略称ＰＲＯＭ）、消去可能でプログラマブルな読み出し専用メモリ（Ｅｒａｓａｂｌｅ  ＰＲＯＭ、略称ＥＰＲＯＭ）、電気的消去可能でプログラマブルな読み出し専用メモリ（Ｅｌｅｃｔｒｉｃａｌｌｙ  ＥＰＲＯＭ、略称ＥＥＰＲＯＭ）、又はフラッシュメモリであってもよい。揮発性メモリは、外部キャッシュとして用いるランダムアクセスメモリ（Ｒａｎｄｏｍ  Ａｃｃｅｓｓ  Ｍｅｍｏｒｙ、略称ＲＡＭ）であってよい。限定するのではなく例示的なものとして、様々な形態のＲＡＭ、例えばスタティックランダムアクセスメモリ（Ｓｔａｔｉｃ  ＲＡＭ、略称ＳＲＡＭ）、ダイナミックランダムアクセスメモリ（Ｄｙｎａｍｉｃ  ＲＡＭ、略称ＤＲＡＭ）、同期ダイナミックランダムアクセスメモリ（Ｓｙｎｃｈｒｏｎｏｕｓ  ＤＲＡＭ、略称ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、略称ＤＤＲ  ＳＤＲＡＭ）、拡張型同期ダイナミックランダムアクセスメモリ（Ｅｎｈａｎｃｅｄ  ＳＤＲＡＭ、略称ＥＳＤＲＡＭ）、同期リンクダイナミックランダムアクセスメモリ（Ｓｙｎｃｈｌｉｎｋ  ＤＲＡＭ、略称ＳＬＤＲＡＭ）、ダイレクトラムバスランダムアクセスメモリ（Ｄｉｒｅｃｔ  Ｒａｍｂｕｓ  ＲＡＭ、略称ＤＲ  ＲＡＭ）を使用できる。なお、本明細書で説明されるシステム及び方法に係るメモリは、上記のメモリ及び任意の他の適切なタイプのメモリを含むが、これらに限定されるものではない。
【０２７４】
なお、上記のメモリは例示的なもので限定するものではなく、例えば、本願の実施例に係るメモリはスタティックランダムアクセスメモリ（ｓｔａｔｉｃ  ＲＡＭ、略称ＳＲＡＭ）、ダイナミックランダムアクセスメモリ（ｄｙｎａｍｉｃ  ＲＡＭ、略称ＤＲＡＭ）、同期ダイナミックランダムアクセスメモリ（ｓｙｎｃｈｒｏｎｏｕｓ  ＤＲＡＭ、略称ＳＤＲＡＭ）、ダブルデータレート同期ダイナミックランダムアクセスメモリ（ｄｏｕｂｌｅ  ｄａｔａ  ｒａｔｅ  ＳＤＲＡＭ、略称ＤＤＲ  ＳＤＲＡＭ）、拡張型同期ダイナミックランダムアクセスメモリ（ｅｎｈａｎｃｅｄ  ＳＤＲＡＭ、略称ＥＳＤＲＡＭ）、同期リンクダイナミックランダムアクセスメモリ（ｓｙｎｃｈ  ｌｉｎｋ  ＤＲＡＭ、略称ＳＬＤＲＡＭ）、ダイレクトラムバスランダムアクセスメモリ（Ｄｉｒｅｃｔ  Ｒａｍｂｕｓ  ＲＡＭ、略称ＤＲ  ＲＡＭ）等であってよもよい。即ち、本願の実施例に係るメモリは、上記のメモリ及び任意の他の適切なタイプのメモリを含むが、これらに限定されるものではない。
【０２７５】
本願の実施例によれば、さらに、コンピュータプログラムを記憶するように構成されるコンピュータ可読記憶媒体が提供される。
【０２７６】
任意選択で、当該コンピュータ可読記憶媒体は本願の実施例に係るネットワーク機器に適用されてよく、且つ、当該コンピュータプログラムによってコンピュータは本願の実施例の各方法でネットワーク機器によって実現される対応のプロセスを実行し、簡素化のために説明が省略される。
【０２７７】
任意選択で、当該コンピュータ可読記憶媒体は本願の実施例に係る移動端末／端末機器に適用されてよく、且つ、当該コンピュータプログラムによってコンピュータは本願の実施例の各方法で移動端末／端末機器によって実現される対応のプロセスを実行し、簡素化のために説明が省略される。
【０２７８】
本願の実施例によれば、さらに、コンピュータプログラム命令を含むコンピュータプログラム製品が提供される。
【０２７９】
任意選択で、当該コンピュータプログラム製品は本願の実施例に係るネットワーク機器に適用されてよく、且つ、当該コンピュータプログラム命令によってコンピュータは本願の実施例の各方法でネットワーク機器によって実現される対応のプロセスを実行し、簡素化のために説明が省略される。
【０２８０】
任意選択で、当該コンピュータプログラム製品は本願の実施例に係る移動端末／端末機器に適用されてよく、且つ、当該コンピュータプログラム命令によってコンピュータは本願の実施例の各方法で移動端末／端末機器によって実現される対応のプロセスを実行し、簡素化のために説明が省略される。
【０２８１】
本願の実施例によれば、さらに、コンピュータプログラムが提供される。
【０２８２】
任意選択で、当該コンピュータプログラムは本願の実施例に係るネットワーク機器に適用されてよく、当該コンピュータプログラムがコンピュータにおいて動作させられる時、コンピュータは本願の実施例の各方法でネットワーク機器によって実現される対応のプロセスを実行し、簡素化のために説明が省略される。
【０２８３】
任意選択で、当該コンピュータプログラムは本願の実施例に係る移動端末／端末機器に適用されてよく、当該コンピュータプログラムがコンピュータにおいて動作させられる時、コンピュータは本願の実施例の各方法で移動端末／端末機器によって実現される対応のプロセスを実行し、簡素化のために説明が省略される。
【０２８４】
当業者にとって自明なことであるが、本明細書で開示される実施例で説明される各例示的なユニット、アルゴリズム及びステップは、電子ハードウェア、又は電子ハードウェアとコンピュータソフトウェアの組み合わせにより実現できる。これらの機能はハードウェアにおいて実行されるかソフトウェアとして実行されるかは、技術的解決手段の特定の用途及び設計上の制限条件によって決定される。当業者であれば、特定の用途ごとに異なる方法を用いて説明される機能を実現できるが、このような実現は本願の範囲を超えるものと見なされない。
【０２８５】
当業者にとって自明なことであるが、上記のとおりに説明されるシステム、装置及びユニットの動作プロセスの詳細は、上記方法の実施例における対応のプロセスを参照することができ、説明の便宜上及び簡素化の観点から、ここで説明は省略される。
【０２８６】
なお、本願に係るいくつかの実施例で開示されるシステム、装置及び方法は、他の形態によって実現できる。例えば、上記のとおりに説明される装置の実施例は、例示的なものに過ぎず、例えば、上記に記載のとおり各ユニットを設定しているが、これは論理的な機能区分に過ぎず、実現の際に別の方式での設定も可能である。例えば、複数のユニット又は部品を組み合わせるか、別のシステムに集積されるか、又はいくつかの特徴を反映せず、実行しなくてもよい。また、上記のとおりに記載又は説明されている要素間の接続、直接的な接続又は通信可能な接続は、いくつかのインタフェース、装置又はユニットを介した間接的なカップリング又は通信可能な接続であってもよく、電気的な形式であってもよいし、機械的な形式又は他の形式であってもよい。
【０２８７】
分離されている部品として説明される前記各ユニットは、物理的に分離されてもよいしそうでなくてもよい。ユニットとして表示される各部品は、物理的なユニットであってもよいし、そうでなくてもよい。即ち、同一の場所に配置されてもよいし、複数のネットワークユニットに分散されてもよい。実際の状況に応じて、その一部のユニットを選択するか、又は全てのユニットを用いて対応する本実施例の目的を達成することができる。
【０２８８】
また、本願の各実施例において、各機能ユニットは１つのユニットに集積されてもよいし、又は各ユニットは物理的な構造として単独に存在してもよいし、又は２つ以上のユニットが１つのユニットに集積されてもよい。
【０２８９】
上記の各機能は、ソフトウェア機能ユニットの形式で実現され、且つ、独立する製品として販売又は使用される場合には、コンピュータ可読記憶媒体に記憶されてよい。このような理解を踏まえれば、本願の技術的解決手段の趣旨、言い換えれば従来の技術にとって貢献がある部分、又は当該技術的解決手段の一部は、ソフトウェア製品の形式で表現されてよい。当該コンピュータソフトウェア製品は、記憶媒体に記憶され、コンピュータ機器（パソコン、サーバ、又はネットワーク機器等）が本願の各実施例に記載の方法の全てのステップ又はその一部を実行するためのいくつかの命令を含む。前記記憶媒体は、ＵＳＢメモリ、モバイルハードディスク、読み出し専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスク又は光ディスク等のプロクラムコードを記憶できる各種の媒体を含む。
【０２９０】
上述した内容は、本願の具体的な実施形態に過ぎず、これをもって本願の保護範囲が限定されるものではない。当業者が本願で開示される技術範囲において容易に想到し得る変更、置換などは、いずれも本願の保護範囲に含まれるすべきである。したがって、本願の保護範囲は特許請求の範囲の内容に準拠する。
【図１】
2021530887.tif 000047
【図２】
2021530887.tif 000048
【図３】
2021530887.tif 000049
【図４】
2021530887.tif 000050
【図５】
2021530887.tif 000051
【図６】
2021530887.tif 000052
【図７】
2021530887.tif 000053
【図８】
2021530887.tif 000054
【図９】
2021530887.tif 000055
【図１０】
2021530887.tif 000056
【図１１】
2021530887.tif 000057
【手続補正書】
【提出日】令和3年5月12日(2021.5.12)
【手続補正１】
【補正対象書類名】特許請求の範囲
【補正対象項目名】全文
【補正方法】変更
【補正の内容】
【特許請求の範囲】
【請求項１】
端末機器がネットワーク機器によって送信される同期用信号の第１設定情報を指示する省電力化信号を受信することと、
前記第１設定情報に基づいて、前記端末機器が前記同期用信号を受信することとを含むことを特徴とする無線通信方法。
【請求項２】
前記省電力化信号は前記端末機器に対するページングメッセージが存在するか否かも指示し、又は、
前記省電力化信号は前記端末機器がスリープ状態からアクティブ状態に切り替わるか否かも指示することを特徴とする請求項１に記載の方法。
【請求項３】
前記第１設定情報に基づいて、前記端末機器が前記同期用信号を受信することは、
前記省電力化信号が前記端末機器のページングメッセージが存在することも指示する場合に、前記端末機器が前記第１設定情報に基づいて、前記同期用信号を受信すること、又は、
前記省電力化信号が前記端末機器がスリープ状態からアクティブ状態に切り替わることも指示する場合に、前記端末機器が前記第１設定情報に基づいて、前記同期用信号を受信することを含むことを特徴とする請求項１又は２に記載の方法。
【請求項４】
前記第１設定情報は、前記同期用信号の時間領域リソース情報、密度情報、サブキャリア情報、帯域幅情報、送信周期、時間オフセット情報、及び時間位置情報のうち少なくとも１つを含むことを特徴とする請求項１〜３のいずれか１項に記載の方法。
【請求項５】
前記同期用信号の時間領域リソース情報は前記同期用信号が単一のタイムスロットで占用する複数の符号集合及び／又は前記同期用信号が占有するタイムスロットを指示することを特徴とする請求項４に記載の方法。
【請求項６】
前記無線通信方法が６ＧＨＺ以下の通信に用いる場合に、前記複数の符号集合は符号集合
【数１】
2021530887.tif 000058
のうち少なくとも２つの符号集合を含み、又は、
前記無線通信方法が６ＧＨＺ以上の通信に用いる場合に、前記複数の符号集合は符号集合
【数２】
2021530887.tif 000059
のうち少なくとも２つの符号集合を含むことを特徴とする請求項５に記載の方法。
【請求項７】
前記省電力化信号は含まれるシーケンス及び／又は占用されるリソースによって前記第１設定情報を指示し、
異なるシーケンス及び／又は占用されるリソースは前記同期用信号の異なる設定情報を指示することを特徴とする請求項１〜６のいずれか１項に記載の方法。
【請求項８】
前記同期用信号の設定情報は前記第１設定情報及び第２設定情報を含み、第２設定情報は前記同期用信号の設定情報のうち前記第１設定情報に含まれない全ての又は一部の設定情報を指示し、
前記方法は、さらに、前記端末機器が前記ネットワーク機器の、前記第２設定情報を指示する上位層シグナリングを受信することを含み、
前記第１設定情報に基づいて、前記端末機器が前記同期用信号を受信することは、
前記第１設定情報及び前記第２設定情報に基づいて、前記端末機器が前記同期用信号を受信することを含むことを特徴とする請求項１〜７のいずれか１項に記載の方法。
【請求項９】
前記無線通信方法は前記端末機器のアイドル状態における時間周波数同期に用いることを特徴とする請求項１〜８のいずれか１項に記載の方法。
【請求項１０】
ネットワーク機器によって送信される同期用信号の第１設定情報を指示する省電力化信号を受信し、前記第１設定情報に基づいて、前記同期用信号を受信するように構成される通信ユニットを含むことを特徴とする端末機器。
【請求項１１】
前記省電力化信号は前記端末機器に対するページングメッセージが存在するか否かも指示し、又は、
前記省電力化信号は前記端末機器がスリープ状態からアクティブ状態に切り替わるか否かも指示することを特徴とする請求項１０に記載の端末機器。
【請求項１２】
前記通信ユニットはさらに、
前記省電力化信号が前記端末機器のページングメッセージが存在することも指示する場合に、前記第１設定情報に基づいて、前記同期用信号を受信し、又は、
前記省電力化信号が前記端末機器がスリープ状態からアクティブ状態に切り替わることも指示する場合に、前記第１設定情報に基づいて、前記同期用信号を受信するように構成されることを特徴とする請求項１０又は１１に記載の端末機器。
【請求項１３】
前記第１設定情報は、前記同期用信号の時間領域リソース情報、密度情報、サブキャリア情報、帯域幅情報、送信周期、時間オフセット情報、及び時間位置情報のうち少なくとも１つを含むことを特徴とする請求項１０〜１２のいずれか１項に記載の端末機器。
【請求項１４】
前記同期用信号の時間領域リソース情報は前記同期用信号が単一のタイムスロットで占用する複数の符号集合及び／又は前記同期用信号が占有するタイムスロットを指示することを特徴とする請求項１３に記載の端末機器。
【請求項１５】
前記端末機器が６ＧＨＺ以下の通信に用いる場合に、前記複数の符号集合は符号集合
【数３】
2021530887.tif 000060
のうち少なくとも２つの符号集合を含み、又は、
前記端末機器が６ＧＨＺ以上の通信に用いる場合に、前記複数の符号集合は符号集合
【数４】
2021530887.tif 000061
のうち少なくとも２つの符号集合を含むことを特徴とする請求項１４に記載の端末機器。
【請求項１６】
前記省電力化信号は含まれるシーケンス及び／又は占用されるリソースによって前記第１設定情報を指示し、
異なるシーケンス及び／又は占用されるリソースは前記同期用信号の異なる設定情報を指示することを特徴とする請求項１０〜１５のいずれか１項に記載の端末機器。
【請求項１７】
前記同期用信号の設定情報は前記第１設定情報及び第２設定情報を含み、第２設定情報は前記同期用信号の設定情報のうち前記第１設定情報に含まれない全ての又は一部の設定情報を指示し、
前記通信ユニットはさらに、
前記ネットワーク機器の、前記第２設定情報を指示する上位層シグナリングを受信し、
前記第１設定情報及び前記第２設定情報に基づいて、前記同期用信号を受信するように構成されることを特徴とする請求項１０〜１６のいずれか１項に記載の端末機器。
【請求項１８】
前記同期用信号は前記端末機器のアイドル状態における時間周波数同期に用いることを特徴とする請求項１０〜１７のいずれか１項に記載の端末機器。
【請求項１９】
コンピュータに請求項１〜９のいずれか１項に記載の方法を実行させるコンピュータプログラムを記憶するように構成されることを特徴とするコンピュータ可読記憶媒体。
【請求項２０】
コンピュータに請求項１〜９のいずれか１項に記載の方法を実行させるコンピュータプログラム命令を含むことを特徴とするコンピュータプログラム製品。
【手続補正２】
【補正対象書類名】明細書
【補正対象項目名】全文
【補正方法】変更
【補正の内容】
【発明の詳細な説明】
【技術分野】
【０００１】
本願の実施例は、通信技術の分野に関し、詳しく言えば、無線通信方法、ネットワーク機器及び端末機器に関する。
【背景技術】
【０００２】
無線通信システムでは、端末機器はシステム情報又はページングメッセージ等の信号を受信する前に、同期する必要がある。
【０００３】
例えば、端末機器は周期的に伝送される同期信号（Ｓｙｎｃｈｒｏｎｏｕｓ  ｓｉｇｎａｌ、略称ＳＳ）／物理ブロードキャストチャネル（Ｐｈｙｓｉｃａｌ  Ｂｒｏａｄｃａｓｔｉｎｇ  Ｃｈａｎｎｅｌ、略称ＰＢＣＨ）におけるプライマリ同期信号（Ｐｒｉｍａｒｙ  Ｓｙｎｃｈｒｏｎｏｕｓ  ｓｉｇｎａｌ、略称ＰＳＳ）、及びセカンダリ同期信号（Ｓｅｃｏｎｄａｒｙ  Ｓｙｎｃｈｒｏｎｏｕｓ  ｓｉｇｎａｌ、略称ＳＳＳ）（及びＰＢＣＨ復調用参照信号（Ｄｅｍｏｄｕｌａｔｉｏｎ  Ｒｅｆｅｒｅｎｃｅ  Ｓｉｇｎａｌ、略称ＤＭＲＳ））を利用して粗時間周波数同期及び精密時間周波数同期を取得することができ、且つ端末は精密時間周波数同期の要件を満たすために、一般にいくつかのＳＳ／ＰＢＣＨブロックを受信する必要がある。
【０００４】
しかしながら、ＳＳ／ＰＢＣＨの周期は少なくとも５ｍｓであり、一般には１０ｍｓ又は２０ｍｓであるため、端末機器がシステム情報又はページングメッセージを受信する前に、同期動作を行うために数十乃至数百ｍｓも前にＳＳ／ＰＢＣＨを受信する必要があり、これは明らかに端末機器の省電力化にはつながらない。
【発明の概要】
【発明が解決しようとする課題】
【０００５】
本願の実施例によれば、端末の省電力化に役立つ、無線通信方法及び機器が提供される。
【課題を解決するための手段】
【０００６】
第１態様によれば、無線通信方法が提供される。当該方法は、
ネットワーク機器が同期用信号の第１設定情報を指示する省電力化信号を端末機器に送信することを含む。
【０００７】
第２態様によれば、無線通信方法が提供される。当該方法は、
ネットワーク機器が同期用信号が単一のタイムスロットで占用する複数の符号集合を指示する指示情報を端末機器に送信することを含む。
【０００８】
第３態様によれば、無線通信方法が提供される。当該方法は、
ネットワーク機器が追跡参照信号（ＴＲＳ）又は拡張された追跡参照信号（ｅＴＲＳ）の設定情報を指示するブロードキャストメッセージを端末機器に送信することを含む。
【０００９】
第４態様によれば、無線通信方法が提供される。当該方法は、
ネットワーク機器が単一のタイムスロットで複数の符号集合を占用する同期用信号を端末機器に送信することを含む。
【００１０】
第５態様によれば、無線通信方法が提供される。当該方法は、
端末機器がネットワーク機器によって送信される同期用信号の第１設定情報を指示する省電力化信号を受信することと、
前記第１設定情報に基づいて、前記端末機器が前記同期用信号を受信することとを含む。
【００１１】
第６態様によれば、無線通信方法が提供される。当該方法は、
端末機器がネットワーク機器によって送信される同期用信号が単一のタイムスロットで占用する複数の符号集合を指示する指示情報を受信することと、
前記指示情報に基づいて、前記同期用信号を受信することとを含む。
【００１２】
第７態様によれば、無線通信方法が提供される。当該方法は、
端末機器がネットワーク機器によって送信される追跡参照信号（ＴＲＳ）又は拡張された追跡参照信号（ｅＴＲＳ）の設定情報を指示するブロードキャストメッセージを受信することと、
前記設定情報に基づいて、前記端末機器が前記ＴＲＳ又はｅＴＲＳを受信することとを含む。
【００１３】
第８態様によれば、無線通信方法が提供される。当該方法は、
端末機器がネットワーク機器によって送信される単一のタイムスロットで複数の符号集合を占用する同期用信号を受信することと、
受信された前記同期用信号に基づいて、前記端末機器が時間周波数同期を行うこととを含む。
【００１４】
第９態様によれば、上記の第１態様、第２態様、第３態様又は第４態様の方法を実行するように構成されるネットワーク機器が提供される。
【００１５】
具体的には、当該ネットワーク機器は上記の第１態様、第２態様、第３態様又は第４態様の方法を実行するように構成される機能モジュールを含む。
【００１６】
第１０態様によれば、上記の第５態様、第６態様、第７態様又は第８態様の方法を実行するように構成される端末機器が提供される。
【００１７】
具体的には、当該端末機器は上記の第５態様、第６態様、第７態様又は第８態様の方法を実行するように構成される機能モジュールを含む。
【００１８】
第１１態様によれば、プロセッサとメモリとを含むネットワーク機器が提供される。当該メモリはコンピュータプログラムを記憶するように構成され、当該プロセッサは当該メモリに記憶されているコンピュータプログラムを呼び出して動作させることにより、上記の第１態様、第２態様、第３態様又は第４態様の方法を実行するように構成される。
【００１９】
第１２態様によれば、プロセッサとメモリとを含む端末機器が提供される。当該メモリはコンピュータプログラムを記憶するように構成され、当該プロセッサは当該メモリに記憶されているコンピュータプログラムを呼び出して動作させることにより、上記の第５態様、第６態様、第７態様又は第８態様の方法を実行するように構成される。
【００２０】
第１３態様によれば、上記の第１態様〜第８態様のいずれかの態様の方法を実現するように構成されるチップが提供される。
【００２１】
具体的には、当該チップは、当該チップを搭載している機器が上記の第１態様〜第８態様のいずれかの態様の方法を実行するように、メモリからコンピュータプログラムを呼び出して動作させるように構成されるプロセッサを含む。
【００２２】
第１４態様によれば、コンピュータに上記の第１態様〜第８態様のいずれかの態様の方法を実行させるコンピュータプログラムを記憶するように構成されるコンピュータ可読記憶媒体が提供される。
【００２３】
第１５態様によれば、コンピュータに上記の第１態様〜第８態様のいずれかの態様の方法を実行させるコンピュータプログラム命令を含むコンピュータプログラム製品が提供される。
【００２４】
第１６態様によれば、コンピュータにおいて実行する時、コンピュータに上記の第１態様〜第８態様のいずれかの態様又はその各実現形態の方法を実行させるコンピュータプログラムが提供される。
【発明の効果】
【００２５】
上記の技術的解決手段によれば、ネットワーク機器が同期用信号の第１設定情報を指示する省電力化信号を端末機器に送信すると、端末機器は当該省電力化信号に基づいて設定情報を取得して同期用信号を受信することができ、同期の効率が上がり、端末の消費電力が節約される。さらに、省電力化信号に基づいて同期用信号の設定情報を指示するという方式は、同期用信号のより動的な設定を実現できる。
【図面の簡単な説明】
【００２６】
【図１】本願の実施例に係る通信システムのアーキテクチャの概略図である。
【図２】本願の実施例に係る無線通信方法の概略図である。
【図３】本願の実施例に係る無線通信方法の概略図である。
【図４】本願の実施例に係る無線通信方法の概略図である。
【図５】本願の実施例に係る無線通信方法の概略図である。
【図６】本願の実施例に係るネットワーク機器の概略的なブロック図である。
【図７】本願の実施例に係る端末機器の概略的なブロック図である。
【図８】本願の実施例に係る端末機器の概略的なブロック図である。
【図９】本願の実施例に係る通信機器の概略的なブロック図である。
【図１０】本願の実施例に係るチップの概略的なブロック図である。
【図１１】本願の実施例に係る通信システムの概略的なブロック図である。
【発明を実施するための形態】
【００２７】
以下、本願の実施例の図面を参照して、本願の実施例による技術的解決手段を説明する。言うまでもないが、説明される実施例は本願の実施例の一部に過ぎず、実施例の全てではない。当業者が進歩性の作業をすることなく本願の実施例から得る他の実施例は、いずれも本願の保護範囲に含まれる。
【００２８】
本願の実施例による技術的解決手段は、グローバル移動体通信（Ｇｌｏｂａｌ  Ｓｙｓｔｅｍ  ｏｆ  Ｍｏｂｉｌｅ  ｃｏｍｍｕｎｉｃａｔｉｏｎ、略称ＧＳＭ（登録商標））システム、符号分割多重接続（Ｃｏｄｅ  Ｄｉｖｉｓｉｏｎ  Ｍｕｌｔｉｐｌｅ  Ａｃｃｅｓｓ、略称ＣＤＭＡ）システム、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、略称ＧＰＲＳ）、ロングタームエボリューション（Ｌｏｎｇ  Ｔｅｒｍ  Ｅｖｏｌｕｔｉｏｎ、略称ＬＴＥ（登録商標））システム、ＬＴＥ周波数分割複信（Ｆｒｅｑｕｅｎｃｙ  Ｄｉｖｉｓｉｏｎ  Ｄｕｐｌｅｘ、略称ＦＤＤ）システム、ＬＴＥ時分割複信（Ｔｉｍｅ  Ｄｉｖｉｓｉｏｎ  Ｄｕｐｌｅｘ、略称ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略称ＵＭＴＳ）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、略称ＷｉＭＡＸ）通信システム又は５Ｇシステム等の様々な通信システムに適用できる。
【００２９】
例示的に、本願の実施例が適用される通信システム１００は図１に示すとおりである。当該通信システム１００はネットワーク機器１１０を含んでよく、ネットワーク機器１１０は端末機器１２０（通信端末、端末とも呼ばれる）と通信する機器であってよい。ネットワーク機器１１０は特定の区域に通信機能を提供し、且つそのカバレッジ区域に位置する端末機器と通信することができる。任意選択で、当該ネットワーク機器１１０はＧＳＭシステム又はＣＤＭＡシステムにおける基地局（Ｂａｓｅ  Ｔｒａｎｓｃｅｉｖｅｒ  Ｓｔａｔｉｏｎ、略称ＢＴＳ）であってもよいし、ＷＣＤＭＡシステムにおける基地局（ＮｏｄｅＢ、略称ＮＢ）であってもよいし、ＬＴＥシステムにおける進化型基地局（Ｅｖｏｌｕｔｉｏｎａｌ  Ｎｏｄｅ  Ｂ、略称ｅＮＢ又はｅＮｏｄｅＢ）であってもよいし、又はクラウドラジオアクセスネットワーク（Ｃｌｏｕｄ  Ｒａｄｉｏ  Ａｃｃｅｓｓ  Ｎｅｔｗｏｒｋ、略称ＣＲＡＮ）におけるワイヤレスコントローラであってもよいし、或いは当該ネットワーク機器は移動交換センター、中継局、アクセスポイント、車載機器、ウェアラブル機器、ハブ、交換機、ブリッジ、ルーター、５Ｇネットワークにおけるネットワーク側機器又は将来の進化型公衆陸上移動体ネットワーク（Ｐｕｂｌｉｃ  Ｌａｎｄ  Ｍｏｂｉｌｅ  Ｎｅｔｗｏｒｋ、略称ＰＬＭＮ）におけるネットワーク機器等であってもよい。
【００３０】
当該通信システム１００はさらに、ネットワーク機器１１０のカバレッジ範囲に位置する少なくとも１つの端末機器１２０を含む。ここで、「端末機器」というのは、有線回線を介して接続されたもの、例えば、公衆交換電話網（Ｐｕｂｌｉｃ  Ｓｗｉｔｃｈｅｄ  Ｔｅｌｅｐｈｏｎｅ  Ｎｅｔｗｏｒｋｓ、略称ＰＳＴＮ）、デジタル加入者線（Ｄｉｇｉｔａｌ  Ｓｕｂｓｃｒｉｂｅｒ  Ｌｉｎｅ、略称ＤＳＬ）、デジタルケーブル、ダイレクトケーブルを介して接続される機器、及び／又は別のデータ接続／ネットワークにより接続される機器、及び／又は無線インタフェースを経由したもの、例えば、セルラーネットワーク、無線ローカルエリアネットワーク（Ｗｉｒｅｌｅｓｓ  Ｌｏｃａｌ  Ａｒｅａ  Ｎｅｔｗｏｒｋ、略称ＷＬＡＮ）用のもの、例えば、ＤＶＢ−Ｈネットワークのデジタルテレビネットワーク、衛星ネットワーク、ＡＭ−ＦＭ放送送信機により接続される機器、及び／又は別の端末機器による通信信号を受信／送信するように設定される装置、及び／又はモノのインターネット（Ｉｎｔｅｒｎｅｔ  ｏｆ  Ｔｈｉｎｇｓ、略称ＩｏＴ）機器を含むが、これらに限定されるものではない。無線インタフェースを介して通信するように設定される端末機器は「無線通信端末」、「無線端末」又は「移動端末」と呼ばれてよい。移動端末の例は、衛星もしくはセルラーフォン、又はセルラー無線電話とデータ処理、ファックス、データ通信能力を組み合わせ得るパーソナル通信システム（Ｐｅｒｓｏｎａｌ  Ｃｏｍｍｕｎｉｃａｔｉｏｎｓ  Ｓｙｓｔｅｍ、略称ＰＣＳ）端末、又は無線電話、ページャ、インターネット／イントラネットアクセス、ウェブブラウザ、メモ帳、カレンダー及び／又はグローバルポジショニングシステム（Ｇｌｏｂａｌ  Ｐｏｓｉｔｉｏｎｉｎｇ  Ｓｙｓｔｅｍ、略称ＧＰＳ）受信機を有し得るパーソナルデジタルアシスタント（Ｐｅｒｓｏｎａｌ  Ｄｉｇｉｔａｌ  Ａｓｓｉｓｔａｎｔ、略称ＰＤＡ）、及び通常のラップトップ型及び／又はパームトップ型受信機もしくは無線電話送受信機を有し得る他の電子装置を含むが、これらに限定されるものではない。端末機器とは、アクセス端末、ユーザー機器（Ｕｓｅｒ  Ｅｑｕｉｐｍｅｎｔ、略称ＵＥ）、加入者ユニット、加入者局、移動局、モバイルステーション、遠隔局、遠隔端末、移動機器、ユーザー端末、端末、無線通信機器、ユーザーエージェント又はユーザー装置であってよい。アクセス端末は、セルラーフォン、コードレス電話、セッションイニシエーションプロトコル（Ｓｅｓｓｉｏｎ  Ｉｎｉｔｉａｔｉｏｎ  Ｐｒｏｔｏｃｏｌ、略称ＳＩＰ）電話、無線ローカルループ（Ｗｉｒｅｌｅｓｓ  Ｌｏｃａｌ  Ｌｏｏｐ、略称ＷＬＬ）局、ＰＤＡ、無線通信機能を有するハンドヘルド機器、コンピューティング機器もしくは無線モデムに接続された他の処理機器、車載機器、ウェアラブル機器、５Ｇネットワークにおける端末機器、又は将来の進化型ＰＬＭＮにおける端末機器等であってよい。
【００３１】
任意選択で、端末機器１２０同士は端末間直接（Ｄｅｖｉｃｅ  ｔｏ  Ｄｅｖｉｃｅ、略称Ｄ２Ｄ）通信を行うことができる。
【００３２】
任意選択で、５Ｇシステム又は５Ｇネットワークはニューラジオ（Ｎｅｗ  Ｒａｄｉｏ、略称ＮＲ）システム、又はＮＲネットワークとも呼ばれる。
【００３３】
図１には例示的に１つのネットワーク機器と２つの端末機器が示される。任意選択で、当該通信システム１００は複数のネットワーク機器を含んでよく、且つ、各ネットワーク機器のカバレッジ範囲内にその他の数の端末機器を含んでもよく、本願の実施例はこれに関して限定しない。
【００３４】
任意選択で、当該通信システム１００はさらに、ネットワークコントローラ、移動管理実体等の他のネットワーク実体を含んでもよく、本願の実施例はこれに関して限定しない。
【００３５】
なお、本願の実施例において、ネットワーク／システムで通信機能を有する機器は通信機器と呼ばれてよい。図１に示す通信システム１００を例として、通信機器は通信機能を有するネットワーク機器１１０及び端末機器１２０を含んでよく、ネットワーク機器１１０及び端末機器１２０は上述した特定の機器であってよく、ここで説明が省略される。通信機器はさらに、通信システム１００における他の機器、例えば、ネットワークコントローラ、移動管理実体等の他のネットワーク実体を含んでよく、本願の実施例でこれに関して限定しない。
【００３６】
なお、本明細書で使用される用語「システム」と「ネットワーク」は常に入れ替えて使用される。用語「及び／又は」は、関係する対象の相関関係を説明するものに過ぎず、３種の関係が存在し得ることを意味する。例えば、Ａ及び／又はＢは、Ａが単独で存在する場合、ＡとＢが同時に存在する場合、Ｂが単独で存在する場合という３種の状況を表すことができる。また、本明細書で符号「／」は、一般的に前後の相関対象が「又は」の関係にあることを意味する。
【００３７】
図２は、本願の実施例に係る無線通信方法２００のプロセスの概略図である。
【００３８】
任意選択で、本願の実施例において、当該無線通信方法２００は当該端末機器のアイドル（ｉｄｌｅ）状態における時間周波数同期に用いる。なお、本願の実施例において、当該無線通信方法２００は当該端末機器の接続状態における時間周波数同期に用いてもよい。
【００３９】
２１０において、ネットワーク機器は同期用信号の第１設定情報を指示する省電力化信号を端末機器に送信する。
【００４０】
任意選択で、本願の実施例において、同期用信号は追跡参照信号（Ｔｒａｃｋｉｎｇ  Ｒｅｆｅｒｅｎｃｅ  Ｓｉｇｎａｌ、略称ＴＲＳ）又は拡張されたＴＲＳ（ｅｎｈａｎｃｅｄ  ＴＲＳ、略称ｅＴＲＳ）であってよい。当然ながら、当該同期用信号は他の信号、例えば、ＰＳＳ又はＳＳＳ等であってもよい。
【００４１】
任意選択で、本願の実施例において、ｅＴＲＳはＴＲＳよりも多くのリソースを占用してよく、例えば、単一のタイムスロットで、ｅＴＲＳはＴＲＳよりも多くの符号又は符号集合等を占用している。
【００４２】
例えば、当該無線通信方法が６ＧＨＺ以下の通信に用いる場合に、ＴＲＳは単一のタイムスロットで符号集合
【数１】
2021530887.tif 000062
のうち１つの符号集合を占用し、ｅＴＲＳは上記同符号集合のうち少なくとも２つの符号集合を占用する。
【００４３】
もう一例として、当該無線通信方法が６ＧＨＺ以上の通信に用いる場合に、ＴＲＳは単一のタイムスロット符号集合
【数２】
2021530887.tif 000063
のうち１つの符号集合を占用し、ｅＴＲＳは上記同符号集合のうち少なくとも２つの符号集合を占用する。
【００４４】
本願の実施例において、ｅＴＲＳはＴＲＳよりも多くのタイムスロット又は周波数領域リソース等を占用してもよい。
【００４５】
なお、本願の実施例において、ｅＴＲＳはＴＲＳ又は他の名称と呼ばれてもよく、本願の実施例でこれに関して具体的に限定しない。
【００４６】
なお、本願の実施例でいう省電力化信号は、端末機器の省電力化を実現するために送信される１種の信号と理解されてよい。
【００４７】
例えば、端末機器が周期的に特定のメッセージを受信する必要があり、ただし当該メッセージは各周期ごとに当該端末機器に送信されるものではない場合に、端末機器が各周期に例外なく当該メッセージに対する受信動作を実行すると消費電力が大きくなる。したがって、ネットワーク機器は端末機器に信号を送信し、特定の１つの又は特定のいくつかの周期（例えば、次の周期）でネットワーク機器が当該メッセージを送信するか否かを端末機器に指示することで、端末機器は当該信号に基づいて、指示された周期にメッセージを受信するか否かを決定できる。これにより、端末機器は各周期のいずれにも受信動作を実行しなくてもよく、端末の消費電力が節約される。
【００４８】
任意選択で、上記の周期的なメッセージとは、ページングメッセージであってよい。この場合に、省電力化信号は当該端末機器に対するページングメッセージが存在するか否かを指示するためにも用いられえる。
【００４９】
しかしながら、上記の周期的なメッセージは他のメッセージであってもよく、本願の実施例でこれに関して具体的に限定しない。
【００５０】
もう一例として、端末機器が周期的に消費電力の小さい状態から消費電力の大きい状態に切り替わる必要があるが、何等かの原因で、端末が消費電力の大きい状態に切り替わる必要がない場合に、端末機器は各周期に例外なく消費電力の小さい状態から消費電力の大きい状態に切り替わると端末機器の消費電力が大きくなる。したがって、ネットワーク機器は端末機器に信号を送信し、特定の１つの又は特定のいくつかの周期（例えば、次の周期）で消費電力の大きい状態から消費電力の小さい状態に切り替わるか否かを端末機器に指示することで、端末機器は当該信号に基づいて、指示された周期に状態を変更するか否かを決定できる。これにより、端末機器の消費電力が節約されえる。
【００５１】
任意選択で、当該省電力化信号が間欠送信（Ｄｉｓｃｏｎｔｉｎｕｏｕｓ  Ｔｒａｎｓｍｉｓｓｉｏｎ、略称ＤＴＸ）シーンに用いられ、当該消費電力の小さい状態はスリープ状態であってよく、当該消費電力の大きい状態はアクティブ状態であってよい。この場合に、当該省電力化信号は当該端末機器がスリープ状態からアクティブ状態に切り替わるか否かを指示するためにも用いられえる。
【００５２】
ここで、特定の１つの又は特定のいくつかの周期にネットワーク機器が特定のメッセージを送信するか否かを端末機器に指示する上記の信号、又は特定の１つの又は特定のいくつかの周期に消費電力の大きい状態から消費電力の小さい状態に切り替わるか否かを端末機器に指示する信号は省電力化信号と呼ばれてよい。なお、本願の実施例はこれに限定されるものではなく、当該信号は、当該省電力化信号の機能がいずれも本願の実施例の保護範囲内にあるものであれば、他の名称を有してもよい。
【００５３】
任意選択で、本願の実施例において、省電力化信号が、特定の１つの又は特定のいくつかの周期にネットワーク機器が特定のメッセージを送信するか否かを端末機器に指示する信号、又は特定の１つの又は特定のいくつかの周期に消費電力の大きい状態から消費電力の小さい状態に切り替わるか否かを端末機器に指示するために用いることは次の実現形態のものとすることができる。
【００５４】
１つの実現形態において、省電力化信号の異なるシーケンス及び／又は異なるリソースを占用することは、上記のイエスとノーズの場合を表示する。例えば、省電力化信号がシーケンス１を含む場合に、特定の１つの又は特定のいくつかの周期にネットワーク機器が特定のメッセージを送信することを端末機器に指示し、又は特定の１つの又は特定のいくつかの周期に消費電力の大きい状態から消費電力の小さい状態に切り替わることを端末機器に指示する。省電力化信号がシーケンス２を含む場合に、特定の１つの又は特定のいくつかの周期にネットワーク機器が特定のメッセージを送信しないことを端末機器に指示し、又は特定の１つの又は特定のいくつかの周期に消費電力の大きい状態から消費電力の小さい状態に切り替わらないことを端末機器に指示する。
【００５５】
別の実現形態において、省電力化信号の送信と省電力化信号の不送信は、上記のイエスとノーの場合をそれぞれ表示する。例えば、省電力化信号が送信される場合に、特定の１つの又は特定のいくつかの周期にネットワーク機器が特定のメッセージを送信することを端末機器に指示し、又は特定の１つの又は特定のいくつかの周期に消費電力の大きい状態から消費電力の小さい状態に切り替わることを端末機器に指示する。省電力化信号が送信されない場合に、特定の１つの又は特定のいくつかの周期にネットワーク機器が特定のメッセージを送信しないことを端末機器に指示し、又は特定の１つの又は特定のいくつかの周期に消費電力の大きい状態から消費電力の小さい状態に切り替わらないことを端末機器に指示する。
【００５６】
任意選択で、本願の実施例において、当該省電力化信号が当該端末機器のページングメッセージが存在することも指示する場合に、ネットワーク機器は当該省電力化信号によって当該第１設定情報を指示する。
【００５７】
具体的には、端末機器のページングメッセージが存在する場合に、端末機器はページングメッセージを受信するために同期する必要があることを意味し、ネットワーク機器は省電力化信号によって端末機器に当該第１設定情報を指示してよく、端末機器のページングメッセージが存在しない場合に、端末機器はページングメッセージを受信するために同期しなくてもよいことを意味し、ネットワーク機器は省電力化信号によって端末機器に当該第１設定情報を指示しなくてもよい。この場合に、任意選択で、当該省電力化信号に第１設定情報が携帯されていない場合に、端末機器は同期する必要がないと判断してよい。
【００５８】
任意選択で、本願の実施例において、当該省電力化信号が当該端末機器がスリープ状態からアクティブ状態に切り替わることも指示する場合に、ネットワーク機器は当該省電力化信号によって当該第１設定情報を指示する。
【００５９】
具体的には、端末機器が信号検出を行うためにスリープ状態からアクティブ状態に切り替わる必要がある場合に、端末機器は信号検出を行うために同期する必要があることを意味し、ネットワーク機器は省電力化信号によって端末機器に当該第１設定情報を指示してよく、端末機器がスリープ状態からアクティブに状態切り替わる必要がない場合に、端末機器は信号検出を行わなくてもよいことを意味し、ネットワーク機器は省電力化信号によって端末機器に当該第１設定情報を指示しなくてもよい。この場合に、任意選択で、当該省電力化信号に第１設定情報が携帯されていない場合に、端末機器は同期する必要がないと判断してよい。
【００６０】
当然ながら、本願の実施例において、省電力化信号が端末機器のページングメッセージが存在しないこと、又は端末機器がスリープ状態からアクティブ状態に切り替わる必要がないことを指示する場合にも、当該省電力化信号は当該第１設定情報を携帯してもよく、端末機器は当該第１設定情報を受信した後、当該第１設定情報に従って同期用信号を受信して同期してもよいし、又は端末機器は当該第１設定情報を受信した後、同期するために同期用信号を受信しなくてもよい。
【００６１】
任意選択で、本願の実施例において、省電力化信号は周期的に送信されてよく、各送信周期の省電力化信号はいずれも上記の第１設定情報を携帯してよいし、又は一部の送信周期の省電力化信号が同期用参照信号の設定情報を携帯してもよい。例えば、上記同期用信号の設定情報が頻繁に変更される必要がない場合に、一部の送信周期の省電力化信号に上記同期用参照信号の設定情報を携帯することとしてよい。この場合に、省電力化信号に設定情報が携帯されていなくても、前の省電力化信号によって送信された設定情報に従って同期してよい。
【００６２】
任意選択で、本願の実施例において、当該設定情報は、
当該同期用信号の時間領域リソース情報、密度情報、サブキャリア情報、帯域幅情報、送信周期、時間オフセット情報、及び時間位置情報のうち少なくとも１つを含む。
【００６３】
ここで、上記の時間領域リソース情報は単一のタイムスロットで占用される符号であってよく、単一のタイムスロットで占用されえる符号は１つであってもよいし、複数であってもよい。
【００６４】
具体的には、同期用信号の送信に使用されえる符号を複数の集合に分割してよく、当該第１設定情報は符号集合のインデックスを含んでよい。ここで、当該時間領域リソース情報は１つの符号集合を含んでもよいし、複数の符号集合を含んでもよい。
【００６５】
任意選択で、本願の実施例において、符号集合は１つ又は複数の符号集合グループに分割されてもよく、各グループは１つ又は複数の符号集合を含んでよく、グループによって、含まれる符号集合の数は同じであってもよいし、異なってもよく、グループ間では重なる符号集合があってもよいし、重なる符号集合がなくてもよい。
【００６６】
当該第１設定情報に符号集合グループのインデックスが含まれてよく、端末機器は当該符号集合グループのインデックスに基づいて、同期用信号が占用する符号集合を決定してよい。
【００６７】
任意選択で、本願の実施例において、当該無線通信方法が６ＧＨＺ以下の通信に用いる場合に、当該複数の符号集合は、符号集合
【数３】
2021530887.tif 000064
のうち少なくとも２つの符号集合を含む。
【００６８】
任意選択で、本願の実施例において、当該無線通信方法が６ＧＨＺ以上の通信に用いる場合に、当該複数の符号集合は、符号集合
【数４】
2021530887.tif 000065
のうち少なくとも２つを含む。
【００６９】
なお、本実施例の符号集合は上記の分割方式に限定されず、他の分割方式を採用してもよい。
【００７０】
なお、各符号集合に含まれる符号の数は同じであってもよいし、異なってもよい。又は、符号集合間では重複する符号があってもよい。
【００７１】
任意選択で、本願の実施例において、ネットワーク機器は端末機器に符号集合の分割方式を通知してよい。又は、符号集合の分割方式は予め端末機器に設定されてもよい。
【００７２】
任意選択で、本願の実施例において、省電力化信号によって指示される上記時間領域リソース情報はさらに同期用信号が占用するタイムスロットの数及び／又はインデックスを含んでもよい。ここで、同期用信号が占用するタイムスロットは１つであってもよいし、複数であってもよい。各タイムスロットで伝送に使用され得る符号は同じであってよく、具体的には上記の符号集合であってよい。
【００７３】
又は、同期用信号が占用するタイムスロットの数及び／又はインデックスは他のシグナリングによって指示されてもよいし、予め端末機器に設定されてもよい。
【００７４】
任意選択で、上記の密度情報とは、１つの物理リソースブロック（Ｐｈｙｓｉｃａｌ  Ｒｅｓｏｕｒｃｅ  Ｂｌｏｃｋ、略称ＰＲＢ）における同期用参照信号を送信するためのものの数であってよい。例えば、ｅＴＲＳの場合には、ｅＴＲＳはシングルポート情報であり、密度はρ＝３としてよく、即ち１つのＰＲＢに３つのリソースエレメント（Ｒｅｓｏｕｒｃｅ  Ｅｌｅｍｅｍｙ、略称ＲＥ）があり、１つのＰＲＢにおける３つのＲＥの位置はＫ０、Ｋ０＋４、Ｋ０＋８であることとしてよく、ここで、Ｋ０は上位層情報によって通知される。
【００７５】
任意選択で、本願の実施例において、上記のサブキャリア情報とは、同期用信号が占用するサブキャリアの数及び／又はインデックスであってよい。
【００７６】
任意選択で、本願の実施例において、上記の帯域幅情報とは、同期用信号が占用する帯域幅であってよく、具体的には占用するＰＲＢの数及び／又はインデックスを含んでよい。例えば、ｅＴＲＳの場合には、帯域幅はデフォルトの帯域幅としてよい。例えば、５２個のＰＲＢであってもよいし、イニシャルアクティブ（ｉｎｉｔｉａｌ  ａｃｔｉｖｅ）帯域幅部分（Ｂａｎｄ  Ｗｉｄｔｈ  Ｐａｒｔ、略称ＢＷＰ）の帯域幅であってもよいし、最小（ｍｉｎ）｛デフォルトの帯域幅、ｉｎｉｔｉａｌ  ａｃｔｉｖｅ  ＢＷＰ｝であってもよい。
【００７７】
任意選択で、本願の実施例において、上記の送信周期はＴＲＳ又はｅＴＲＳの場合に、取得値は１０ｍｓ、２０ｍｓ、４０ｍｓ、８０ｍｓ等であってよい。
【００７８】
任意選択で、本願の実施例において、上記の時間オフセット情報は周期の数値に基づいて決定されてよく、周期の取得値が１０ｍｓである場合に、時間オフセットの取得値は０、１、２、…、９ｍｓであってよい。
【００７９】
任意選択で、本願の実施例において、上記の時間位置情報は同期用信号の他の信号に対するオフセットであってよい。例えば、ページングメッセージより時間Ｔ早く送信されてよい。この場合に、当該同期用信号は非周期的に伝送される信号であってよい。
【００８０】
任意選択で、同期用信号は準持続性の周期的な信号であってよく、この場合に設定情報は送信周期、時間オフセット、持続する周期数等の情報を含んでよい。
【００８１】
任意選択で、本願の実施例において、省電力化信号によって設定情報を指示する場合に、明示的な方式（例えば、シーケンス）によって指示してもよいし、暗黙的な方式（例えば、占用されるリソース）によって指示してもよい。
【００８２】
任意選択で、本願の実施例において、当該省電力化信号は含まれるシーケンス及び／又は占用されるリソースによって当該第１設定情報を指示する。ここで、異なるシーケンス及び／又は占用されるリソースは当該同期用信号の異なる設定情報を指示する。
【００８３】
ここで、異なるシーケンスの形成方式は異なるページングシフト（省電力化信号に対してＺａｄｏｆｆ−Ｃｈｕ（ＺＣ）シーケンスを使用する）、異なる直交符号等の方式であってよい。
【００８４】
ここで、異なるシーケンス及び／又は占用されるリソースによって異なる設定情報を指示することは、同じタイプの１つの又はいくつかの設定パラメータに対し、異なるシーケンス及び／又は占用されるリソースによって当該１つの又はいくつかの設定パラメータの異なる取得値を指示することであってよい。
【００８５】
例えば、第１種類のシーケンスで第１種類の時間領域リソース情報、第１種類の密度情報、第１種類のサブキャリア情報、第１種類の帯域幅情報、第１種類の周期及び第１種類の時間オフセット情報を示し、第２種類のシーケンスで第２種類の時間領域リソース情報、第２種類の密度情報、第２種類のサブキャリア情報、第２種類の帯域幅情報、第２種類の周期及び第２種類の時間オフセット情報を示す。
【００８６】
任意選択で、設定情報が複数の設定パラメータを含む場合に、一部の設定パラメータの取得値が異なる場合に、当該設定情報が異なることとしてよい。
【００８７】
例えば、第１種類のシーケンスで第１種類の時間領域リソース情報、第１種類の密度情報、第１種類のサブキャリア情報、第１種類の帯域幅情報、第２種類の周期及び第２種類の時間オフセット情報を示し、第２種類のシーケンスで第１種類の時間領域リソース情報、第１種類の密度情報、第１種類のサブキャリア情報、第１種類の帯域幅情報、第１種類の周期及び第１種類の時間オフセット情報を示す。
【００８８】
当然ながら、異なるシーケンス及び／又は占用されるリソースによって異なる設定情報を指示することは、異なるシーケンス及び／又は占用されるリソースによって異なるタイプの設定パラメータを指示することであってもよい。
【００８９】
例えば、第１種類のシーケンスで第１種類の時間領域リソース情報を示し、第２種類のシーケンスで第１種類の時間領域リソース情報及び第１種類の密度情報を示す。
【００９０】
任意選択で、本願の実施例において、当該同期用信号の設定情報は当該第１設定情報及び第２設定情報を含む。即ち、省電力化信号は同期用信号の一部の設定情報を携帯する。ここで、第２設定情報は同期用信号の設定情報のうち第１設定情報に含まれる設定情報のうち少なくとも一部を除く設定情報であってよい。
【００９１】
ここで、第２設定情報はネットワーク機器が他のシグナリング（例えば、上位層シグナリング）によって端末機器に送信してよく、この場合に、端末機器は第１設定情報及び第２設定情報に基づいて同期用信号を受信することができる。
【００９２】
又は、当該第２設定情報は予め端末機器に設定されてもよい。
【００９３】
なお、同期用信号の設定情報は一部が省電力化信号にベアラされ、もう一部が上位層シグナリングにベアラされ、さらにもう一部が予め端末機器に設定されてもよい。
【００９４】
２２０において、端末機器はネットワーク機器によって送信される当該省電力化信号を受信する。
【００９５】
２３０において、当該第１設定情報に基づいて、当該端末機器が当該同期用信号を受信する。
【００９６】
任意選択で、本願の実施例において、当該省電力化信号が当該端末機器のページングメッセージが存在することも指示する場合に、当該端末機器は当該第１設定情報に基づいて、当該同期用信号を受信する。
【００９７】
具体的には、省電力化信号は当該端末機器のページングメッセージが存在することも指示する場合に、端末機器は当該ページングメッセージを受信するために同期する必要があることを意味し、この場合に、端末機器は当該第１設定情報に基づいて、当該同期用信号を受信してよい。省電力化信号が当該端末機器のページングメッセージが存在しないことも指示する場合に、端末機器が同期する必要がないことを意味し、この場合に、端末機器は当該同期用信号を受信しなくてよい。当然ながら、省電力化信号が当該端末機器のページングメッセージが存在しないことも指示する場合にも、端末機器は当該第１設定情報に基づいて、同期用信号を受信して同期してもよい。
【００９８】
任意選択で、本願の実施例において、当該省電力化信号が当該端末機器がスリープ状態からアクティブ状態に切り替わることも指示する場合に、当該端末機器は当該第１設定情報に基づいて、当該同期用信号を受信する。
【００９９】
具体的には、省電力化信号が当該端末機器がスリープ状態からアクティブ状態に切り替わることも指示する場合に、端末機器は情報監視を行うために同期する必要があることを意味し、この場合に、端末機器は当該第１設定情報に基づいて、当該同期用信号を受信してよい。省電力化信号が当該端末機器がスリープ状態からアクティブ状態に切り替わる必要がないことも指示する場合に、端末機器が同期する必要がないことを意味し、この場合に、端末機器は当該同期用信号を受信しなくてよい。当然ながら、省電力化信号が当該端末機器がスリープ状態からアクティブ状態に切り替わる必要がないことを指示する場合にも、端末機器は当該第１設定情報に基づいて、同期用信号を受信して同期してもよい。
【０１００】
したがって、本願の実施例において、ネットワーク機器は同期用信号の第１設定情報を指示する省電力化信号を端末機器に送信すると、端末機器は当該省電力化信号に基づいて設定情報を取得して同期用信号を受信することができ、同期の効率が上がり、端末の消費電力が節約される。さらに、省電力化信号に基づいて同期用信号の設定情報を指示するという方式は、同期用信号のより動的な設定を実現でき、これにより、端末のチャネル条件、ネットワークの負荷状態等によりよくマッチングする。
【０１０１】
図３は、本願の実施例の無線通信方法３００のプロセスの概略図である。
【０１０２】
任意選択で、本願の実施例において、当該無線通信方法３００は当該端末機器のアイドル状態における時間周波数同期に用いる。なお、本願の実施例において、当該無線通信方法３００は当該端末機器の接続状態における時間周波数同期に用いてもよい。
【０１０３】
３１０において、ネットワーク機器は同期用信号が単一のタイムスロットで占用する複数の符号集合を指示する指示情報を端末機器に送信する。
【０１０４】
任意選択で、本願の実施例において、同期用信号は追跡参照信号（Ｔｒａｃｋｉｎｇ  Ｒｅｆｅｒｅｎｃｅ  Ｓｉｇｎａｌ、略称ＴＲＳ）又は拡張されたＴＲＳ（ｅｎｈａｎｃｅｄ  ＴＲＳ、略称ｅＴＲＳ）であってよい。当然ながら、当該同期用信号は他の信号、例えば、ＰＳＳ又はＳＳＳ等であってもよい。
【０１０５】
任意選択で、本願の実施例において、ｅＴＲＳはＴＲＳよりも多くのリソースを占用してよく、例えば、単一のタイムスロットで、ｅＴＲＳはＴＲＳよりも多くの符号又は符号集合等を占用している。
【０１０６】
例えば、当該無線通信方法が６ＧＨＺ以下の通信に用いる場合に、ＴＲＳは単一のタイムスロットで符号集合
【数５】
2021530887.tif 000066
のうち１つの符号集合を占用し、ｅＴＲＳは上記同符号集合のうち少なくとも２つの符号集合を占用する。
【０１０７】
もう一例として、当該無線通信方法が６ＧＨＺ以上の通信に用いる場合に、ＴＲＳは単一のタイムスロットで符号集合
【数６】
2021530887.tif 000067
のうち１つの符号集合を占用し、ｅＴＲＳは上記同符号集合のうち少なくとも２つの符号集合を占用する。
【０１０８】
本願の実施例において、ｅＴＲＳはＴＲＳよりも多くのタイムスロット又は周波数領域リソース等を占用してもよい。
【０１０９】
なお、本願の実施例において、ｅＴＲＳはＴＲＳ又は他の名称と呼ばれてもよく、本願の実施例でこれに関して具体的に限定しない。
【０１１０】
任意選択で、本願の実施例において、各符号集合は少なくとも２つの符号を含む。ネットワーク機器は符号集合のインデックスを端末機器に通知してよく、これにより、端末機器は当該インデックスに基づいて符号集合を決定できる。
【０１１１】
任意選択で、本願の実施例において、符号集合は１つ又は複数の符号集合グループに分割されてもよく、各グループは１つ又は複数の符号集合を含んでよく、グループによって、含まれる符号集合の数は同じであってもよいし、異なってもよく、グループ間では重なる符号集合があってもよいし、重なる符号集合がなくてもよい。
【０１１２】
当該第１設定情報に符号集合グループのインデックスが含まれてよく、端末機器は当該符号集合グループのインデックスに基づいて、同期用信号が占用する符号集合を決定してよい。
【０１１３】
任意選択で、本願の実施例において、当該無線通信方法が６ＧＨＺ以下の通信に用いる場合に、当該複数の符号集合は符号集合
【数７】
2021530887.tif 000068
のうち少なくとも２つを含む。
【０１１４】
任意選択で、本願の実施例において、当該無線通信方法が６ＧＨＺ以上の通信に用いる場合に、当該複数の符号集合は符号集合
【数８】
2021530887.tif 000069
のうち少なくとも２つを含む。
【０１１５】
任意選択で、本願の実施例において、当該指示情報は当該同期用信号が占用するタイムスロットの数も指示する。
【０１１６】
なお、本実施例の符号集合は上記の分割方式に限定されず、他の分割方式を採用してもよい。
【０１１７】
なお、各符号集合に含まれる符号の数は同じであってもよいし、異なってもよい。又は、符号集合間では重複する符号があってもよい。
【０１１８】
任意選択で、本願の実施例において、ネットワーク機器は端末機器に符号集合の分割方式を通知してよい。又は、符号集合の分割方式は予め端末機器に設定されてもよい。
【０１１９】
任意選択で、本願の実施例において、指示情報は同期用信号が占用するタイムスロットの数及び／又はインデックスも指示してよい。ここで、同期用信号が占用するタイムスロットは１つであってもよいし、複数であってもよい。各タイムスロット伝送に占用され得る符号は同じであってよく、具体的には上記の符号集合であってよい。
【０１２０】
又は、同期用信号が占用するタイムスロットの数及び／又はインデックスは他のシグナリングによって指示されてもよいし、予め端末機器に設定されてもよい。
【０１２１】
なお、当該指示情報は同期用信号の他の設定情報、例えば、密度情報、サブキャリア情報、帯域幅情報、送信周期、時間オフセット情報、及び時間位置情報のうち少なくとも１つを指示してもよく、その詳細な説明は方法２００の内容を参照することができ、簡素化のために説明が省略される。
【０１２２】
任意選択で、本願の実施例において、当該指示情報はブロードキャストメッセージ、無線リソース制御（ＲＲＣ）シグナリング又は省電力化信号にベアラされる。
【０１２３】
任意選択で、本願の実施例において、当該省電力化信号は当該端末機器に対するページングメッセージが存在するか否かを指示する。
【０１２４】
任意選択で、本願の実施例において、当該省電力化信号は当該端末機器がスリープ状態からアクティブ状態に切り替わるか否かを指示する。
【０１２５】
任意選択で、本願の実施例において、当該省電力化信号は当該端末機器のページングメッセージが存在することも指示する場合に、ネットワーク機器は当該省電力化信号によって当該指示情報をベアラする。
【０１２６】
具体的には、端末機器のページングメッセージが存在する場合に、端末機器はページングメッセージを受信するために同期する必要があることを意味し、ネットワーク機器は省電力化信号によって端末機器に当該指示情報を送信してよく、端末機器のページングメッセージが存在しない場合に、端末機器はページングメッセージを受信するために同期してなくてもよいことを意味し、ネットワーク機器は省電力化信号によって端末機器に当該指示情報を送信しなくてよい。この場合に、任意選択で、当該省電力化信号に当該指示情報が携帯されていない場合に、端末機器は同期する必要がないと判断してよい。
【０１２７】
任意選択で、本願の実施例において、当該省電力化信号は当該端末機器がスリープ状態からアクティブ状態に切り替わることも指示する場合に、ネットワーク機器は当該省電力化信号によって当該指示情報をベアラする。
【０１２８】
具体的には、端末機器が信号検出を行うためにスリープ状態からアクティブ状態に切り替わる必要がある場合に、端末機器は信号検出を行うために同期する必要があることを意味し、ネットワーク機器は省電力化信号によって端末機器に当該指示情報を送信してよく、端末機器がスリープ状態からアクティブ状態に切り替わる必要がない場合に、端末機器は信号検出を行わなくてもよいことを意味し、ネットワーク機器は省電力化信号によって端末機器に当該指示情報を送信しなくてよい。この場合に、任意選択で、当該省電力化信号に当該指示情報が携帯されていない場合に、端末機器は同期する必要がないと判断してよい。
【０１２９】
当然ながら、本願の実施例において、省電力化信号が端末機器のページングメッセージが存在しないこと、又は端末機器がスリープ状態からアクティブ状態に切り替わる必要がないことを指示する場合にも、当該省電力化信号は当該指示情報を携帯してもよく、端末機器は当該指示情報を受信した後、当該指示情報に従って同期用信号を受信して同期してよく、又は端末機器は当該指示情報を受信した後、同期用信号を受信して同期しなくてもよい。
【０１３０】
任意選択で、本願の実施例において、省電力化信号は周期的に送信されてよく、各送信周期の省電力化信号はいずれも上記指示情報を携帯してよく、又は一部の送信周期の省電力化信号は上記指示情報を携帯してもよい。例えば、上記同期用信号の符号集合が頻繁に変更される必要がない場合に、一部の送信周期の省電力化信号に上記符号集合の指示情報を携帯することとしてよい。この場合に、省電力化信号に指示情報が携帯されていなくても、前の省電力化信号によって送信された指示情報に従って同期してよい。
【０１３１】
３２０において、端末機器はネットワーク機器によって送信される同期用信号が単一のタイムスロットで占用する複数の符号集合を指示する指示情報を受信する。
【０１３２】
３３０において、当該指示情報に基づいて、端末機器は当該同期用信号を受信する。
【０１３３】
任意選択で、本願の実施例において、当該省電力化信号は当該端末機器のページングメッセージが存在することも指示する場合に、当該端末機器は当該指示情報に基づいて、当該同期用信号を受信する。
【０１３４】
具体的には、省電力化信号が当該端末機器のページングメッセージが存在することも指示する場合に、端末機器は当該ページングメッセージを受信するために同期する必要があることを意味し、この場合に、端末機器は当該指示情報に基づいて、当該同期用信号を受信してよい。省電力化信号が当該端末機器のページングメッセージが存在しないことも指示する場合に、端末機器が同期する必要がないことを意味し、この場合に、端末機器は当該同期用信号を受信しなくてよい。当然ながら、省電力化信号が当該端末機器のページングメッセージが存在しないことも指示する場合にも、端末機器は当該指示情報に基づいて、同期用信号を受信して同期してもよい。
【０１３５】
任意選択で、本願の実施例において、当該省電力化信号が当該端末機器がスリープ状態からアクティブ状態に切り替わることも指示する場合に、当該端末機器は当該指示情報に基づいて、当該同期用信号を受信する。
【０１３６】
具体的には、省電力化信号が当該端末機器がスリープ状態からアクティブ状態に切り替わることも指示する場合に、端末機器は情報監視を行うために同期する必要があることを意味し、この場合に、端末機器は当該指示情報に基づいて、当該同期用信号を受信してよい。省電力化信号が当該端末機器がスリープ状態からアクティブ状態に切り替わる必要がないことも指示する場合に、端末機器が同期する必要がないことを意味し、この場合に、端末機器は当該同期用信号を受信しなくてよい。当然ながら、省電力化信号が当該端末機器がスリープ状態からアクティブ状態に切り替わる必要がないことを指示する場合にも、端末機器は当該指示情報に基づいて、同期用信号を受信して同期してもよい。
【０１３７】
したがって、本願の実施例において、ネットワーク機器は同期用信号が単一のタイムスロットで占用する複数の符号集合を指示する指示情報を端末機器に送信する。これにより、端末機器は単一のタイムスロットで複数の符号集合を占用して同期用信号を受信することができ、同期の効率が上がる。
【０１３８】
図４は、本願の実施例に係る無線通信方法４００のプロセスの概略図である。
【０１３９】
任意選択で、本願の実施例において、当該無線通信方法４００は当該端末機器のアイドル状態における時間周波数同期に用いる。なお、本願の実施例において、当該無線通信方法４００は当該端末機器の接続状態における時間周波数同期に用いてもよい。
【０１４０】
４１０において、ネットワーク機器は追跡参照信号（ＴＲＳ）又は拡張された追跡参照信号（ｅＴＲＳ）の設定情報を指示するブロードキャストメッセージを端末機器に送信する。
【０１４１】
任意選択で、本願の実施例において、ｅＴＲＳはＴＲＳよりも多くのリソースを占用してよく、例えば、単一のタイムスロットで、ｅＴＲＳはＴＲＳよりも多くの符号又は符号集合等を占用している。
【０１４２】
例えば、当該無線通信方法が６ＧＨＺ以下の通信に用いる場合に、ＴＲＳは単一のタイムスロットで符号集合
【数９】
2021530887.tif 000070
のうち１つの符号集合を占用し、ｅＴＲＳは上記同符号集合のうち少なくとも２つの符号集合を占用する。
【０１４３】
もう一例として、当該無線通信方法が６ＧＨＺ以上の通信に用いる場合に、ＴＲＳは単一のタイムスロットで符号集合
【数１０】
2021530887.tif 000071
のうち１つの符号集合を占用し、ｅＴＲＳは上記同符号集合のうち少なくとも２つの符号集合を占用する。
【０１４４】
本願の実施例において、ｅＴＲＳはＴＲＳよりも多くのタイムスロット又は周波数領域リソース等を占用してもよい。
【０１４５】
なお、本願の実施例において、ｅＴＲＳはＴＲＳ又は他の名称と呼ばれてもよく、本願の実施例でこれに関して具体的に限定しない。
【０１４６】
任意選択で、本願の実施例において、当該設定情報は、
当該ＴＲＳ又はｅＴＲＳの時間領域リソース情報、密度情報、サブキャリア情報、帯域幅情報、送信周期、時間オフセット情報、及び時間位置情報のうち少なくとも１つを含む。
【０１４７】
任意選択で、本願の実施例において、当該ＴＲＳ又はｅＴＲＳの時間領域リソース情報は当該ＴＲＳ又はｅＴＲＳが単一のタイムスロットで占用する複数の符号集合及び／又は当該ＴＲＳ又はｅＴＲＳが占有するタイムスロットを指示する。
【０１４８】
任意選択で、本願の実施例において、ネットワーク機器は符号集合のインデックスを端末機器に通知してよく、これにより、端末機器は当該インデックスに基づいて符号集合を決定できる。
【０１４９】
任意選択で、本願の実施例において、符号集合は１つ又は複数の符号集合グループに分割されてもよく、各グループは１つ又は複数の符号集合を含んでよく、グループによって、含まれる符号集合の数は同じであってもよいし、異なってもよく、グループ間では重なる符号集合があってもよいし、重なる符号集合がなくてもよい。
【０１５０】
当該設定情報に符号集合グループのインデックスが含まれてよく、端末機器は当該符号集合グループのインデックスに基づいて、同期用信号が占用する符号集合を決定してよい。
【０１５１】
任意選択で、本願の実施例において、当該無線通信方法が６ＧＨＺ以下の通信に用いる場合に、当該複数の符号集合は符号集合
【数１１】
2021530887.tif 000072
のうち少なくとも２つを含む。
【０１５２】
任意選択で、本願の実施例において、当該無線通信方法が６ＧＨＺ以上の通信に用いる場合に、当該複数の符号集合は符号集合
【数１２】
2021530887.tif 000073
のうち少なくとも２つを含む。
【０１５３】
ここで、上記のブロードキャストメッセージにおける設定情報の説明は方法２００の説明を参照することができ、簡素化のために説明が省略される。
【０１５４】
任意選択で、本願の実施例において、ブロードキャストメッセージはＴＲＳ又はｅＴＲＳの一部の設定情報を携帯してよく、他の一部の設定情報は、省電力化信号で送信、ＲＲＣシグナリングで送信又は予め端末機器に設定される等の方式のうち少なくとも２つで実現できる。
【０１５５】
４２０において、端末機器はネットワーク機器によって送信される当該ブロードキャストメッセージを受信する。
【０１５６】
４３０において、当該設定情報に基づいて、当該端末機器は当該ＴＲＳ又はｅＴＲＳを受信する。
【０１５７】
したがって、本願の実施例において、ネットワーク機器は追跡参照信号（ＴＲＳ）又は拡張された追跡参照信号（ｅＴＲＳ）の設定情報を指示するブロードキャストメッセージを端末機器に送信する。これにより、端末機器は当該ブロードキャストメッセージに基づいてＴＲＳ又はｅＴＲＳを受信することができ、なお、ブロードキャスト情報に基づいてＴＲＳ又はｅＴＲＳの設定情報を送信することは、設定情報の送信効率を上げることができる。
【０１５８】
図５は、本願の実施例に係る無線通信方法５００のプロセスの概略図である。当該方法５００は次の内容のうち少なくとも一部を含む。
【０１５９】
任意選択で、本願の実施例において、当該無線通信方法５００は当該端末機器のアイドル状態における時間周波数同期に用いる。なお、本願の実施例において、当該無線通信方法５００は当該端末機器の接続状態における時間周波数同期に用いてもよい。
【０１６０】
５１０において、ネットワーク機器は単一のタイムスロットで複数の符号集合を占用する同期用信号を端末機器に送信する。
【０１６１】
任意選択で、本願の実施例において、同期用信号は追跡参照信号（Ｔｒａｃｋｉｎｇ  Ｒｅｆｅｒｅｎｃｅ  Ｓｉｇｎａｌ、略称ＴＲＳ）又は拡張されたＴＲＳ（ｅｎｈａｎｃｅｄ  ＴＲＳ、略称ｅＴＲＳ）であってよい。当然ながら、当該同期用信号は他の信号、例えば、ＰＳＳ又はＳＳＳ等であってもよい。
【０１６２】
任意選択で、本願の実施例において、ｅＴＲＳはＴＲＳよりも多くのリソースを占用してよく、例えば、単一のタイムスロットで、ｅＴＲＳはＴＲＳよりも多くの符号又は符号集合等を占用している。
【０１６３】
例えば、当該無線通信方法が６ＧＨＺ以下の通信に用いる場合に、ＴＲＳは単一のタイムスロットで符号集合
【数１３】
2021530887.tif 000074
のうち１つの符号集合を占用し、ｅＴＲＳは上記同符号集合のうち少なくとも２つの符号集合を占用する。
【０１６４】
もう一例として、当該無線通信方法が６ＧＨＺ以上の通信に用いる場合に、ＴＲＳは単一のタイムスロットで符号集合
【数１４】
2021530887.tif 000075
のうち１つの符号集合を占用し、ｅＴＲＳは上記同符号集合のうち少なくとも２つの符号集合を占用する。
【０１６５】
本願の実施例において、ｅＴＲＳはＴＲＳよりも多くのタイムスロット又は周波数領域リソース等を占用してもよい。
【０１６６】
なお、本願の実施例において、ｅＴＲＳはＴＲＳ又は他の名称と呼ばれてもよく、本願の実施例でこれに関して具体的に限定しない。
【０１６７】
任意選択で、本願の実施例において、各符号集合は少なくとも２つの符号を含む。
【０１６８】
任意選択で、本願の実施例において、ネットワーク機器は符号集合のインデックスを端末機器に通知してよく、これにより、端末機器は当該インデックスに基づいて符号集合を決定できる。
【０１６９】
任意選択で、本願の実施例において、符号集合は１つ又は複数の符号集合グループに分割されてもよく、各グループは１つ又は複数の符号集合を含んでよく、グループによって、含まれる符号集合の数は同じであってもよいし、異なってもよく、グループ間では重なる符号集合があってもよいし、重なる符号集合がなくてもよい。
【０１７０】
ネットワーク機器が端末機器に送信する設定情報には符号集合グループのインデックスが含まれてよく、端末機器は当該符号集合グループのインデックスに基づいて、同期用信号が占用する符号集合を決定してよい。
【０１７１】
任意選択で、本願の実施例において、当該無線通信方法が６ＧＨＺ以下の通信に用いる場合に、当該複数の符号集合は符号集合
【数１５】
2021530887.tif 000076
のうち少なくとも２つを含む。
【０１７２】
任意選択で、本願の実施例において、当該無線通信方法が６ＧＨＺ以上の通信に用いる場合に、当該複数の符号集合は符号集合
【数１６】
2021530887.tif 000077
のうち少なくとも２つを含む。
【０１７３】
なお、本実施例の符号集合は上記の分割方式に限定されず、他の分割方式を採用してもよい。
【０１７４】
なお、各符号集合に含まれる符号の数は同じであってもよいし、異なってもよい。又は、符号集合間では重複する符号があってもよい。
【０１７５】
任意選択で、本願の実施例において、ネットワーク機器は端末機器に符号集合の分割方式を通知してよい。又は、符号集合の分割方式は予め端末機器に設定されてもよい。
【０１７６】
任意選択で、本願の実施例において、当該同期用信号は１つ又は複数のタイムスロットを占用してよい。
【０１７７】
各タイムスロットで伝送に使用され得る符号は同じであってよく、具体的には上記の符号集合であってよい。当然ながら、各タイムスロットで伝送に使用される符号は異なってもよい。
【０１７８】
任意選択で、本願の実施例において、ネットワーク機器は端末機器に当該同期用信号の設定情報を送信してよく、これにより、端末機器は当該設定情報を受信し、且つ当該設定情報に基づいて同期用信号を受信することができる。
【０１７９】
任意選択で、当該設定情報を指示する指示情報は省電力化信号、ＲＲＣシグナリング及び／又はブロードキャストメッセージにベアラされてよい。
【０１８０】
任意選択で、当該同期用信号の設定情報の送信方式及び／又は設定情報の内容については方法２００〜４００に関する上記の説明を参照することができ、簡素化のために説明が省略される。
【０１８１】
５２０において、端末機器はネットワーク機器によって送信される当該同期用信号を受信する。
【０１８２】
５３０において、受信された前記同期用信号に基づいて、前記端末機器は時間周波数同期を行う。
【０１８３】
したがって、本願の実施例において、ネットワーク機器が端末機器に送信する同期用信号は単一のタイムスロットで複数の符号集合を占用する。これにより、端末機器は単一のタイムスロットで複数の符号集合を占用して同期用信号を受信することができ、同期の効率が上がる。
【０１８４】
なお、上記の各方法２００、３００、４００、５００及びその実施例は独立してそれぞれ説明されているが、各方法と実施例は組み合わせて用いることができ、各方法についての説明、例えば、省電力化信号についての解釈及び設定情報についての説明等は他の方法の説明にも適用できる。なお、特定の方法の説明が他の方法に適用される場合に、他の方法に当該１つの方法における当該説明に存在しなくてもよい特徴を追加するわけではない。したがって、簡素化のために、本願の実施例で各方法に共通する説明は省略される。
【０１８５】
なお、本願の実施例による方法は同期用信号に基づいて説明しているが、本願の実施例はこれに限定されるものではなく、本願の実施例による方法は参照信号（例えば、チャネル状態情報-基準信号、略称ＣＳＩ−ＲＳ）又はシステム情報の設定にも適用できる。例えば、当該参照信号又はシステム情報の設定情報は省電力化信号によって送信されてよく、具体的実現は上記の説明を参照することができ、簡素化のために説明が省略される。
【０１８６】
図６は、本願の実施例に係るネットワーク機器の概略的なブロック図である。図６に示すように、当該ネットワーク機器６００は通信ユニット６１０を含む。
【０１８７】
任意選択で、本願の実施例において、当該通信ユニット６１０は、
同期用信号の第１設定情報を指示する省電力化信号を端末機器に送信するように構成される。
【０１８８】
任意選択で、本願の実施例において、当該省電力化信号は当該端末機器に対するページングメッセージが存在するか否かも指示し、又は、
当該省電力化信号は当該端末機器がスリープ状態からアクティブ状態に切り替わるか否かも指示する。
【０１８９】
任意選択で、本願の実施例において、当該省電力化信号は当該端末機器のページングメッセージが存在することも指示する場合に、当該省電力化信号は当該第１設定情報を指示し、又は、
当該省電力化信号は当該端末機器がスリープ状態からアクティブ状態に切り替わることも指示する場合に、当該省電力化信号は当該第１設定情報を指示する。
【０１９０】
任意選択で、本願の実施例において、当該第１設定情報は、
当該同期用信号の時間領域リソース情報、密度情報、サブキャリア情報、帯域幅情報、送信周期、時間オフセット情報、及び時間位置情報のうち少なくとも１つを含む。
【０１９１】
任意選択で、本願の実施例において、当該同期用信号の時間領域リソース情報は当該同期用信号が単一のタイムスロットで占用する複数の符号集合及び／又は当該同期用信号が占用するタイムスロットを指示する。
【０１９２】
任意選択で、本願の実施例において、当該端末機器が６ＧＨＺ以下の通信に用いる場合に、当該複数の符号集合は符号集合
【数１７】
2021530887.tif 000078
のうち少なくとも２つの符号集合を含み、又は、
当該端末機器が６ＧＨＺ以上の通信に用いる場合に、当該複数の符号集合は符号集合
【数１８】
2021530887.tif 000079
のうち少なくとも２つの符号集合を含む。
【０１９３】
任意選択で、本願の実施例において、当該省電力化信号は含まれるシーケンス及び／又は占用されるリソースによって当該第１設定情報を指示する。
ここで、異なるシーケンス及び／又は占用されるリソースは当該同期用信号の異なる設定情報を指示する。
【０１９４】
任意選択で、本願の実施例において、当該同期用信号の設定情報は当該第１設定情報及び第２設定情報を含み、第２設定情報は当該同期用信号の設定情報のうち当該第１設定情報に含まれない全ての又は一部の設定情報を指示する。
当該通信ユニット６１０は、さらに、
当該第２設定情報を指示する上位層シグナリングを当該端末機器に送信するように構成される。
【０１９５】
任意選択で、本願の実施例において、当該同期用信号は当該端末機器のアイドル状態における時間周波数同期に用いる。
【０１９６】
当該ネットワーク機器６００は方法２００においてネットワーク機器によって実現される対応の動作を実現できる。簡素化のために説明が省略される。
【０１９７】
任意選択で、本願の実施例において、通信ユニット６１０は、
同期用信号が単一のタイムスロットで占用する複数の符号集合を指示する指示情報を端末機器に送信するように構成される。
【０１９８】
任意選択で、本願の実施例において、各符号集合は少なくとも２つの符号を含む。
【０１９９】
任意選択で、本願の実施例において、当該端末機器が６ＧＨＺ以下の通信に用いる場合に、当該複数の符号集合は符号集合
【数１９】
2021530887.tif 000080
のうち少なくとも２つの符号集合を含み、又は、
当該端末機器が６ＧＨＺ以上の通信に用いる場合に、当該複数の符号集合は符号集合
【数２０】
2021530887.tif 000081
のうち少なくとも２つの符号集合を含む。
【０２００】
任意選択で、本願の実施例において、当該指示情報は当該同期用信号が占用するタイムスロットも指示する。
【０２０１】
任意選択で、本願の実施例において、当該指示情報はブロードキャストメッセージ、無線リソース制御（ＲＲＣ）シグナリング又は省電力化信号にベアラされる。
【０２０２】
任意選択で、本願の実施例において、当該省電力化信号は当該端末機器に対するページングメッセージが存在するか否かを指示し、又は、
当該省電力化信号は当該端末機器がスリープ状態からアクティブ状態に切り替わるか否かを指示する。
【０２０３】
任意選択で、本願の実施例において、当該同期用信号は当該端末機器のアイドル状態における時間周波数同期に用いる。
【０２０４】
当該ネットワーク機器６００は方法３００においてネットワーク機器によって実現される対応の動作を実現できる。簡素化のために説明が省略される。
【０２０５】
任意選択で、本願の実施例において、通信ユニット６１０は、
追跡参照信号（ＴＲＳ）又は拡張された追跡参照信号（ｅＴＲＳ）の設定情報を指示するブロードキャストメッセージを端末機器に送信するように構成される。
【０２０６】
任意選択で、本願の実施例において、当該設定情報は、
当該ＴＲＳ又はｅＴＲＳの時間領域リソース情報、密度情報、サブキャリア情報、帯域幅情報、送信周期、時間オフセット情報、及び時間位置情報のうち少なくとも１つを含む。
【０２０７】
任意選択で、本願の実施例において、当該ＴＲＳ又はｅＴＲＳの時間領域リソース情報は当該ＴＲＳ又はｅＴＲＳが単一のタイムスロットで占用する符号集合及び／又は当該ＴＲＳ又はｅＴＲＳが占用するタイムスロットを指示する。
【０２０８】
任意選択で、本願の実施例において、当該同期用信号は当該端末機器のアイドル状態における時間周波数同期に用いる。
【０２０９】
当該ネットワーク機器６００は方法４００においてネットワーク機器によって実現される対応の動作を実現できる。簡素化のために説明が省略される。
【０２１０】
任意選択で、本願の実施例において、通信ユニット６１０は、
単一のタイムスロットにおいて複数の符号集合を占用する同期用信号を端末機器に送信するように構成される。
【０２１１】
任意選択で、本願の実施例において、各符号集合は少なくとも２つの符号を含む。
【０２１２】
任意選択で、本願の実施例において、当該端末機器が６ＧＨＺ以下の通信に用いる場合に、当該複数の符号集合は符号集合
【数２１】
2021530887.tif 000082
のうち少なくとも２つの符号集合を含み、又は、
当該端末機器が６ＧＨＺ以上の通信に用いる場合に、当該複数の符号集合は符号集合
【数２２】
2021530887.tif 000083
のうち少なくとも２つの符号集合を含む。
【０２１３】
任意選択で、本願の実施例において、当該同期用信号は１つ又は複数のタイムスロットを占用する。
【０２１４】
任意選択で、本願の実施例において、当該通信ユニット６１０は、さらに、
当該同期用信号の設定情報を指示する指示情報を当該端末機器に送信するように構成される。
【０２１５】
任意選択で、本願の実施例において、当該設定情報は、
当該同期用信号の時間領域リソース情報、密度情報、サブキャリア情報、帯域幅情報、送信周期、時間オフセット情報、及び時間位置情報のうち少なくとも１つを含む。
【０２１６】
任意選択で、本願の実施例において、当該同期用信号の時間領域リソース情報は当該同期用信号が単一のタイムスロットにおいて占用する当該複数の符号集合及び／又は当該同期用信号が占用するタイムスロットを指示する。
【０２１７】
任意選択で、本願の実施例において、当該指示情報は省電力化信号、無線リソース制御（ＲＲＣ）シグナリング又はブロードキャストメッセージにベアラされる。
【０２１８】
任意選択で、本願の実施例において、当該省電力化信号は当該端末機器に対するページングメッセージが存在するか否かを指示し、又は、
当該省電力化信号は当該端末機器がスリープ状態からアクティブ状態に切り替わるか否かを指示する。
【０２１９】
任意選択で、本願の実施例において、当該同期用信号は当該端末機器のアイドル状態における時間周波数同期に用いる。
【０２２０】
当該ネットワーク機器６００は方法５００においてネットワーク機器によって実現される対応の動作を実現できる。簡素化のために説明が省略される。
【０２２１】
図７は、本願の実施例に係る端末機器の概略的なブロック図である。当該端末機器７００は通信ユニット７１０を含む。
【０２２２】
任意選択で、本願の実施例において、通信ユニット７１０は、
ネットワーク機器によって送信される同期用信号の第１設定情報を指示する省電力化信号を受信し、
当該第１設定情報に基づいて、当該同期用信号を受信するように構成される。
【０２２３】
任意選択で、本願の実施例において、当該省電力化信号は当該端末機器に対するページングメッセージが存在するか否かも指示し、又は、
当該省電力化信号は当該端末機器がスリープ状態からアクティブ状態に切り替わるか否かも指示する。
【０２２４】
任意選択で、本願の実施例において、当該通信ユニット７１０は、さらに、
当該省電力化信号が当該端末機器のページングメッセージが存在することも指示する場合に、当該端末機器は当該第１設定情報に基づいて、当該同期用信号を受信し、又は、
当該省電力化信号が当該端末機器がスリープ状態からアクティブ状態に切り替わることも指示する場合に、当該端末機器は当該第１設定情報に基づいて、当該同期用信号を受信するように構成される。
【０２２５】
任意選択で、本願の実施例において、当該第１設定情報は、
当該同期用信号の時間領域リソース情報、密度情報、サブキャリア情報、帯域幅情報、送信周期、時間オフセット情報、及び時間位置情報のうち少なくとも１つを含む。
【０２２６】
任意選択で、本願の実施例において、当該同期用信号の時間領域リソース情報は当該同期用信号が単一のタイムスロットで占用する複数の符号集合及び／又は当該同期用信号が占有するタイムスロットを指示する。
【０２２７】
任意選択で、本願の実施例において、当該端末機器が６ＧＨＺ以下の通信に用いる場合に、当該複数の符号集合は符号集合
【数２３】
2021530887.tif 000084
のうち少なくとも２つの符号集合を含み、又は、
当該端末機器が６ＧＨＺ以上の通信に用いる場合に、当該複数の符号集合は符号集合
【数２４】
2021530887.tif 000085
のうち少なくとも２つの符号集合を含む。
【０２２８】
任意選択で、本願の実施例において、当該省電力化信号は含まれるシーケンス及び／又は占用されるリソースによって当該第１設定情報を指示する。
ここで、異なるシーケンス及び／又は占用されるリソースは当該同期用信号の異なる設定情報を指示する。
【０２２９】
任意選択で、本願の実施例において、当該同期用信号の設定情報は当該第１設定情報及び第２設定情報を含み、第２設定情報は当該同期用信号の設定情報のうち当該第１設定情報に含まれない全ての又は一部の設定情報を指示する。
当該通信ユニット７１０は、さらに、
当該ネットワーク機器の、当該第２設定情報を指示する上位層シグナリングを受信し、
当該第１設定情報及び当該第２設定情報に基づいて、当該同期用信号を受信するように構成される。
【０２３０】
任意選択で、本願の実施例において、当該同期用信号は当該端末機器のアイドル状態における時間周波数同期に用いる。
【０２３１】
当該端末機器７００は方法２００において端末機器によって実現される対応の動作を実現できる。簡素化のために説明が省略される。
【０２３２】
任意選択で、本願の実施例において、通信ユニット７１０は、
ネットワーク機器によって送信される同期用信号が単一のタイムスロットで占用する複数の符号集合を指示する指示情報を受信し、
当該指示情報に基づいて、当該同期用信号を受信するように構成される。
【０２３３】
任意選択で、本願の実施例において、各符号集合は少なくとも２つの符号を含む。
【０２３４】
任意選択で、本願の実施例において、当該端末機器が６ＧＨＺ以下の通信に用いる場合に、当該複数の符号集合は符号集合
【数２５】
2021530887.tif 000086
のうち少なくとも２つの符号集合を含み、又は、
当該端末機器が６ＧＨＺ以上の通信に用いる場合に、当該複数の符号集合は符号集合
【数２６】
2021530887.tif 000087
のうち少なくとも２つの符号集合を含む。
【０２３５】
任意選択で、本願の実施例において、当該指示情報は当該同期用信号が占用するタイムスロットも指示する。
【０２３６】
任意選択で、本願の実施例において、当該指示情報はブロードキャストメッセージ、無線リソース制御（ＲＲＣ）シグナリング又は省電力化信号にベアラされる。
【０２３７】
任意選択で、本願の実施例において、当該省電力化信号は当該端末機器に対するページングメッセージが存在するか否かを指示し、又は、
当該省電力化信号は当該端末機器がスリープ状態からアクティブ状態に切り替わるか否かを指示する。
【０２３８】
任意選択で、本願の実施例において、当該同期用信号は当該端末機器のアイドル状態における時間周波数同期に用いる。
【０２３９】
当該端末機器７００は方法３００において端末機器によって実現される対応の動作を実現できる。簡素化のために説明が省略される。
【０２４０】
任意選択で、本願の実施例において、通信ユニット７１０は、
ネットワーク機器によって送信される追跡参照信号（ＴＲＳ）又は拡張された追跡参照信号（ｅＴＲＳ）の設定情報を指示するブロードキャストメッセージを受信し、
当該設定情報に基づいて、当該ＴＲＳ又はｅＴＲＳを受信するように構成される。
【０２４１】
任意選択で、本願の実施例において、当該設定情報は、
当該ＴＲＳ又はｅＴＲＳの時間領域リソース情報、密度情報、サブキャリア情報、帯域幅情報、送信周期、時間オフセット情報、及び時間位置情報のうち少なくとも１つを含む。
【０２４２】
任意選択で、本願の実施例において、当該ＴＲＳ又はｅＴＲＳの時間領域リソース情報は当該ＴＲＳ又はｅＴＲＳが単一のタイムスロットで占用する複数の符号集合及び／又は当該ＴＲＳ又はｅＴＲＳが占有するタイムスロットを指示する。
【０２４３】
任意選択で、本願の実施例において、当該端末機器が６ＧＨＺ以下の通信に用いる場合に、当該複数の符号集合は符号集合
【数２７】
2021530887.tif 000088
のうち少なくとも２つの符号集合を含み、又は、
当該端末機器が６ＧＨＺ以上の通信に用いる場合に、当該複数の符号集合は符号集合
【数２８】
2021530887.tif 000089
のうち少なくとも２つの符号集合を含む。
【０２４４】
任意選択で、本願の実施例において、当該同期用信号は当該端末機器のアイドル状態における時間周波数同期に用いる。
【０２４５】
当該端末機器７００は方法４００において端末機器によって実現される対応の動作を実現できる。簡素化のために説明が省略される。
【０２４６】
図８は、本願の実施例に係る端末機器８００の概略的なブロック図である。当該端末機器８００は通信ユニット８１０と、処理ユニット８２０とを含む。
当該通信ユニット８１０は、ネットワーク機器によって送信される単一のタイムスロットにおいて複数の符号集合を占用する同期用信号を受信するように構成される。
当該処理ユニット８２０は、受信された当該同期用信号に基づいて、時間周波数同期を行うように構成される。
【０２４７】
任意選択で、本願の実施例において、各符号集合は少なくとも２つの符号を含む。
【０２４８】
任意選択で、本願の実施例において、当該端末機器が６ＧＨＺ以下の通信に用いる場合に、当該複数の符号集合は符号集合
【数２９】
2021530887.tif 000090
のうち少なくとも２つの符号集合を含み、又は、
当該端末機器が６ＧＨＺ以上の通信に用いる場合に、当該複数の符号集合は符号集合
【数３０】
2021530887.tif 000091
のうち少なくとも２つの符号集合を含む。
【０２４９】
任意選択で、本願の実施例において、当該同期用信号は１つ又は複数のタイムスロットを占用する。
【０２５０】
任意選択で、本願の実施例において、当該通信ユニット８１０は、さらに、
当該ネットワーク機器によって送信される当該同期用信号の設定情報を指示する指示情報を受信し、
当該指示情報に基づいて、ネットワーク機器によって送信される同期用信号を受信するように構成される。
【０２５１】
任意選択で、本願の実施例において、当該指示情報は省電力化信号、無線リソース制御（ＲＲＣ）シグナリング又はブロードキャストメッセージにベアラされる。
【０２５２】
任意選択で、本願の実施例において、当該省電力化信号は当該端末機器に対するページングメッセージが存在するか否かを指示し、又は、
当該省電力化信号は当該端末機器がスリープ状態からアクティブ状態に切り替わるか否かを指示する。
【０２５３】
任意選択で、本願の実施例において、当該同期用信号は当該端末機器のアイドル状態における時間周波数同期に用いる。
【０２５４】
当該端末機器８００は方法５００において端末機器によって実現される対応の動作を実現できる。簡素化のために説明が省略される。
【０２５５】
図９は、本願の実施例に係る通信機器９００の概略的な構造図である。図９に示す通信機器９００はプロセッサ９１０を含み、プロセッサ９１０はメモリからコンピュータプログラムを呼び出して動作させることにより、本願の実施例の方法を実現できる。
【０２５６】
任意選択で、図９に示すように、通信機器９００はさらにメモリ９２０を含んでよもよい。プロセッサ９１０はメモリ９２０からコンピュータプログラムを呼び出して動作させることにより、本願の実施例の方法を実現できる。
【０２５７】
ここで、メモリ９２０はプロセッサ９１０から独立した単独な部品であってもよいし、プロセッサ９１０に集積されてもよい。
【０２５８】
任意選択で、図９に示すように、通信機器９００はさらに送受信機９３０を含んでもよく、プロセッサ９１０は当該送受信機９３０が他の機器と通信するように制御でき、具体的には、他の機器に情報又はデータを送信することであってもよいし、他の機器によって送信される情報又はデータを受信することであってもよい。
【０２５９】
ここで、送受信機９３０は送信機及び受信機を含んでよい。送受信機９３０はさらにアンテナを含んでもよく、アンテナの数は１つであってもよいし、複数であってもよい。
【０２６０】
任意選択で、当該通信機器９００は、具体的には本願の実施例のネットワーク機器であってよく、且つ、当該通信機器９００は本願の実施例の各方法においてネットワーク機器によって実現される対応のプロセスを実現でき、簡素化のために説明が省略される。
【０２６１】
任意選択で、当該通信機器９００は、具体的には本願の実施例の移動端末／端末機器であってよく、且つ、当該通信機器９００は本願の実施例の各方法において移動端末／端末機器によって実現される対応のプロセスを実現でき、簡素化のために説明が省略される。
【０２６２】
図１０は、本願の実施例に係るチップの概略的な構造図である。図１０に示すチップ１０００はプロセッサ１０１０を含み、プロセッサ１０１０はメモリからコンピュータプログラムを呼び出して動作させることにより、本願の実施例の方法を実現できる。
【０２６３】
任意選択で、図１０に示すように、チップ１０００はさらにメモリ１０２０を含んでもよい。プロセッサ１０１０はメモリ１０２０からコンピュータプログラムを呼び出して動作させることにより、本願の実施例の方法を実現できる。
【０２６４】
ここで、メモリ１０２０はプロセッサ１０１０から独立した単独な部品であってもよいし、プロセッサ１０１０に集積されてもよい。
【０２６５】
任意選択で、当該チップ１０００はさらに入力インタフェース１０３０を含んでもよい。プロセッサ１０１０は当該入力インタフェース１０３０が他の機器又はチップと通信を行うように制御でき、具体的には、他の機器又はチップによって送信される情報又はデータを取得することであってもよい。
【０２６６】
任意選択で、当該チップ１０００はさらに出力インタフェース１０４０を含んでもよい。プロセッサ１０１０は当該出力インタフェース１０４０が他の機器又はチップと通信を行うように制御でき、具体的には、他の機器又はチップに情報又はデータを出力することであってもよい。
【０２６７】
任意選択で、当該チップは本願の実施例に係るネットワーク機器に適用されてよく、且つ当該チップは本願の実施例の各方法においてネットワーク機器によって実現される対応のプロセスを実現でき、簡素化のために説明が省略される。
【０２６８】
任意選択で、当該チップは本願の実施例に係る移動端末／端末機器に適用されてよく、且つ当該チップは本願の実施例の各方法において移動端末／端末機器によって実現される対応のプロセスを実現でき、簡素化のために説明が省略される。
【０２６９】
なお、本願の実施例に係る上記チップは、システムレベルチップ、システムチップ、チップシステム、システムオンチップ等とも呼ばれてよい。
【０２７０】
図１１は、本願の実施例に係る通信システム１１００の概略的なブロック図である。図１１に示すように、当該通信システム１１００は端末機器１１１０及びネットワーク機器１１２０を含む。
【０２７１】
ここで、当該端末機器１１１０は上記方法で端末機器によって実現される対応の機能を実現するように構成されてよく、当該ネットワーク機器１１２０は上記方法でネットワーク機器によって実現される対応の機能を実現するように構成されてよく、簡素化のために説明が省略される。
【０２７２】
なお、本願の実施例でプロセッサは、信号処理能力を有する集積回路チップであり得る。実現プロセスにおいて、上記の方法の実施例の各ステップはプロセッサ内のハードウェアである集積論理回路又はソフトウェアの形態の命令によって完了できる。当該プロセッサは、汎用プロセッサ、デジタル信号プロセッサ（Ｄｉｇｉｔａｌ  Ｓｉｇｎａｌ  Ｐｒｏｃｅｓｓｏｒ、略称ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略称ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、略称ＦＰＧＡ）、又は他のプログラマブルロジックデバイス、ディスクリートトランジスタもしくはトランジスタ論理部品、ディスクリートハードウェア部品であってもよい。本願の実施例で開示される各方法、ステップ及び論理ブロック図を実施又は実行することができる。汎用プロセッサはマイクロプロセッサであってもよいし、又は当該プロセッサは任意の通常のプロセッサ等であってもよい。本願の実施例で開示される方法のステップは、ハードウェアであるデコードプロセッサで実行して完了されてもよいし、デコードプロセッサ内のハードウェアとソフトウェアモジュールの組み合わせが実行して完了されてもよい。ソフトウェアモジュールは、ランダムアクセスメモリ、フラッシュメモリ、読み出し専用メモリ、プログラマブル読み出し専用メモリ、又は電気的消去可能でプログラマブルメモリ、レジスタ等の当該分野の定着している技術としての記憶媒体に配置されてもよい。当該記憶媒体はメモリに配置され、プロセッサはメモリ内の情報を読み取り、そのハードウェアを用いて上記方法のステップを行う。
【０２７３】
なお、本願の実施例に係るメモリは、揮発性メモリもしくは不揮発性メモリであるか、又は揮発性メモリと不揮発性メモリの両方を含んでよい。ただし、不揮発性メモリは、読み出し専用メモリ（Ｒｅａｄ−Ｏｎｌｙ  Ｍｅｍｏｒｙ、略称ＲＯＭ）、プログラマブルな読み出し専用メモリ（Ｐｒｏｇｒａｍｍａｂｌｅ  ＲＯＭ、略称ＰＲＯＭ）、消去可能でプログラマブルな読み出し専用メモリ（Ｅｒａｓａｂｌｅ  ＰＲＯＭ、略称ＥＰＲＯＭ）、電気的消去可能でプログラマブルな読み出し専用メモリ（Ｅｌｅｃｔｒｉｃａｌｌｙ  ＥＰＲＯＭ、略称ＥＥＰＲＯＭ）、又はフラッシュメモリであってもよい。揮発性メモリは、外部キャッシュとして用いるランダムアクセスメモリ（Ｒａｎｄｏｍ  Ａｃｃｅｓｓ  Ｍｅｍｏｒｙ、略称ＲＡＭ）であってよい。限定するのではなく例示的なものとして、様々な形態のＲＡＭ、例えばスタティックランダムアクセスメモリ（Ｓｔａｔｉｃ  ＲＡＭ、略称ＳＲＡＭ）、ダイナミックランダムアクセスメモリ（Ｄｙｎａｍｉｃ  ＲＡＭ、略称ＤＲＡＭ）、同期ダイナミックランダムアクセスメモリ（Ｓｙｎｃｈｒｏｎｏｕｓ  ＤＲＡＭ、略称ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、略称ＤＤＲ  ＳＤＲＡＭ）、拡張型同期ダイナミックランダムアクセスメモリ（Ｅｎｈａｎｃｅｄ  ＳＤＲＡＭ、略称ＥＳＤＲＡＭ）、同期リンクダイナミックランダムアクセスメモリ（Ｓｙｎｃｈｌｉｎｋ  ＤＲＡＭ、略称ＳＬＤＲＡＭ）、ダイレクトラムバスランダムアクセスメモリ（Ｄｉｒｅｃｔ  Ｒａｍｂｕｓ  ＲＡＭ、略称ＤＲ  ＲＡＭ）を使用できる。なお、本明細書で説明されるシステム及び方法に係るメモリは、上記のメモリ及び任意の他の適切なタイプのメモリを含むが、これらに限定されるものではない。
【０２７４】
なお、上記のメモリは例示的なもので限定するものではなく、例えば、本願の実施例に係るメモリはスタティックランダムアクセスメモリ（ｓｔａｔｉｃ  ＲＡＭ、略称ＳＲＡＭ）、ダイナミックランダムアクセスメモリ（ｄｙｎａｍｉｃ  ＲＡＭ、略称ＤＲＡＭ）、同期ダイナミックランダムアクセスメモリ（ｓｙｎｃｈｒｏｎｏｕｓ  ＤＲＡＭ、略称ＳＤＲＡＭ）、ダブルデータレート同期ダイナミックランダムアクセスメモリ（ｄｏｕｂｌｅ  ｄａｔａ  ｒａｔｅ  ＳＤＲＡＭ、略称ＤＤＲ  ＳＤＲＡＭ）、拡張型同期ダイナミックランダムアクセスメモリ（ｅｎｈａｎｃｅｄ  ＳＤＲＡＭ、略称ＥＳＤＲＡＭ）、同期リンクダイナミックランダムアクセスメモリ（ｓｙｎｃｈ  ｌｉｎｋ  ＤＲＡＭ、略称ＳＬＤＲＡＭ）、ダイレクトラムバスランダムアクセスメモリ（Ｄｉｒｅｃｔ  Ｒａｍｂｕｓ  ＲＡＭ、略称ＤＲ  ＲＡＭ）等であってよもよい。即ち、本願の実施例に係るメモリは、上記のメモリ及び任意の他の適切なタイプのメモリを含むが、これらに限定されるものではない。
【０２７５】
本願の実施例によれば、さらに、コンピュータプログラムを記憶するように構成されるコンピュータ可読記憶媒体が提供される。
【０２７６】
任意選択で、当該コンピュータ可読記憶媒体は本願の実施例に係るネットワーク機器に適用されてよく、且つ、当該コンピュータプログラムによってコンピュータは本願の実施例の各方法でネットワーク機器によって実現される対応のプロセスを実行し、簡素化のために説明が省略される。
【０２７７】
任意選択で、当該コンピュータ可読記憶媒体は本願の実施例に係る移動端末／端末機器に適用されてよく、且つ、当該コンピュータプログラムによってコンピュータは本願の実施例の各方法で移動端末／端末機器によって実現される対応のプロセスを実行し、簡素化のために説明が省略される。
【０２７８】
本願の実施例によれば、さらに、コンピュータプログラム命令を含むコンピュータプログラム製品が提供される。
【０２７９】
任意選択で、当該コンピュータプログラム製品は本願の実施例に係るネットワーク機器に適用されてよく、且つ、当該コンピュータプログラム命令によってコンピュータは本願の実施例の各方法でネットワーク機器によって実現される対応のプロセスを実行し、簡素化のために説明が省略される。
【０２８０】
任意選択で、当該コンピュータプログラム製品は本願の実施例に係る移動端末／端末機器に適用されてよく、且つ、当該コンピュータプログラム命令によってコンピュータは本願の実施例の各方法で移動端末／端末機器によって実現される対応のプロセスを実行し、簡素化のために説明が省略される。
【０２８１】
本願の実施例によれば、さらに、コンピュータプログラムが提供される。
【０２８２】
任意選択で、当該コンピュータプログラムは本願の実施例に係るネットワーク機器に適用されてよく、当該コンピュータプログラムがコンピュータにおいて動作させられる時、コンピュータは本願の実施例の各方法でネットワーク機器によって実現される対応のプロセスを実行し、簡素化のために説明が省略される。
【０２８３】
任意選択で、当該コンピュータプログラムは本願の実施例に係る移動端末／端末機器に適用されてよく、当該コンピュータプログラムがコンピュータにおいて動作させられる時、コンピュータは本願の実施例の各方法で移動端末／端末機器によって実現される対応のプロセスを実行し、簡素化のために説明が省略される。
【０２８４】
当業者にとって自明なことであるが、本明細書で開示される実施例で説明される各例示的なユニット、アルゴリズム及びステップは、電子ハードウェア、又は電子ハードウェアとコンピュータソフトウェアの組み合わせにより実現できる。これらの機能はハードウェアにおいて実行されるかソフトウェアとして実行されるかは、技術的解決手段の特定の用途及び設計上の制限条件によって決定される。当業者であれば、特定の用途ごとに異なる方法を用いて説明される機能を実現できるが、このような実現は本願の範囲を超えるものと見なされない。
【０２８５】
当業者にとって自明なことであるが、上記のとおりに説明されるシステム、装置及びユニットの動作プロセスの詳細は、上記方法の実施例における対応のプロセスを参照することができ、説明の便宜上及び簡素化の観点から、ここで説明は省略される。
【０２８６】
なお、本願に係るいくつかの実施例で開示されるシステム、装置及び方法は、他の形態によって実現できる。例えば、上記のとおりに説明される装置の実施例は、例示的なものに過ぎず、例えば、上記に記載のとおり各ユニットを設定しているが、これは論理的な機能区分に過ぎず、実現の際に別の方式での設定も可能である。例えば、複数のユニット又は部品を組み合わせるか、別のシステムに集積されるか、又はいくつかの特徴を反映せず、実行しなくてもよい。また、上記のとおりに記載又は説明されている要素間の接続、直接的な接続又は通信可能な接続は、いくつかのインタフェース、装置又はユニットを介した間接的なカップリング又は通信可能な接続であってもよく、電気的な形式であってもよいし、機械的な形式又は他の形式であってもよい。
【０２８７】
分離されている部品として説明される前記各ユニットは、物理的に分離されてもよいしそうでなくてもよい。ユニットとして表示される各部品は、物理的なユニットであってもよいし、そうでなくてもよい。即ち、同一の場所に配置されてもよいし、複数のネットワークユニットに分散されてもよい。実際の状況に応じて、その一部のユニットを選択するか、又は全てのユニットを用いて対応する本実施例の目的を達成することができる。
【０２８８】
また、本願の各実施例において、各機能ユニットは１つのユニットに集積されてもよいし、又は各ユニットは物理的な構造として単独に存在してもよいし、又は２つ以上のユニットが１つのユニットに集積されてもよい。
【０２８９】
上記の各機能は、ソフトウェア機能ユニットの形式で実現され、且つ、独立する製品として販売又は使用される場合には、コンピュータ可読記憶媒体に記憶されてよい。このような理解を踏まえれば、本願の技術的解決手段の趣旨、言い換えれば従来の技術にとって貢献がある部分、又は当該技術的解決手段の一部は、ソフトウェア製品の形式で表現されてよい。当該コンピュータソフトウェア製品は、記憶媒体に記憶され、コンピュータ機器（パソコン、サーバ、又はネットワーク機器等）が本願の各実施例に記載の方法の全てのステップ又はその一部を実行するためのいくつかの命令を含む。前記記憶媒体は、ＵＳＢメモリ、モバイルハードディスク、読み出し専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスク又は光ディスク等のプロクラムコードを記憶できる各種の媒体を含む。
【０２９０】
上述した内容は、本願の具体的な実施形態に過ぎず、これをもって本願の保護範囲が限定されるものではない。当業者が本願で開示される技術範囲において容易に想到し得る変更、置換などは、いずれも本願の保護範囲に含まれるすべきである。したがって、本願の保護範囲は特許請求の範囲の内容に準拠する。
【手続補正３】
【補正対象書類名】図面
【補正対象項目名】図９
【補正方法】変更
【補正の内容】
【図９】
2021530887.tif 000092
【国際調査報告】
2021530887.tif 000093
2021530887.tif 000094
2021530887.tif 000095
2021530887.tif 000096